(57)【要約】  本発明は、健康に重要な、生産準備期間の長い季節的なワクチンその他の薬剤の効率的な生産、流通、および投与のうちの１つ以上を可能とするための、自動化された、消費者主導の生産前ワクチン予約システムに関する。そのような消費者主導のワクチン予約システムの使用によって、ワクチンの生産者、健康管理産業に関連した他の公認機関またはその両方を過度の金銭的リスクにさらすことなく、季節的なワクチンに対する消費者需要が完全にかつ一貫して満たされることをほぼ保証するための非常に有効な手段が提供される。そのような消費者主導のワクチン予約システムを含む物理要素に加え、本発明は、季節的なワクチン供給を季節的な消費者需要と正確に一致させ、それによって実質的にワクチンの生産、流通、および適時の投与を容易とするための様々な独特の動作方法を示す。
2008545210.tif 000002
【特許請求の範囲】
【請求項１】
ワクチン消費者が所定量のワクチンを入手することをほぼ保証するように構成された、自動化された、消費者主導のワクチン予約システムであって、
操作可能に接続された、
（ａ）ワクチン予約情報を受信し格納するように構成された１つ以上の電子データベースと、
（ｂ）前記電子データベースのホスティングを行うように構成された、１つ以上の記憶媒体を有する１つ以上のコンピュータシステムと、
（ｃ）前記電子データベースシステムとシステムユーザとの間で前記ワクチン予約情報の通信が行われることを可能とする１つ以上のヒューマンインタフェースと、
（ｄ）前記１つ以上のデータベースへインターフェイスを提供し、ワクチン予約情報を処理するために動作可能である、前記１つ以上の記憶媒体上に存在するクライアントソフトウェアと、を備え、
前記クライアントソフトウェアは、所定量のワクチンを予約することを望むユーザが生産前に１回分以上のワクチンを予約することを可能とするように動作可能であり、
前記クライアントソフトウェアは、そのように予約された前記１回分以上のワクチンに対する金銭的補償を処理するように動作可能であり、
前記クライアントソフトウェアは、１つ以上のワクチン生産者が季節的なワクチン生産量を決定するのに用いるために、システムユーザへワクチン予約情報を提供するように動作可能である、ワクチン予約システム。
【請求項２】
少なくとも１つのデータベースにユーザへのアクセスを提供するために前記ソフトウェアが操作可能である、請求項１に記載のワクチン予約システム。
【請求項３】
前記財政の補償が前記予約用量のために支払を十分に構成する、請求項１に記載のワクチン予約システム。
【請求項４】
前記財政の補償が前記予約用量のための沈殿物から成り立つ、請求項１に記載のワクチン予約システム。
【請求項５】
財政責任が前記予約用量の支払のためになされた後前記ソフトウェアが払戻し可能な保証金を処理する、請求項４に記載のワクチン接種の予約システム。
【請求項６】
ワクチン接種を促進するためのユーザに補償を処理するために操作可能な前記ソフトウェアを含む請求項１に記載のワクチン予約システム。
【請求項７】
未来のワクチン接種の予約のための財政の補償を処理するための財政の信頼の確立を提供のために操作可能な前記ソフトウェアを含む請求項１に記載のワクチン予約システム。
【請求項８】
エスクロー支払、沈殿物、または組合せを提供のために操作可能な前記ソフトウェアを含む請求項１に記載のワクチン予約システム。
【請求項９】
前記ユーザに次の財政の刺激の１つ以上を提供することによって有望なワクチン接種の参加を提供のために操作可能な前記ソフトウェアを含む請求項１に記載のワクチン予約システム。
（ａ）試作期間の基礎でなされる順序のための減らされた費用；
（ｂ）それに続くワクチン接種のための現在のワクチン接種の時間になされる順序のための減らされた費用；
（ｃ）繰り返しの消費者による順序のための減らされた費用；
（ｄ）責任放棄となされた順序のための減らされた費用は消費者代表によって署名した；（ｅ）ワクチン接種の予約システム企業の公平のホールダーのための減らされた費用；
（ｆ）繰り返しの消費者のためのワクチン接種の予約システム企業の公平分け前の提供；（ｇ）消費者予定通り出席されるワクチン接種の管理の任命のための減らされた費用；
（ｈ）消費者指名ピークを過ぎた時間の間予定されるワクチン接種の管理の任命のための減らされた費用；
（ｉ）ワクチン接種の提供者のための減らされた費用；
（ｊ）確保されたグループのための減らされた費用は場所かつて一緒に管理し、；
（ｋ）すべての必須文書との予定された任命の出現のための減らされた費用は前刷りし、完了したこと；および
（ｌ）提供者にコストを削減するペーパレスドキュメンテーションの顧客の使用のための減らされた費用。
【請求項１０】
前記ソフトウェアがユーザがワクチンの１つ以上の用量を確保することを可能にするために操作可能である、請求項１に記載のワクチン予約システム。
【請求項１１】
ワクチンの１つ以上の用量は長い期間管理されるワクチンの用量で大多数を構成する請求項１０に記載のワクチン接種の予約システム。
【請求項１２】
ワクチンの１つ以上の用量はワクチン接種の源の大多数から予約がある、請求項１０に記載のワクチン接種の予約システム。
【請求項１３】
前記ソフトウェアが前記ユーザがそう確保されるワクチンの未使用の用量を寄付することを可能にするために操作可能である、請求項１０に記載のワクチン接種の予約システム。
【請求項１４】
ワクチンの予約用量の合計が少なくとも１人のワクチン接種の提供者に利用できるという前記電子データベースのワクチンの予約用量の数を総計するために操作可能な前記ソフトウェアを含む請求項１に記載のワクチン予約システム。
【請求項１５】
ワクチンの予約用量の前記数が前記データベースにアクティブ・リンクによって利用できる、請求項１４に記載のワクチン接種の予約システム
【請求項１６】
少なくとも１つのデータベースで貯えられたワクチン接種の消費者の医療記録、
記録のスクリーニングのために操作可能な前記ソフトウェア、
ワクチンが前記ワクチン接種の消費者に管理のために医学的に適切または不適当であることを前記ユーザへ通知するために操作可能な前記ソフトウェア、を含む請求項１に記載のワクチン予約システム。
【請求項１７】
前記医療記録がユーザによって手動で入れられる、請求項１６に記載のワクチン接種の予約システム。
【請求項１８】
前記ソフトウェアが必要な基礎でワクチン接種の消費者の医療記録にインターフェイスを提供する、請求項１６に記載のワクチン接種の予約システム。
【請求項１９】
前記ソフトウェアが大幅に実質の時間の基礎でワクチン接種の消費者の医療記録にインターフェイスを提供する、請求項１８に記載のワクチン接種の予約システム。
【請求項２０】
前記ユーザに前記ソフトウェアがそれからワクチン接種配達方法、費用、調達期間、副作用、または組合せから成り立つ情報を評価するおよび患者かのための１つ以上の特定の
ワクチンの選択を推薦する請求項１６に記載のワクチン接種の予約システム。
【請求項２１】
前記ソフトウェアが自動的に前記情報評価に基づいてワクチンの１つ以上の用量を確保する、請求項２０に記載のワクチン接種の予約システム。
【請求項２２】
ワクチンの１つ以上の用量は長い期間管理されるワクチンの用量で大多数を構成する請求項２１に記載のワクチン接種の予約システム。
【請求項２３】
ワクチンの１つ以上の用量はワクチン接種の源の大多数から予約がある請求項２１に記載のワクチン接種の予約システム。
【請求項２４】
出現の病原性のある脅威に関する情報へのインターフェイスは、
ユーザが前承認することを可能にするために操作可能な前記ソフトウェアは１つ以上の条件の満足に前記出現の病原性のある脅威のためのワクチンの生産を承認するシステム、
満足のための前記情報を分析するために操作可能な前記ソフトウェア１つ以上の条件、
ワクチンの自動的に承認の前記生産のために操作可能なソフトウェア、を含む請求項１に記載のワクチン予約システム。
【請求項２５】
前記ワクチン接種の消費者が依存した人および前記ソフトウェアであるか前記依存した人の法的代表に、前記予約ワクチンのための財政の補償承認するために、インターフェイスをまたは両方を処理している前記依存した人のためのワクチンの用量の予約を提供する請求項１に記載のワクチン予約システム。
【請求項２６】
ワクチンの単価、管理の費用、または両方を減らすために前記ソフトウェアが個々の消費者の予約情報を集めるために操作可能である、請求項１に記載のワクチン予約システム。
【請求項２７】
前記ソフトウェアがワクチン接種不足の場合にワクチンの用量にアクセス優先順位を割り当てる、請求項１に記載のワクチン予約システム。
【請求項２８】
割り当てが任意チャンスに基づいてなされる、または要因のワクチン接種の予約システムはそれからか消費者年齢、健康状態、感受性から病原体の浸透性または毒性への、または組合せから成り立っているグループ選ぶことを含む請求項２７に記載のワクチン接種の予約システム。
【請求項２９】
（ａ）ソフトウェアはワクチンの用量の管理の目録のためにワクチンの用量の再命令を操作可能にすることを含む請求項１に記載のワクチン予約システム。
【請求項３０】
前記電子データベースを量のタイプの特定の位置に配られるべきワクチンを確立するために分析するために操作可能な前記ソフトウェアを含む請求項１に記載のワクチン予約システム。
【請求項３１】
前記電子データベースをワクチン接種の配分を特定の時に定めるために分析するために操作可能な前記ソフトウェアを含む請求項３０に記載のワクチン接種の予約システム。
【請求項３２】
特定の位置への出荷のためのワクチンの１つ以上の用量の包装を可能にするために操作可能なソフトウェアを含む請求項１に記載のワクチン予約システム。
【請求項３３】
ワクチン接種の消費者にワクチンのそれから予約用量操作可能な、ソフトウェアを組合せを分配するワクチンの管理の貯蔵を含む請求項２９に記載のワクチン接種の予約システ
ム。
【請求項３４】
ワクチンの用量の配分か再分配を可能にするためのワクチンの用量の管理の目録のために操作可能なソフトウェアを含む請求項２９に記載のワクチン接種の予約システム。
【請求項３５】
ワクチンの用量の位置を追跡するために操作可能なソフトウェアを含む請求項２９に記載のワクチン接種の予約システム。
【請求項３６】
ワクチンの用量の生産以来の時間を追跡するために操作可能なソフトウェアを含む請求項２９に記載のワクチン接種の予約システム。
【請求項３７】
ワクチンの用量によって生産の後で経験された環境条件を追跡するために操作可能なソフトウェアを含む請求項２９に記載のワクチン接種の予約システム。
【請求項３８】
（ａ）ワクチンの用量に添付されるコンピュータ可読な札；
（ｂ）読むために形成された電子読者は札を含む請求項２９に記載のワクチン接種の予約システム。
【請求項３９】
（ａ）管理のためにワクチンの用量をワクチンの供給確保している前記ユーザに伝達し合うことのために操作可能な前記ソフトウェアを含む請求項１に記載のワクチン予約システム。
【請求項４０】
前記ワクチンの管理のための特定の任命を確立するためにワクチンの用量を確保している前記ユーザを可能にするために操作可能な前記ソフトウェアを含む請求項１に記載のワクチン予約システム。
【請求項４１】
予定された任命に会うために前記ソフトウェアがワクチン接種の管理の人員の経営を提供する、請求項４０に記載のワクチン接種の予約システム。
【請求項４２】
ワクチン接種の議定書の承諾の証明を可能にするために操作可能な前記ソフトウェアを含む請求項１に記載のワクチン予約システム。
【請求項４３】
それから政府関係機関に前記証明の報告を可能にするために操作可能な、前記ソフトウェア医者、健康の計画、学校、雇用者、または組合せから成り立っている前記情報の適切な受け手を含む請求項４２に記載のワクチン接種の予約システム。
【請求項４４】
前記ワクチンに関して得、報告の消費者応答データを可能にするために操作可能な前記ソフトウェアを含む請求項１に記載のワクチン予約システム。
【請求項４５】
前記データがそれから効力、悪影響、副作用、不利なでき事、または組合せから成り立っているグループから選ばれる物理的な応答から成り立つ、請求項４４に記載のワクチン接種の予約システム。
【請求項４６】
前記報告がワクチン接種の生産者に作られるかワクチン接種の提供者、政府関係機関、健康、それから医者、消費者組織、システムユーザ、消費者、または組合せ計画する請求項４４に記載のワクチン接種の予約システム。
【請求項４７】
前記データがワクチン接種サービスで消費者評価を構成する、ワクチン接種の消費者が提供者の間で区別することを可能にするように評価およびランキングから成っているグループから選ばれた評価データを含む請求項４４に記載のワクチン接種の予約システム。
【請求項４８】
被寄付者がワクチンを必要として受け手にワクチンの１つ以上の用量を寄付することを可能にするために操作可能な前記ソフトウェアを含む請求項１に記載のワクチン予約システム。
【請求項４９】
前記ワクチン接種の予約システム内の慈悲深い資金集めをする活動を提供のために操作可能な前記ソフトウェアを含む請求項１に記載のワクチン予約システム。
【請求項５０】
前記慈悲深い資金集めをする活動が貢献の懇請することおよび受け入れから成り立つか、資金集めをするでき事を組織し、資金集めをするでき事を発表し、懇請し、そして補助金を受け取り、それから見合い調達、組合せを懇請し、そして受け取ることを含む請求項４９に記載のワクチン接種の予約システム。
【請求項５１】
（ａ）は慈悲深いギフトによってワクチンの１つ以上の用量を受け取る承認の検討の受信者候補のために操作可能なソフトウェアを含む請求項１に記載のワクチン予約システム。
【請求項５２】
慈悲深いギフトによってワクチンの１つ以上の用量を受け取るために承認された受け手を登録するために操作可能なソフトウェアを含む請求項５１に記載のワクチン接種の予約システム。
【請求項５３】
受け手へのワクチンの用量の分配を提供のために操作可能な前記ソフトウェアは慈悲深いギフトによってワクチンを受け取るために登録することを含む請求項５２に記載のワクチン接種の予約システム。
【請求項５４】
ワクチンの前記慈悲深いギフトの用量が再分配された余分なまたは残りの用量である、請求項５３に記載のワクチン接種の予約システム。
【請求項５５】
存在しているか、現れるか、またはワクチン接種の消費者および予約にワクチンを選ぶことで助けるシステムユーザへ前記脅威の通知を提供するために操作可能な前記ソフトウェアに予測の病原性のある脅威を評価するために操作可能な前記ソフトウェアを含む請求項１に記載のワクチン予約システム。
【請求項５６】
前記脅威がワクチン接種の消費者によって完了された旅行から起こる病原性のある露出の危険に関連しているか、追跡の消費者旅行のために操作可能な前記ソフトウェアを含む請求項５５に記載のワクチン接種の予約システム。
【請求項５７】
システムユーザへ教育材料を提供するために操作可能な前記ソフトウェアを含む請求項１に記載のワクチン予約システム。
【請求項５８】
前記教育材料がワクチンのそれから病原性のある脅威、用量、伝染の処置または回避のためのワクチン接種プロセス、補足方法、季節的な衞生教育、または組合せに関して情報を構成する、請求項５７に記載のワクチン接種の予約システム。
【請求項５９】
管理の未来のワクチン接種のために操作可能な前記ソフトウェアを含む請求項１に記載のワクチン予約システム。
【請求項６０】
ワクチンが前記ワクチン接種の消費者に管理のために適切または不適当であること、ワクチン接種の消費者のスクリーニングの記録のために操作可能な前記ソフトウェアおよびユーザへ通知を提供するために操作可能な前記ソフトウェアを含む請求項５９に記載のワ
クチン接種の予約システム。
【請求項６１】
周期的なワクチン接種のための必要性のユーザへメモを提供するために操作可能なソフトウェアを含む請求項５９に記載のワクチン接種の予約システム。
【請求項６２】
前記周期的なワクチン接種が多数注入のワクチン接種のコースから成り立っているグループから選ばれるか、季節的なワクチン接種、学校ワクチン接種を、仕事要求したそれからワクチン接種、旅行によって要求されたワクチン接種、小児科のワクチン接種のコース、周期的なブースターのワクチン接種、または組合せを要求することを含む請求項６１に記載のワクチン接種の予約システム。
【請求項６３】
存在を、評価するために現れるか、またはワクチン接種の消費者およびユーザへ前記脅威の通知を提供するために操作可能な前記ソフトウェアに予測の病原性のある脅威に操作可能な前記ソフトウェアを含む請求項５９に記載のワクチン接種の予約システム。
【請求項６４】
前記脅威が意図されていた消費者旅行に関連している、請求項６３に記載のワクチン接種の予約システム。
【請求項６５】
地方ワクチン接種率を監視し、危険度が高い地域を報告するために操作可能なソフトウェアを含む請求項５９に記載のワクチン接種の予約システム。
【請求項６６】
ワクチン接種製品のためのワクチン接種の提供者の責任を限る前記ソフトウェアがワクチン接種の消費者の一致を保証するために操作可能である、請求項１に記載のワクチン予約システム。
【請求項６７】
前記ソフトウェアが前記システムの多言語操作能力を可能にするために操作可能である、請求項１に記載のワクチン予約システム。
【請求項６８】
大幅に動作可能に接続される次の要素保証するために、形成される自動化された、消費者運転された、ワクチン接種の予約の管理システムから成り立つワクチンの用量へのワクチン接種の消費者アクセスを：
（ａ）ワクチン接種の予約の管理情報を受け取り、貯えるために形成される少なくとも１つの電子データベース；
（ｂ）前記電子データベースを催すために形成される少なくとも１の記憶媒体を持っている少なくとも１つの電子計算機システム；
（ｃ）前記ワクチン接種の予約の管理情報が前記電子データベースシステムとシステムユーザの間で伝達し合われることを可能にするための少なくとも１つの人間インターフェイス；および
（ｄ）ワクチン接種の予約の管理情報を処理するために少なくとも１のデータベースそして操作可能にインターフェイスを提供する少なくとも１つの記憶媒体に存在する顧客ソフトウェア、
ｉ）前記顧客ソフトウェアはワクチンの試作期間の基礎のワクチン、
ＩＩ）の少なくとも１つの用量を確保するために用量を確保することを望んでいるユーザを可能にするために操作可能であること、
ＩＩＩ）前記顧客ソフトウェアは予約ワクチン接種の用量のための財政の補償を処理するために操作可能であること、
ＩＶ）前記顧客ソフトウェアはユーザがワクチンの１つ以上の用量を確保することを可能にするために操作可能であること、
Ｖ）前記ソフトウェアは前記ユーザがそう確保されるワクチンの未使用の用量を寄付することを可能にするかために操作可能であること、
を含む方法。
【請求項６９】
ワクチンの１つ以上の用量はワクチン接種の源の大多数から予約がある、請求項６８に記載のワクチン接種の予約システム。
【請求項７０】
（１）大幅にワクチンの少なくとも１つの用量への個々のワクチン接種の消費者アクセスを保証するための方法または（２）少なくとも１のワクチン接種の生産者に季節的なワクチン接種の生産の量を、または、ステップを構成する自動化された、消費者運転された、ワクチン接種の予約の管理システムを使用して（１）および（２）定めるためにデータを与える：
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；そして
（１）前述のそう確保されるワクチンの少なくとも１の用量のためにワクチンの少なくとも１つの用量を、
（２）処理し財政の補償確保するためにワクチン接種の消費者からのワクチン接種の予約を、または
（３）ステップの組合せを（１）および（２）受け入れるか、または保証する；
前記ワクチン接種の予約の管理システムは前記ワクチン接種の消費者がワクチンの少なくとも確保することを可能にするという１つの用量は、季節的なワクチン接種の生産の量を定めるためにデータへのアクセスを大幅に予約ワクチンへの消費者アクセスを保証し、少なくとも１のワクチン接種の生産者に与える方法。
【請求項７１】
ステップをシステムユーザへ前述の少なくとも１つのデータベースへのアクセスを提供することで構成する請求項７０に記載の方法。
【請求項７２】
前記財政の補償が前記予約用量のために支払を十分に構成する、請求項７０に記載の方法。
【請求項７３】
前記財政の補償が前記予約用量のための沈殿物から成り立つ、請求項７０に記載の方法。
【請求項７４】
それ以上の要求前述の予約用量の支払のためにステップを財政責任の後で払戻し可能な保証金の処理で構成してなされる請求項７３に記載の方法。
【請求項７５】
ステップをワクチン接種を促進するためのユーザに補償の処理で構成する請求項７０に記載の方法。
【請求項７６】
ステップを未来のワクチン接種の予約のための財政の補償を処理するための財政の信頼の確立を提供で構成する請求項７０に記載の方法。
【請求項７７】
それ以上のそれからステップ、または組合せを、沈殿物エスクロー支払を提供で構成する請求項７０に記載の方法。
【請求項７８】
ステップを前述のユーザに次の財政の刺激の１つ以上を提供することによって有望なワクチン接種の参加を提供で構成する請求項７０に記載の方法。
（ａ）試作期間の基礎でなされる順序のための減らされた費用；
（ｂ）それに続くワクチン接種のための現在のワクチン接種の時間になされる順序のための減らされた費用；
（ｃ）繰り返しの消費者による順序のための減らされた費用；
（ｄ）責任放棄となされた順序のための減らされた費用は消費者代表によって署名した；（ｅ）現在の方法を実行するワクチン接種の予約システム企業の公平のホールダーのための減らされた費用；
（ｆ）現在の方法を実行しているワクチン接種の予約システム企業の消費者を繰り返す公平分け前の提供；
（ｇ）消費者ワクチン接種の管理の任命のための減らされた費用は予定通り出席した；
（ｈ）消費者指名ピークを過ぎた時間の間予定されるワクチン接種の管理の任命のための減らされた費用；
（ｉ）ワクチン接種の提供者のための減らされた費用；
（ｊ）確保されたグループのための減らされた費用は場所かつて一緒に管理すること；
（ｋ）すべての必須文書との予定された任命の出現のための減らされた費用は前刷りし、完了したこと；および
（ｌ）提供者にコストを削減するペーパレスドキュメンテーションの顧客の使用のための減らされた費用。
【請求項７９】
ステップをユーザがワクチンの１つ以上の用量を確保することを可能にすることで構成する請求項７０に記載の方法。
【請求項８０】
ワクチンの１つ以上の用量は長い期間管理されるワクチンの用量で大多数を構成する、請求項７９に記載の方法。
【請求項８１】
ワクチンの１つ以上の用量はワクチン接種の源の大多数から予約がある、請求項７９に記載の方法。
【請求項８２】
ステップを前記ユーザがワクチンの未使用の用量を寄付することを可能にすることで構成してそう確保する請求項７９に記載の方法。
【請求項８３】
ワクチンの予約用量の合計が少なくとも１人のワクチン接種の提供者が利用できるという、ステップを前記電子データベースのワクチンの予約用量の数の総計で構成する請求項７０に記載の方法。
【請求項８４】
ワクチンの予約用量の前記数が前記データベースにアクティブ・リンクによって利用できる、操作可能な実質の時間に情報を大幅に提供するリンクを含む請求項８３に記載の方法。
【請求項８５】
ワクチンが前記ワクチン接種の消費者に管理のために医学的に適切または不適当であることワクチン接種の消費者の医療記録を少なくとも１つのデータベース、前記記録を選別すること、および前記ユーザへ通知を提供することで貯える請求項７０に記載の方法。
【請求項８６】
前記医療記録がユーザによって手動で入れられる、請求項８５に記載の方法。
【請求項８７】
ステップをように必要な基礎のワクチン接種の消費者の医療記録にインターフェイスで構成する請求項８５に記載の方法。
【請求項８８】
ワクチン接種の消費者の医療記録への前記インターフェイスが大幅に実質の時間の基礎で作られる、請求項８５に記載の方法。
【請求項８９】
それ以上の患者のためのそれからワクチン接種配達方法、費用、調達期間、副作用、または組合せから成り立つ、および前述のユーザに１つ以上の特定のワクチンの選択を推薦するステップを評価情報で構成する請求項８５に記載の方法。
【請求項９０】
ステップを自動的に前述の情報評価に基づくワクチンの１つ以上の用量を確保することで構成する請求項８９に記載の方法。
【請求項９１】
ワクチンの１つ以上の用量は長い期間管理されるワクチンの用量で大多数を構成する、請求項９０に記載の方法。
【請求項９２】
ワクチンの１つ以上の用量はワクチン接種の源の大多数から予約がある、請求項２１に記載の方法。
【請求項９３】
インターフェイスを、前承認することをユーザが可能にしてシステムが１つ以上の条件の満足に前記出現の病原性のある脅威のためのワクチンの生産を承認すると前記情報を分析しての満足に出現の病原性のある脅威に関して情報に提供して１つ以上の条件、
満足に自動的にワクチンの前記生産を承認して１つ以上の条件、を含む請求項７０に記載の方法。
【請求項９４】
前記ワクチン接種の消費者が依存した人および前記依存した人の法的代表に前記予約ワクチンのための財政の補償承認するために、インターフェイスを提供することで、追加手順をまたは両方を処理している前記依存した人のためのワクチンの用量の予約を構成する請求項７０に記載の方法。
【請求項９５】
それ以上のステップまたは両方を管理で個々の消費者の予約情報のワクチンの単価を、費用削減するために、集合で構成する、請求項７０に記載の方法。
【請求項９６】
ステップをワクチン接種不足の場合にワクチンの用量にアクセス優先順位を割り当てることで構成する請求項７０に記載の方法。
【請求項９７】
前記割り当てが任意チャンスに基づいてなされる、または要因の方法はそれからか消費者年齢、健康状態、感受性から病原体の浸透性または毒性への、または組合せから成り立っているグループ選ぶことを含む、請求項９６に記載の方法。
【請求項９８】
それ以上のステップをワクチンの用量の管理の目録で構成し、ワクチンの用量の再命令、または両方を可能にする請求項７０に記載の方法。
【請求項９９】
ステップを前記電子データベースの量のタイプを特定の位置に配られるべきワクチン確立するために分析で構成する請求項７０に記載の方法。
【請求項１００】
ステップを前記電子データベースのワクチン接種の配分を特定の時に定めるために分析で構成する請求項９９に記載の方法。
【請求項１０１】
ステップを特定の位置への出荷のためのワクチンの１つ以上の用量の包装を可能にすることで構成する請求項７０に記載の方法。
【請求項１０２】
それ以上のステップをワクチン接種の消費者にワクチンのそれから予約用量、または組合せを分配するワクチンの管理の貯蔵で構成する請求項９８に記載の方法。
【請求項１０３】
それ以上のステップをワクチンの用量の配分か再分配を可能にするためのワクチンの用量の管理の目録で構成する請求項９８に記載の方法。
【請求項１０４】
ステップをワクチンの用量の位置の追跡で構成する請求項９８に記載の方法。
【請求項１０５】
ステップをワクチンの用量の生産以来の時間の追跡で構成する請求項９８に記載の方法。
【請求項１０６】
ステップをワクチンの用量によって生産の後で経験される環境条件の追跡で構成する請求項９８に記載の方法。
【請求項１０７】
管理の目録の前記ステップが更に、
（ａ）ワクチンの用量に添付されるコンピュータ可読な札；そして
（ｂ）読むために形成された電子読者は札、
を含む請求項９８に記載の方法。
【請求項１０８】
ステップを管理のためにワクチンの用量をワクチンの供給確保している前述のユーザに伝達し合うことで構成する、請求項７０に記載の方法。
【請求項１０９】
ステップを前記ワクチンの管理のための特定の任命を確立するためにワクチンの用量を確保している前記ユーザを可能にすることで構成する請求項７０に記載の方法。
【請求項１１０】
ステップをワクチン接種の管理の人員の予定された任命に会うために経営で構成する請求項１０９に記載の方法。
【請求項１１１】
ステップをワクチン接種の議定書の承諾の証明を可能にすることで構成する請求項７０に記載の方法。
【請求項１１２】
それ以上のステップを、医者、健康の計画、学校、雇用者、または組合せから成り立っている前記情報の適切な受け手それから政府関係機関に前記証明の報告を可能にすることで構成する請求項１１１に記載の方法。
【請求項１１３】
それ以上のステップを前述のワクチンに関して得、報告の消費者応答データを可能にすることで構成する請求項７０に記載の方法。
【請求項１１４】
前記データがそれから効力、悪影響、副作用、不利なでき事、または組合せから成り立っているグループから選ばれる物理的な応答から成り立つ、請求項１１３に記載の方法。
【請求項１１５】
前記報告がワクチン接種の生産者に作られるか、ワクチン接種の提供者、政府関係機関、健康、それから医者、消費者組織、システムユーザ、消費者、または組合せ計画する請求項１１３に記載の方法。
【請求項１１６】
前記データがワクチン接種サービスで消費者評価を構成する、ワクチン接種の消費者が提供者の間で区別することを可能にするように評価およびランキングから成っているグループから選ばれた評価データを含む請求項１１３に記載の方法。
【請求項１１７】
ステップを被寄付者がワクチンを必要として受け手にワクチンの１つ以上の用量を寄付することを可能にすることで構成する請求項７０に記載の方法。
【請求項１１８】
ステップを慈悲深い資金集めをする活動を提供で構成する請求項７０に記載の方法。
【請求項１１９】
前記慈悲深い資金集めをする活動が貢献の懇請することおよび受け入れから成り立つ、資金集めをするでき事を組織し、資金集めをするでき事を発表し、懇請し、そして補助金を受け取り、それから見合い調達、または組合せを懇請し、そして受け取る請求項１１８に記載の方法。
【請求項１２０】
ステップを慈悲深いギフトによってワクチンの１つ以上の用量を受け取る承認のための検討の受信者候補で構成する請求項７０に記載の方法。
【請求項１２１】
ステップを慈悲深いギフトによってワクチンの１つ以上の用量を受け取るために承認される受け手の登録で構成する請求項１２０に記載の方法。
【請求項１２２】
ステップを受け手へのワクチンの用量の分配を提供で構成して慈悲深いギフトによってワクチンを受け取るために登録した請求項１２１に記載の方法。
【請求項１２３】
ワクチンの前記慈悲深いギフトの用量が再分配された余分なまたは残りの用量である、請求項１２２に記載の方法。
【請求項１２４】
それ以上のステップか現れるか、またはシステムユーザへワクチン接種の消費者および予約にワクチンを選ぶことで助ける前述の脅威の通知を提供することに予測の病原性のある脅威を存在の、評価で構成する請求項７０に記載の方法。
【請求項１２５】
前記脅威がワクチン接種の消費者によって完了された旅行から起こる病原性のある露出の危険に関連しているかそれ以上のステップを、および追跡の消費者旅行で構成する請求項１２４に記載の方法。
【請求項１２６】
ステップをシステムユーザへ教育材料を提供することで構成する請求項７０に記載の方法。
【請求項１２７】
前記教育材料がワクチンのそれから病原性のある脅威、用量、伝染の処置または回避のためのワクチン接種プロセス、補足方法、季節的な衞生教育、または組合せに関して情報を構成する、請求項１２６に記載の方法。
【請求項１２８】
ステップを管理の未来のワクチン接種で構成する請求項７０に記載の方法。
【請求項１２９】
ワクチンが前述のワクチン接種の消費者に管理のために適切または不適当であること、それ以上のステップをワクチン接種の消費者のスクリーニングの記録で構成し、通知をユーザに提供する請求項１２８に記載の方法。
【請求項１３０】
ステップを周期的なワクチン接種のための必要性のユーザへメモを提供することで構成する請求項１２８に記載の方法。
【請求項１３１】
前記周期的なワクチン接種が多数注入のワクチン接種のコースから成り立っているグループから選ばれるか、季節的なワクチン接種、学校ワクチン接種を、仕事要求したそれからワクチン接種、旅行によって要求されたワクチン接種、小児科のワクチン接種のコース、周期的なブースターのワクチン接種、または組合せを要求した請求項１３０に記載の方法。
【請求項１３２】
それ以上のステップか現れるか、またはユーザへワクチン接種の消費者および前述の脅威の通知を提供することに予測の病原性のある脅威を存在の、評価で構成する請求項１２
８に記載の方法。
【請求項１３３】
前記脅威が意図されていた消費者旅行に関連している、請求項１３２に記載の方法。
【請求項１３４】
それ以上のステップを地方ワクチン接種率を監視し、危険度が高い地域を報告することで構成する請求項１２８に記載の方法。
【請求項１３５】
ステップをワクチン接種製品のためのワクチン接種の提供者の責任を限るワクチン接種の消費者の一致の保証で構成する請求項７０に記載の方法。
【請求項１３６】
ステップを前述のシステムの多言語操作能力を可能にすることで構成する請求項７０に記載の方法。
【請求項１３７】
（１）大幅にワクチンの少なくとも１つの用量への個々のワクチン接種の消費者アクセスを保証するための方法または（２）少なくとも１のワクチン接種の生産者に季節的なワクチン接種の生産の量を、または、ステップを構成する自動化された、消費者運転された、ワクチン接種の予約の管理システムを使用して（１）および（２）定めるためにデータを与える：
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；そして
（１）ワクチンの１つ以上の用量を確保するためにワクチン接種の消費者からのワクチン接種の予約を（２）受け入れるか、またはしっかり止めて財政の補償のためのそう確保されたワクチンの以上１の用量（３）処理しそう、か（４）ステップの組合せが（１）確保される、ワクチンの未使用の用量を寄付することを前記ユーザ（２）、および（３）可能にする、方法。
【請求項１３８】
ワクチンの１つ以上の用量はワクチン接種の源の大多数から予約がある、請求項１３７に記載の方法。
【請求項１３９】
ステップを構成する消費者運転された予約の管理システムを使用して季節的なワクチン接種の要求に季節的なワクチン接種の供給をマッチさせるための方法であって、
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；そして（１）前述のそう季節的なワクチン接種の生産の量を、か（４）組合せに（１）定めるために、（３）受け入れるか、またはしっかり止めステップの少なくとも１のワクチン接種の生産者確保される、ワクチンの少なくとも１の用量のためにワクチンの少なくとも１つの用量を、（２）処理し財政の補償を確保するためにワクチン接種の消費者からのワクチン接種の予約を（２）、および（３）データへのアクセスを与える方法。
【請求項１４０】
ステップを構成する消費者運転されたワクチン接種の予約の管理システムを使用するワ
クチン接種の提供者に財政の危険を減らすための方法であって、
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；そして
（１）ワクチンの少なくとも１つの用量を、（２）処理し前記ワクチン接種の消費者からの少なくとも部分的な支払の保証をそう繰り返しの予約購読のために、（３）保証し前記ワクチン接種の消費者確保されるワクチンの少なくとも１の用量確保するためにワクチン接種の消費者からのワクチン接種の予約をからの多数ワクチンに責任、か（４）ステップの組合せを（１）、（２）、および（３）保証する、方法。
【請求項１４１】
ステップを構成する消費者運転されたワクチン接種の予約の管理システムを使用するワクチン接種の提供者に財政の危険を減らすための方法であって、
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；
ワクチン接種の提供者の責任を限るそして（１）ワクチン接種の消費者からのワクチン接種のそう確保されたワクチンの少なくとも１の用量ワクチンの少なくとも１つの用量を、（２）前記ワクチン接種の消費者からの少なくとも部分的な支払の保証を保証して確保するために予約を処理することはワクチン接種製品に（３）ワクチン接種の消費者の一致、か（４）ステップの組合せを保証して（１）、（２）、および（３）関連していた、方法。
【請求項１４２】
その上に繰り返しの予約購読のための前述のワクチン接種の消費者からの多数ワクチンへ責任を保証することでステップを構成する請求項１４１に記載の方法。
【請求項１４３】
操作可能な消費者運転されたワクチン接種の予約の管理システムを使用して病原性のある感染率をステップを構成するワクチンの用量を確保するために減らすための方法であって、
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；そして
（１）大幅に自動化されたシステムをワクチンの用量を、（２）ために提供し大幅に自動化されたシステムを選び、発注する、（３）寄付されたワクチンを必要としてワクチン接種の消費者を登録するために提供し大幅に自動化されたシステム、か（４）ステップの組合せを（１）、（２）、および（３）ワクチンにワクチン接種か財政の補償を寄付するために提供する、方法。
【請求項１４４】
操作可能な消費者運転されたワクチン接種の予約の管理システムを使用して病原性のあ
る感染率をステップを構成するワクチンの用量を確保するために減らすための方法であって、
（ａ）ワクチン接種の予約の管理情報を受け取り、貯えるために形成して顧客ソフトウェアをもらう少なくとも１つの電子データベースを提供する；
（ｂ）形成して少なくとも１の記憶媒体をもらう少なくとも１つの電子計算機システムを前記電子データベースを催すために提供する；
（ｃ）少なくとも１つの人間インターフェイスをワクチン接種の予約の管理情報が前述の電子データベースシステムとシステムユーザの間で伝達し合われることを可能にするために提供する；
（ｄ）予約にワクチンを選ぶことで助けるために存在しているか、現れるか、または予測の病原性のある脅威の通知をワクチン接種の消費者に提供する；そして
（１）大幅に自動化されたシステムをワクチンの用量を、（２）ために提供し大幅に自動化されたシステムを選び、発注する、（３）寄付されたワクチンを必要としてワクチン接種の消費者を登録するために提供し大幅に自動化されたシステム、か（４）ステップの組合せを（１）、（２）、および（３）ワクチン、またはワクチン、または両方に財政の補償を寄付するために提供する、方法。
【発明の詳細な説明】
【技術分野】
【０００１】
（１．発明の分野）
正確に季節的なワクチン提供する、コンピュータ実行された電子システムに最も広く関連付ける発明の分野（または他の健康重大か生命重大な薬剤）の生産、配分、管理、および／または投与後の評価を管理するための改善された方法を含む季節的な消費者需要に季節的なワクチン接種の供給を、マッチさせるために改善された方法に関する。より詳細には、本発明は、優先する具体化で大幅に、自動化されるに、非常に消費者運転されたワクチン接種の予約システムの使用が季節的なワクチンのための消費者需要は十分にそして一貫して会うためにことができる、不必要な財政の危険へより広いヘルスケア工業内のワクチン接種、公衆衛生代理店、開業医、および／または他の認識した党の生産者を服従させないで有効な平均を提供することを保障するためにという、有効な生産を、健康重大の長生産導時間季節的なワクチンの配分促進するための試作期間消費者運転されて、ワクチン接種の予約システム、管理、および／または投与後の評価（例えば、インフルエンザまたは「インフルエンザ」のウイルスワクチン）関連している。
【背景技術】
【０００２】
（２．産業的な背景）
背景は、年次か季節的なワクチンのためのヘルスケアの消費者の必要性を（例えば、インフルエンザまたは「インフルエンザ」のウイルスワクチン）、ヘルスケア工業認識した政府の健康機関と共に満たすために現在相当な量時間、努力および財源そのような年次か季節的なワクチンが十分に消費者需要に応じること十分な量で一般に作り出され、配られることを保障する費やす（ワクチンを受け取りたいすなわち、あらゆる人は料金のために、が頻繁にそうする機会がある）。但し特定の季節の間に未使用なら、普通限られた保存性や退行の結果として破壊されなければならない不必要なワクチンの余分な生産過剰と関連付けられる無駄な費用を避ける、ヘルスケア工業および認識した政府の健康機関はまた相当な量時間、努力および財源費やす。したがって、ヘルスケアの企業の専門家や政府当局はこうして一般に同時に可能なすばらしい範囲２つの頻繁競争の目的に、会うように要求される：（１）よいヘルスケア（ワクチンにフルアクセス例えば、保障）を提供すること、および（２）余分な出費を避け（例えば、ワクチンの総体の生産過剰を避ける）。
【０００３】
確実に両方の目的にかなうように、より広いヘルスケア工業はワクチンのために季節的な消費者需要に季節的なワクチン接種の供給を（すなわち、生産や配分の量を確立する）マッチさせる正確な方法が要求し。但し、消費者需要の極めて変わりやすい性質、および様々な病原体（インフルエンザウイルスのような）、ヘルスケア工業および政府の健康機関の変数および幾分予測不可能な性質ワクチン接種の生産の長いプロセスが大きい部分で原因で現在大きい難しさ−および限られた成功だけ経験しなさい−正確に季節的なワクチン接種の要求に季節的なワクチン接種の供給をマッチさせる年次試み。
【０００４】
ワクチンの生産者が理想的にワクチンを作り出すことを好むことさらに詳しく、最初ノートは季節（例えば、「インフルエンザ」の季節）の間に知られていた消費者需要に基づいていた。残念ながら、ワクチンのための生産導時間はそれがおよび／または一時的に実行可能季節の間に消費者需要に基づいてワクチンを作り出すために経済的に現在ないこと持続期間（インフルエンザウイルスワクチンのための既存の大量生産方法を使用して持続期間例えば、およそ４か月）で十分に長いそのような物。その結果、生産者は実際の消費者需要が知られている前に代りに正確に次の季節の間に（前の統計量によって）ワクチンのための要求を推定するか、または予測するように試みなければなり次に数月特定の生産
の量に託す。すべての予測は間違いの量に応じて一般にあるが更に、この特定の予測の練習はそれからある特定の病原体か緊張にヘルスケアの消費者によって感知された季節的な脅威への直接反応で一般に変動するワクチンのための極めて変わりやすく、（頻繁に気まぐれ）季節的な要求によってはるかに困難になされる。予測の要求の難しさはある特定の病原体が、インフルエンザのような、および／またはブレイクアウト規則的に変異しがちであるけれどもいい加減に、そして未知の厳格と更に悪化させるという事実によって。ワクチンの生産者が生産の量を確立し、生産を始めるように要求された後更に、固まり媒体および、もっととりわけ、機能は広い人口内のヒステリーの重要なレベルを引き起こす根本的に長い季節的なワクチンのための要求を変えることができる。
【０００５】
最終的に科学であると、季節的なワクチン接種の要求を予測するのに使用される現在の方法が（従って正確な生産の量を確立するため）、実際に、その位技術あり。その結果、そのような予測基づかせていた方法は非常に信頼できなくそして従ってかなりの危険−にワクチンの消費者およびワクチンの生産者を両方さらしがちである。
【０００６】
（３．関連技術）
ａ．従来技術の記載
多くの異なった予約システムの記述は様々な商業および非営利的な活動のために世界中である；但し、興味の関連技術−主に季節的なワクチン接種の要求に季節的なワクチン接種の供給をマッチさせるためのより広いヘルスケア工業内の現在か慣習的な操作上の練習の形で−現在の発明を表わさないし、提案しない。
【０００７】
端的に説明すると、前の関連技術は季節的なワクチン接種の需要と供給に一致させるように試みに様々な方法を提供する。但し、従来技術のそのような方法はすべて普通前の季節の間に（１）同じようなワクチンのための歴史的消費者需要および／または次の季節の間に（２）感知されたか、または推定相対的で季節的な病原性のある脅威に主として基づいて季節的なワクチンのための未来の要求を（そしてこうして季節的なワクチンのための生産や配分の量を確立するため）推定しか、または予測し、によって需要と供給に一致させるように試みる。
【０００８】
それは開いた文献の内で主に具体化されたりおよび／または関連分野でプロの経験を持っているそれらの共通知識によって立証されるそのような従来技術注意されるべきである。したがって、特定の従来技術の参照（例えば、パテント等）はここに引用されない。それにもかかわらず、従来技術（ワクチン接種の生産や配分の量を定めるためのヘルスケア工業内のすなわち、共通知られていた慣習的な操作上の練習）のより近い検討ははっきりその多くの限定を明らかにする。
【０００９】
従来技術の限定に関して、前に注意されるように、季節的な要求にワクチンの季節的な供給をマッチさせるためのどの予測基づかせていた方法でも（すなわち、十分な生産や配分の量を定め）一般にワクチンにとって、けれども（１）フルアクセス保障の普通競争の、同時目的を極めて重要な２間の非常に失策の多い「妥協」および（２）伴い総体の生産過剰の費用そして無駄を避ける。特定の生産の量へのシーズン前の決定か責任の形で普通具体化される準の妥協が生産過剰の適当な量の方に歴史的に計画的に偏られることに従来技術の方法の不利な結果を最小にするためには、需要と供給間の十分な安全範囲を提供するために、注目しなさい。
【００１０】
そのような競争の目的がある特定の季節の間首尾よく管理されれば、わずか余分なワクチンだけが作り出される、それにより限られた無駄に終って。表面上は現実的が、生産過剰の適当な量が非常に高い場合もあることが強調されるべきである。但し、従来技術のそのような予測基づかせていた方法を使用してこれらの競争の目的の管理の固有の難しさの
結果として（もう一度、難しさは消費者需要のワクチン接種の生産、極めて変わりやすく、頻繁に気まぐれな性質、および様々な病原体の変数および幾分予測不可能な性質の長いプロセスが大きい部分で原因である）、従来技術の予測基づかせていた方法はかなりの危険−にワクチンの消費者およびワクチンの生産者を両方さらす。次に示されるように、更にずっと季節的な要求にワクチンの季節的な供給をマッチさせるためのそのような長い伝統がある、業界標準の、予測基づかせていた方法は（および残しなさい）危険なほどに不正確である。
【００１１】
より詳細には、（１）ワクチンへよいヘルスケア（フルアクセス例えば、保障）を提供することのこれら二つの競争の目的ことに注意することは重要でありおよび（２）余分か不必要な出費を避けて（例えば、総体の生産過剰を避ける）ふつうは適用できる世界的がありなさい；但し、これらの競争の目的は、現在米国（米国）の内で見つけられるそれのようなヘルスケア・システム−を基づいて、市場に目を向けた、自由企業−もらう世界の地域の重大な重要性をもつ。生産の量が相対的な感知された脅威か危険ができるように次の新しいからの「季節」、病原体の非常に伝染性、および／または非常に致命的な緊張調節されるが、（示す政府の健康機関を代表しているヘルスケアの企業の専門家や人員によって感知される）さらに詳しく、ノート、そのような市場に目を向けた経済（例えば、米国）の例えば、ワクチンのための歴史的年次か季節的な消費者需要に年次ワクチン接種の生産の量、もう一度、一般に基づいている（例えば、インフルエンザまたは「インフルエンザ」のウイルス）の間に普通。開業医、政府の健康機関と協力して、および／または他の組織働いているワクチンの生産者が一般に幾分適度な正確さとある特定の１年または季節のための消費者需要を予測できるがワクチンの主要な不足は（余分な生産過剰と同様、）、それにもかかわらず、厳しい結果に終って（および歴史的に起こりなさい）起こることができる。
【００１２】
従来技術の予測基づかせていた方法の失敗の１つの例として、２００２〜２００３年の間にインフルエンザワクチンのための予想に反して低い要求の結果として状態を「インフルエンザ」の季節結合する最初ノートは、ワクチンの多くの用量未使用に行き、ワクチンおよび／またはヘルスケア工業の内の他の生産者にそれにより重要な財務上の損失を表す。
【００１３】
従来技術の失敗の第２例として、２００２〜２００３年のインフルエンザの季節の間にインフルエンザワクチン、前のインフルエンザの季節の低い要求に、一部には、基づいて２００３〜２００４年のインフルエンザの季節のためのワクチンによって減らされる生産の量の生産者のための予想に反して低い要求に応じてそれに注意しなさい。残念ながら、早くそしてインフルエンザの季節の内の消費された非常に早くそして（２）国のほとんどの地域のワクチンの概要不足をそれにより（１）ワクチンのすべてのすぐに利用できる用量する珍しい厳格と、始まる２００３〜２００４年のインフルエンザの季節。ワクチン接種の供給のこの不足が政府および医療サービス提供者によって仕事や学校で不必要な病気、生命の損失、ワクチン接種の管理のための時間の無駄、長い待ち行列、ワクチンの配分、人口のある特定の敏感なセクター内の一般的なパニックまたはヒステリーで起因した、および多数社会への他の不利な結果強調されることが強く−季節的なワクチン接種の供給および季節的なワクチン接種の要求に一致させるための従来技術の予測基づかせていた方法がある特定の季節の間非常に不正確だったのですべて。
【００１４】
従来技術の失敗の第３例として、２００３〜２００４年のインフルエンザの季節の間にことにインフルエンザのワクチン接種のベテラン、ワクチンの前のインフルエンザの季節の間に経験される供給不足に、一部には、基づいて２００４〜２００５年のインフルエンザの季節のための大幅に増加された生産の量の生産者の不足に応じて注目しなさい。残念ながら、製造の難しさにより（特に、１人の主要な生産者の生産の間のワクチンの汚染）
２００４〜２００５年のインフルエンザの季節の国家のインフルエンザのワクチン接種の供給のおよそ半分（またはおよそ５０，０００，０００の用量）の回復不可能な損失を引き起こした。その結果、第２連続したインフルエンザの季節の間、インフルエンザワクチンの厳しい不足は国のほとんどの地域中存在していた。当然予期された通り、ワクチン接種の供給のこの不足は政府および医療サービス提供者によって仕事や学校で不必要な病気、生命の損失、ワクチン接種の管理のための時間の無駄、長い待ち行列、ワクチンの配分、社会に人口のある特定の敏感なセクター内の一般的なパニックまたはヒステリー、および他の不利な結果多数で、もう一度、起因した−季節的なワクチン接種の供給および季節的なワクチン接種の要求に一致させるための従来技術の予測基づかせていた方法が、もう一度、ある特定の季節の間非常に不正確だったのですべて。
【００１５】
これらの例を考えると、それはワクチン接種の生産の量を確立するための従来技術の現在の予測基づかせていた方法が消費者に非常に重要な危険を、生産者への供給側と要求側面の両方示すことはっきり明白である。
【００１６】
ヘルスケアの消費者への要求側面の危険に関して、一般にインフルエンザワクチンを季節的に受け取るべきである誰がこれらの危険が幼児、年配者、および／または弱められた免疫組織、すべてとのそれらに最も大きいことに注目しなさい。但し、従来技術の方法の下で、これらの人に現在ワクチンがそれらに利用できることを保障するための平均がないことに注目し、それにより危険な状態の健康を置く。「危険度が高い」ように分類されるかもしれないこれらのヘルスケアの消費者の何人かのためにより悪い季節的なワクチンへの信頼できるアクセスは頻繁に健康の維持および／または生命の保存に重大である。
【００１７】
ワクチンの生産者への供給側の危険に関して、そのようなため利益を得なさいこと最初ノートはヘルスケア企業期待される不必要な財政の危険を最小にするための全力を尽す。更に、そのような生産者はそれがほしいと思うかもしれないすべての人のためのワクチンを作り出すことを単にできることができない：そうすることは生産者が３から５回大部分の典型的で季節的な要求未使用に行くワクチンのための数回を（例えば、）作り出すように要求する。最終的に、そのような余分な差益か生産過剰は、少なくとも、無駄であり、ワクチンの生産者におよび／または生産者の投資を保証する政府の健康機関（か他の実体）に財政上有害か荒廃する。
【００１８】
（ｂ．従来技術の短所）
要約すると、季節的なワクチン接種の供給および季節的なワクチン接種の要求に一致させるための従来技術の予測基づかせていた方法はワクチン接種の消費者とワクチン接種の提供者に多数の不利な点を、表す。従来技術のこれらの多くの不利な点は含んでいるが、限られない。
【００１９】
１．従来技術は季節的に伝染の不必要な危険−に意図されていたワクチン接種の消費者、仕事または収入の病気、損失、他の不利な結果および多分死をさらす大幅に１つ以上の季節的なワクチンへの個々の消費者アクセスを保障するために有効な平均を提供しない（または特定の医学要求されたタイプまたは形作るためのワクチンに）、それにより。
【００２０】
２．従来技術は正確に季節的なワクチン接種の需要と供給に一致させるために信頼できる平均を提供しない（すなわち、正確な生産や配分の量を確立し）、ワクチン接種の需要と供給間の重要で全面的なおよび／またはローカル不均衡に頻繁に導く。多分厳しい健康や経済的な結果へ複雑な党を服従させることに加えて、従来技術はまた頻繁にヘルスケアの企業や政府の健康機関内の人員にそれから重要なワクチン接種不足や結果を管理するために事変対処計画を実行させる。
【００２１】
３．従来技術はワクチン接種配達および管理前に消費者から生産費を（または委任状）（および／または消費者の代表または代理人）捕獲するか、または保証するためにそれから有効な平均提供しない不必要な財政の危険にそれによりそのような生産者や彼らの財政の保険業者を（を含む政府の健康機関）服従させる。
【００２２】
４．従来技術は意図されていたワクチン接種の消費者に関するワクチン接種の生産者地理的な情報への消費者からの正確に捕獲しか、または得、そして提供に有効な平均を提供しないワクチンのそれにより困難な正確な、時機を得た地理的配分を不必要に作る。従って、従来技術の方法はローカル不足やローカル供給過剰の可能性（および実質発生）で需要と供給間の全面的なバランスにもかかわらず、起因する。
【００２３】
５．実際に種痘するべき消費者を促すことおよび／または奨励することために有効な平均を提供する従来技術の失敗。さらに従って、一般的な医学の任命によってかオフィスの訪問以外、従来技術は多数が医学のオフィスの外で（例えば、コミュニティ学校の体育館、ローカル食料雑貨品店または薬学で、等）与えられる、提供しないし任命のために一般に効果的に既存の医学の下部組織を利用できない簡単なワクチン接種を予定するために容易に入手しやすい平均を。
【００２４】
６．従来技術は１つ以上のワクチンまたは他の薬剤のワクチン接種後の評価に有効な平均を提供しない。
７．有効な平均を個人か他の後援者をギフトに提供するか、またはワクチンを必要としてそれらに１つ以上のワクチンを寄付する従来技術の失敗慈悲深く割り当てることしかし不十分な財政の平均を持っていることに。
【００２５】
８．従来技術は（１）そのような危険を軽減するか、または除去して利用できるかもしれない（２）ワクチンまたは一般的なおよび／または特定の病原性のある危険に関するワクチン接種の消費者を教育するために有効な平均を提供しない。さらに、従来技術は計画または管理の個人的なワクチン接種にワクチン接種の消費者に有効な平均をそのうちに提供しない。
【００２６】
１つがこの文書のそれに続くセクションを読むので、従来技術に多数他の不利な点があることはかなり明確になる。
したがって、そこに季節的な消費者需要にワクチンの年次か季節的な供給を（すなわち、生産や配分の量）マッチさせる正確な方法のための全体的なヘルスケア工業内に継続一般的な必要性に残る。これらの未達成の必要性ははっきり十分にそして独特にこれらの必要性を満たす現在の発明の価値を強調する。
【発明の開示】
【発明が解決しようとする課題】
【００２７】
現在の発明、優先する具体化で、非常に消費者運転されたワクチン接種の予約システムの使用が大幅に保障するか、または季節的なワクチンのための消費者需要は十分にそして一貫して会うためにことができる、過度な財政の危険へワクチンの生産者および／またはヘルスケア工業と関連付けられる他の認識した党を服従させないで有効な平均や方法を提供することを保証するためにという、自動化されて、有効な生産を、健康重大の配分促進するための試作期間消費者運転されて、季節的なワクチン接種の予約システムおよび管理、長生産導時間季節的なワクチン（または他の薬剤）。非常に消費者運転されたワクチン接種の予約システムから成り立つ物理的な要素に加えて現在の発明はまた季節的な消費者需要と、正確に含む様々で独特な操作上方法を（例えば、正確に）一致の季節的なワクチン接種の供給のための他の中で、これまで認められていない方法表し、それによりかなり季節的なワクチンの時機を得た、経済的な生産、配分、および／または管理を促進する。
【課題を解決するための手段】
【００２８】
従って、発明主題は大幅に動作可能に接続される次の要素保証するために、形成される自動化された、消費者運転された、ワクチン接種の予約システムにから成り立つワクチンの用量へのワクチン接種の消費者アクセスを関連している：
ワクチン接種の予約情報を受け取り、貯えるために形成される少なくとも１つの電子データベース；
言われた電子データベースを催すために形成される少なくとも１の記憶媒体を持っている少なくとも１つの電子計算機システム；
言われたワクチン接種の予約情報が言われた電子データベースシステムとシステムユーザーの間で伝達し合われることを可能にするための少なくとも１つの人間インターフェイス；そして
ワクチン接種の予約情報、言われた予約ワクチンのためにワクチンの用量を財政の補償を処理するために試作期間の基礎のワクチンの少なくとも１の用量を、操作可能な言われた顧客ソフトウェア確保することを望んでいるユーザーを可能にするために操作可能な言われた顧客ソフトウェアおよび季節的なワクチン接種の生産の量を定めるために使用にシステムユーザーへワクチン接種の予約情報を操作可能な言われた顧客ソフトウェアを処理するために少なくとも１のデータベースそして操作可能言われるにインターフェイスを提供する少なくとも１つの記憶媒体言われるに存在する顧客ソフトウェア提供するために少なくとも１のワクチン接種の生産者によって確保するために。
【００２９】
それ以上の発明主題は大幅に動作可能に接続される次の要素保証するために、形成される自動化された、消費者運転された、ワクチン接種の予約システムにから成り立つワクチンの用量へのワクチン接種の消費者アクセスを関連している：
ワクチン接種の予約情報を受け取り、貯えるために形成される少なくとも１つの電子データベース；
言われた電子データベースを催すために形成される少なくとも１の記憶媒体を持っている少なくとも１つの電子計算機システム；
言われたワクチン接種の予約情報が言われた電子データベースシステムとシステムユーザーの間で伝達し合われることを可能にするための少なくとも１つの人間インターフェイス；
ワクチン接種の予約情報、言われた予約ワクチンのためにワクチンのユーザーが言われたユーザーがワクチンの未使用の用量を寄付することを可能にするためにワクチンの以上１の用量を確保することを、望んでいるユーザーを可能にするために操作可能な言われた顧客ソフトウェアおよび操作可能な言われたソフトウェアを処理するために少なくとも１のデータベースそして操作可能言われるにインターフェイスを提供する少なくとも１つの記憶媒体言われるに存在する顧客ソフトウェアは確保することを可能にするために財政の補償を処理するために試作期間の基礎のワクチンの少なくとも１の用量を、操作可能な言われた顧客ソフトウェア、操作可能な言われた顧客ソフトウェア確保するために用量をそう確保した。
【００３０】
それ以上の発明主題は大幅にワクチンの少なくとも１つの用量への個々のワクチン接種の消費者アクセスを保証するおよびステップを構成する自動化された、消費者運転された、ワクチン接種の予約システムを使用して季節的なワクチン接種の生産の量を定めるためにデータを少なくとも１のワクチン接種の生産者に与える方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データ
ベースシステムとシステムユーザーの間で伝達し合われることを可能にするために提供する；
ワクチン接種の消費者からのワクチン接種の予約のワクチンの少なくとも１つの用量を確保するために処理；そして
言われたワクチン接種の予約システムは大幅に保証するために言われたワクチン接種の消費者がワクチンの少なくとも１の用量を確保することを可能にするというそう確保されたワクチンの少なくとも１つの用量言われるのための財政の補償を受け入れるか、またはしっかり止めて予約ワクチンへの消費者アクセスをおよび少なくとも１のワクチン接種の生産者に季節的なワクチン接種の生産の量を定めるためにデータへのアクセスを与えるために言った。
【００３１】
発明主題は大幅にワクチンの少なくとも１つの用量への個々のワクチン接種の消費者アクセスを保証するおよびステップを構成する自動化された、消費者運転された、ワクチン接種の予約システムを使用して季節的なワクチン接種の生産の量を定めるためにデータを少なくとも１のワクチン接種の生産者に与える方法にその上に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの１つ以上の用量を確保するために処理；
そう確保されるワクチンの前述の１つ以上の用量のための財政の補償を受け入れるか、またはしっかり止める；そして
言われたユーザーがワクチンの未使用の用量を寄付することを可能にすることはそう確保した。
【００３２】
更に、発明主題は消費者運転された予約システムを使用してステップを構成する季節的なワクチン接種の要求に季節的なワクチン接種の供給をマッチさせるための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
前述のそう確保されるワクチンの少なくとも１つの用量のための財政の補償を受け入れるか、またはしっかり止める；そして
少なくとも１人のワクチン接種の生産者に季節的なワクチン接種の生産の量を定めるためにデータへのアクセスを与える。
【００３３】
さらに、それ以上の発明主題はステップを構成する消費者運転されたワクチン接種の予約システムを使用するワクチン接種の提供者に財政の危険を減らすための方法に関連している：
ワクチン接種の予約情報を受け取り、貯えるために形成して顧客ソフトウェアをもらう
少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
そう確保されるワクチンの少なくとも１つの用量言われるのための言われたワクチン接種の消費者からの少なくとも部分的な支払の保証を保証する；そして
繰り返しの予約購読のための前述のワクチン接種の消費者からの多数ワクチンに責任を保証する。
【００３４】
更に、それ以上の発明主題は操作可能な消費者運転されたワクチン接種の予約システムを使用して病原性のあるステップを構成するワクチンの用量を確保するために感染率を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
ワクチンの少なくとも１つの用量言われるのための言われたワクチン接種の消費者からの少なくとも部分的な支払の保証を保証することはそう確保した；
ワクチン接種の提供者の責任を限るそしてワクチン接種の消費者の一致を保証することはワクチン接種製品に関連していた。
【００３５】
発明主題はまた操作可能な消費者運転されたワクチン接種の予約システムを使用して病原性のあるステップを構成するワクチンの用量を確保するために感染率を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
予約にワクチンを選ぶことで助けるために存在しているか、現れるか、または予測の病原性のある脅威の通知をワクチン接種の消費者に提供する；そして
大幅に自動化されたシステムをワクチンの用量を選び、発注するために提供する。
【発明を実施するための最良の形態】
【００３６】
現在の発明、優先する具体化で、大幅に自動化されて、有効な（例えば、正確、経済的、時機を得た）生産を、健康重大な、長生産導時間ワクチンの配分促進するための試作期間消費者運転されて、ワクチン接種の予約システム、管理、および／または投与後の評価のような、例えば、季節的なインフルエンザまたは「インフルエンザ」のウイルスワクチン。非常に消費者運転されたワクチン接種の予約システムの実施は大幅に保障するか、ま
たは季節的なワクチンのための消費者需要が十分にそして一貫して会うためにことができる、過度な財政の危険へワクチンの生産者および／またはヘルスケア工業と関連付けられる他の認識した党を服従させないで非常に効果的なシステムや方法を提供することを保証するために。
【００３７】
端的に説明すると、図１は非常に消費者運転されたワクチン接種の予約システムから成り立つ主で物理的な要素を描写するがまた様々な任意および／または余分な要素を示す。図２〜７は大幅に自動化されるを使用して季節的なワクチン（または他の健康重大な、長生産導時間医学製品）の正確で、経済的な、および／または時機を得た生産、配分、管理、および／または投与後の評価を促進するための様々で独特な方法を、普通、一般に試作期間消費者運転される、季節的なワクチン接種の予約システム描写しなさい。
【００３８】
専門用語に関して、ワクチン接種の予約システムがかなり１つ以上の電子計算装置、操作可能で論理的なコンピュータアルゴリズム（および／または顧客のソフトウェアインターフェイス）を利用する、および／または他のオートメーション用具それにより行われるシステムの相当な部分をや方法または機能提供するためにおよび／または行うために示すことを「大幅に」自動化されることに注目しなさい。さらに消費者がなすそのような予約が、必ずしも、かなりに使用されるためにので援助または大幅に確立するあるまたは生産の量を普通がというそれから消費者は（か代表に現在の発明のワクチン接種の予約システムを使用して）ための第一次責任がワクチン接種の予約「運転しなさい」ことを、ここに使用されるように「消費者運転されて」、示す。そのような試作期間の予約に作り出される量のワクチンに影響を与えるか、または影響を及ぼす機能があるという予約がワクチンの生産の開始前に大幅になされるかもしれないことを更に、「試作期間」は示す。
【００３９】
図１〜７に留意されたい。ここに示されるように発明の記述と協力して、現在の発明のそれから複数の特定の具体化（か部分を）提供しなさい；但し発明が描写されるか、またはここに記述されているように物理システムや改善された方法の特定の例に限られないことが、強調される。もっととりわけ、現在の発明は発明の性質から出発しないでそれからこれらのシステムや方法、様々な組合せを含んで、簡素化、および／または他の修正の多数の互い違い構成を、提供する。さらに現在の発明がまた非限る反生物的戦いの代理店や他の新開発および／または限られ供給の代理店を含むかもしれない他の薬剤に非常に適当であることここに表われる発明は季節的なワクチンの生産、配分、および／または管理を促進するための様々な平均や改善された方法として主に記述されているが、注意される、例を。
【００４０】
（従来技術に対する典型的な利点）
優先する具体化の１つ以上の現在の発明、少なくとも８つの重要な点の関連技術（季節的なワクチンを作り出すこと、配ること、および／または管理するためのヘルスケア工業内のすなわち、現在の操作上の練習）より普通優秀である：
第１に、現在の発明は、優先する具体化で、大幅に生産前にワクチンを確保することを選ぶすべての消費者のためのワクチンへのアクセスを保障するか、または保証するために操作可能であること関連技術より優秀である。それに対して、現在の医学の操作上の練習はそれによりワクチンへの保証されたアクセスの提供なによって伝染および多分死の不必要な危険−にヘルスケアの消費者をさらすそのような予約システムを、提供しない。更に、それから開いた文献（または別の方法でヘルスケア工業の内で）ヘルスケア工業がここに提案されるように改良されたシステムや方法を熟視した、または利点内に明確な提案がない。
【００４１】
第２に、具体化の１つ以上の現在の発明は、季節的な要求へ季節的な供給に、それによりワクチンの生産不足（すなわち、不足）の危険一致させるためにかなり両方を軽減する
非常に正確な方法を提供すること高い生産過剰の危険と同様、関連技術より優秀、である。それに対して、上で注意されるように、従来技術は、ワクチン接種の需要と供給間の重要な不均衡に頻繁に導き一致させる提供しない、ためのそのよう準備を正確に季節的なワクチン接種の需要と供給にそれにより厳しい健康や経済的な結果をもたらす。
【００４２】
第３に、具体化の１つ以上の現在の発明は、ワクチンの生産者が適切にかなりワクチンの生産者への財政の危険を軽減する試作期間の基礎の消費者によって、それにより確保された大幅にすべてのワクチン補われることを保障すること関連技術より優秀である。それに対して、関連技術は消費者から生産費を（または委任状）（および／または消費者の代表または代理人）捕獲するか、または保証するためにワクチン接種配達および管理前にそれから平均提供し、重要な財政の危険にそれによりそのような生産者や彼らの財政の保険業者を（を含む政府の健康機関）服従させる。
【００４３】
第４に、具体化の１つ以上の現在の発明は、ワクチンを確保した消費者に関する地理的な情報を任意にワクチンの生産者に与えること関連技術より優秀であり、それによりワクチンの正確な、時機を得た地理的配分を促進する。再度従って、関連技術は需要と供給間の全面的なバランスにもかかわらずローカル不足やローカル供給過剰の可能性（および実質発生）に終って地域によって必要性を、それにより、予測するようにヘルスケアの企業の専門家が要求するそのような準備を含んでいない。
【００４４】
第５に、具体化の１つ以上の現在の発明は、ワクチンが予約および／または支払済前になら消費者を実際に（１）ワクチン接種ことをのための特定の任命（例えば、日付、時間、および／または位置）を確立するために容易に入手しやすい任意平均を提供することによって種痘されて得るために促したりおよび／または奨励すること自動的に管理のためのワクチンのおよび／または特定の任命の一般的な供給を消費者にであり、遅延知らせることを関連技術の（２）提供任意平均、健忘性、気晴らしのためにそれによりワクチン接種の欠乏を、等、および／または（３）ワクチン接種に割引かれたか、または減らされた料金を提供することによってのような任意平均ワクチン接種の消費者を、奨励することを提供より優秀減らす生産の開始。従って一般的な医学の任命によってかオフィスの訪問以外、従来技術は多数が医学のオフィスの外で（例えば、コミュニティ学校の体育館、ローカル食料雑貨品店または薬学で、等）与えられる、提供しないし任命のために一般に効果的に既存の医学の下部組織を利用できない簡単なワクチン接種を予定するか、または奨励することために容易に入手しやすい平均を。
【００４５】
第６に、具体化の１つ以上の現在の発明は、１つ以上のワクチンまたは他の薬剤のワクチン接種後の評価に有効な平均を提供すること関連技術より優秀である。
第７に、具体化の１つ以上の現在の発明、関連技術より優秀それらに慈悲深く割り当てるギフトにためにワクチンを必要として有効な平均を個人か他の後援者を１つ以上のワクチン提供する、でありこと不十分な財政の平均を持っている。さらに、現在の発明は個人を登録するために有効な平均をを必要としておよび／または慈悲深いギフトによって１つ以上のワクチンを受け取るために任意に承認されて提供すること関連技術より優秀である。
【００４６】
第８に、（１）そのような危険を軽減するか、または除去して利用できないかもしれない（２）ワクチンまたは一般的なおよび／または特定の病原性のある危険に関するワクチン接種の消費者を教育するために有効な平均を提供すること具体化の１つ以上の現在の発明、関連技術より優秀である。さらに、現在の発明は計画または管理の個人的なワクチン接種にをワクチン接種の消費者に有効な平均与えること優秀である。
【００４７】
１つがこの文書のそれに続くセクションを読むので、それは現在の発明がまた任意に含
んでいる色々他の方法で関連技術へ目上の人であること非制限例として明白である：改善された平均や方法をワクチンへ病気を、不利な反作用防ぐことのワクチンの有効性を報告し、追跡するために提供する、等。
【００４８】
（本発明の特定の目的および利点：）
したがって、それはワクチン接種の消費者を大幅に保障する試作期間の基礎で１つ以上の季節的なワクチンを、一般に、必ずしも、（適した電子予約のデータベースを催すことはインターネット接続された電子計算機システムの使用によって確保されるようにのような）、それにより確保することを許可するために大幅に自動化された平均を（物理システムや１つ以上の操作上方法から成り立つ）提供する現在の発明の主な目的でありがまたは個々の消費者を保証して１つ以上の健康支える季節的なワクチンにアクセスしなさい。さらに、現在の発明のもう一つの密接に関連目的は消費者を選ぶことを許可するために大幅に自動化された平均を提供することであり、ワクチンをの（タイプ）を含む、ワクチン接種の管理（例えば、注入、鼻の霧、口頭、等）の例えば確保するために、方法は、病原体の特定の緊張（）（または病原体）消費者１つ以上のワクチンによって（任意に特定の個人かグループのために１つ以上の習慣作り出されたワクチンを指定する機能を含んで）、および／またはワクチン接種の生産（非アレルギー性の方法から鶏または、代わりに、いくつかの卵内の例えば、病原体の孵化保護されたいワクチン接種の生産の方法）。
【００４９】
現在の発明の第２目的は任意に季節的な消費者需要に季節的なワクチン接種の供給をマッチさせるために大幅に自動化された、普通消費者運転された平均を（消費者によって確保されるワクチンの数の総計によって定められる一部、大幅に自動的にあるおよび／または同時にワクチンの生産不足（すなわち、不足）と、および生産者に財政の危険関連付けられた消費者に両方を健康を損う危険性減らしている消費者の代表が（任意にインターネット接続された、電子計算機システムで催される適した電子予約のデータベースの内で含まれているかもしれないのような）、それにより無駄な生産過剰とワクチン接種の生産の量がには、少なくとも正確に関連付けたという物理システムや１つ以上の操作上方法から成り立つ）提供することでありワクチンの。
【００５０】
現在の発明の第３目的は提供すること任意に更にワクチンの生産者に財政の危険を減らすために大幅に自動化された、普通消費者運転された平均（物理システムや１つ以上の操作上方法から成り立つ）および／またはによってのようなワクチン接種の生産の開始を含む処理する、遠隔購入者からの支払を受け入れるためのインターネット基づかせているか、または「オンライン」電子店、（または他のどの有名な平均）、および／または大幅に自動化された電子コンピュータベースの料金請求システムの例えば、使用前にも他の財政上利害関係者を、ために大幅に自動化されたシステムや方法を十分にまたはそのような予約ワクチンに計算に一部には補償を（例えば、支払を集める）、提供することであり消費者か第三者、保険会社のような、政府の健康プログラム（例えば、医療保障かメディケイド）、等。
【００５１】
現在の発明の第４目的は任意に時機を得た配分を促進するために大幅に自動化された、消費者運転された平均（物理システムや１つ以上の操作上方法から成り立つ）および／または正確に適切な地域にワクチン（タイプそして量両方のワクチンのための会計）を配ることをそれにより生産者が可能にするしかしワクチン接種の予約のデータベースのそのような電子問い合わせに基づいてローカルワクチン接種の管理労働力や設備の必須のサイズを定めることをまた地方医療サービス提供者を可能にする消費者の住所や他の関連した地理的なか人口統計学データを、含んでいる適した電子ワクチン接種の予約のデータベースをただすことによってのような季節的なワクチンの管理を、提供することであり。
【００５２】
現在の発明の第５目的は、それによりかなりワクチン接種のための消費者実際に彼自身
が示す確率を任意に消費者の場所内の管理のためのワクチンの一般的な供給に関する消費者を指示するためにおよび／またはワクチン接種の管理に特定の任命（例えば、日付、時間、位置高める）に関する消費者（および／または消費者の代表）へメモを提供するために大幅に自動化された、消費者運転された平均を（物理システムや１つ以上の操作上方法から成り立つ）提供することであり。
【００５３】
現在の発明の第６目的は改善された情報フィードバックをそれにより有効な平均提供任意に消費者防ぐことのワクチンの効力の点ではワクチンへの消費者の応答を、両方からヘルスケア工業への病気を評価するために大幅に自動化された、消費者運転された平均（物理システムや１つ以上の操作上方法から成り立つ）、および／またはワクチンへ消費者の不利な反作用を、提供すること、であり。
【００５４】
現在の発明の第７目的は、慈悲深く割り当てることしかし不十分な財政の平均を持っていること任意にワクチンを必要としてそれらへギフトへに大幅に自動化された、消費者運転された平均を（物理システムや１つ以上の操作上方法から成り立つ）個人か他の後援者を１つ以上のワクチン提供することであり。現在の発明の密接に関連目的はを必要として個人を登録するためにおよび／または慈悲深いギフトによって１つ以上のワクチンを受け取るために任意に承認されて任意に有効な平均を（物理システムや１つ以上の操作上方法から成り立つ）提供することであり。  
【００５５】
現在の発明の８目的は、任意に（１）そのような危険を軽減するか、または除去して利用できないかもしれない（２）ワクチンまたは一般的なおよび／または特定の病原性のある危険に関するワクチン接種の消費者を教育するために大幅に自動化された、消費者運転された平均を（物理システムや１つ以上の操作上方法から成り立つ）提供することであり。現在の発明の密接に関連目的は任意に計画および／または管理の個人的なワクチン接種にをワクチン接種の消費者（か他の実体に）有効な平均（物理システムや１つ以上の操作上方法から成り立つ）そのうちに与えることであり。
【００５６】
現在の発明のこれらそして他の目的は次の指定およびデッサンのそれ以上の検討に明らかである。但し現在の発明の特定の実施例か明示がそのような機能をすべて行うか、または別の方法で現在の発明のそのような目的にすべて会う必要はないことが、強調される。さらに発明が示されているか、またはここに記述されているように特定の例に限られるように意図されていないことが、強調される。
【００５７】
準の平均の言語によって示される機能の少なくとも部分を行うために操作可能である専門用語に関して、電子計算機そこに実行されるシステムや１つ以上の電子計算のアルゴリズムの１つ以上の物理的な要素と（または一致するため）各先行するパラグラフの準の「平均／機能」言語を定義するように適用のこのセクションの先行するパラグラフの挿入句の表現の使用が「（物理システムや１つ以上の操作上方法から成り立つ）」とりわけ意図されていることに各注目し。
【００５８】
従って、発明主題は大幅に動作可能に接続される次の要素保証するために、形成される自動化された、消費者運転された、ワクチン接種の予約システムにから成り立つワクチンの用量へのワクチン接種の消費者アクセスを関連している：
ワクチン接種の予約情報を受け取り、貯えるために形成される少なくとも１つの電子データベース；
言われた電子データベースを催すために形成される少なくとも１の記憶媒体を持っている少なくとも１つの電子計算機システム；
言われたワクチン接種の予約情報が言われた電子データベースシステムとシステムユーザーの間で伝達し合われることを可能にするための少なくとも１つの人間インターフェイ
ス；そして
ワクチン接種の予約情報、そう少なくとも１のワクチン接種の生産者が季節的なワクチン接種の生産の量を定めるために使用にシステムユーザーへワクチン接種の予約情報を確保するワクチンの少なくとも１の用量言われるのためにワクチンの用量を財政の補償を処理するために試作期間の基礎のワクチンの少なくとも１の用量を、操作可能な言われた顧客ソフトウェア確保するために確保することを望んでいるユーザーを可能にするために操作可能な言われた顧客ソフトウェア提供するために、および操作可能な言われた顧客ソフトウェアを処理するために少なくとも１のデータベースそして操作可能言われるにインターフェイスを提供する少なくとも１つの記憶媒体言われるに存在する顧客ソフトウェア。
【００５９】
発明主題の１つの面では少なくとも１のデータベース言われるにユーザーへのアクセスを提供するために、言われたソフトウェアは操作可能である。
発明主題の別の面では、言われた財政の補償は言われた予約用量のために支払を十分に構成する。
【００６０】
好適な実施形態では、言われた財政の補償は言われた予約用量のための沈殿物を構成する。
別の好適な実施形態では、言われたソフトウェアは財政責任が言われた予約用量の支払のためになされた後払戻し可能な保証金を処理する。
【００６１】
発明主題のそれ以上の面では、ソフトウェアがワクチン接種を促進するためのユーザーに補償を処理するために操作可能であることを言った。
発明主題の代替の面では、ソフトウェアが未来のワクチン接種の予約のための財政の補償を処理するための財政の信頼の確立を提供のために操作可能であることを言った。
【００６２】
発明主題の更に別の面では、ソフトウェアがそれからエスクロー支払、沈殿物、または組合せを提供のために操作可能であることを言った。
発明主題のそれ以上の面では、言われたソフトウェアは言われたユーザーに次の財政の刺激の１つ以上を提供することによって有望なワクチン接種の参加を提供のために操作可能である：
試作期間の基礎でなされる順序のための減らされた費用；
それに続くワクチン接種のための現在のワクチン接種の時間になされる順序のための減らされた費用；
繰り返しの消費者による順序のための減らされた費用；
責任放棄となされた順序のための減らされた費用は消費者代表によって署名した；
ワクチン接種の予約システム企業の公平のホールダーのための減らされた費用；
繰り返しの消費者のためのワクチン接種の予約システム企業の公平分け前の提供；
消費者ワクチン接種の管理の任命のための減らされた費用は予定通り出席した；
消費者指名ピークを過ぎた時間の間予定されるワクチン接種の管理の任命のための減らされた費用；
ワクチン接種の提供者のための減らされた費用；
確保されたグループのための減らされた費用は場所かつて一緒に管理し、；
すべての必須文書との予定された任命の出現のための減らされた費用は前刷りし、完了した；そして
提供者にコストを削減するペーパレスドキュメンテーションの顧客の使用のための減らされた費用。
【００６３】
好適な実施形態では、ソフトウェアがユーザーがワクチンの１つ以上の用量を確保することを可能にするために操作可能であることを言った。
より好適な実施形態では、ワクチンの１つ以上の用量がワクチン接種の源の大多数から
予約であることを言った。
【００６４】
それ以上の好適な実施形態では、言われたソフトウェアは言われたユーザーがそう確保されるワクチンの未使用の用量を寄付することを可能にするために操作可能である。
発明主題のそれ以上の面では、ワクチンの予約用量の合計が少なくとも１人のワクチン接種の提供者言われるに利用できるという言われた電子データベースのワクチンの予約用量の数を総計するために操作可能な言われたソフトウェア。
【００６５】
好適な実施形態では、ワクチンの予約用量の言われた数は実質の時間に情報を大幅に提供して言われたデータベース、操作可能な言われたリンクにアクティブ・リンクによって利用できる。
【００６６】
発明主題の別の代替の面では、言われたシステムはスクリーニングによって言われる記録のために操作可能な言われたユーザーへ通知を提供するために操作可能な少なくとも１つのデータベース、言われたソフトウェアおよび言われたソフトウェアで貯えられるワクチン接種の消費者で更にワクチンが言われたワクチン接種の消費者に管理のために医学的に適切または不適当であること医療記録を構成する。
【００６７】
好適な実施形態では、医療記録がユーザーによって手動で入れられることを言った。
より好適な実施形態では、ソフトウェアがように必要な基礎でワクチン接種の消費者の医療記録にインターフェイスを提供することを言った。
【００６８】
最も好適な実施形態では、ソフトウェアが大幅に実質の時間の基礎でワクチン接種の消費者の医療記録にインターフェイスを提供することを言った。
発明主題の別の面では、言われたソフトウェアはそれからワクチン接種配達方法、費用、調達期間、副作用、または組合せから成り立つ情報を評価し言われたユーザーに患者のための１つ以上の特定のワクチンの選択を推薦する。
【００６９】
好適な実施形態では、言われたソフトウェアは自動的に言われた情報評価に基づいてワクチンの１つ以上の用量を確保する。
より好適な実施形態では、ワクチンの１つ以上の用量がワクチン接種の源の大多数から予約であることを言った。
【００７０】
別の面では、ワクチンの１つ以上の用量が長い期間管理されるワクチンの用量で大多数を構成することを言った。
発明主題の更に別の面では、言われたワクチン接種の予約システムは出現の病原性のある脅威に関して情報に更にインターフェイスを構成する、言われたソフトウェアはユーザーが言われた１つ以上の条件の満足に言われた出現の病原性のある脅威のためのワクチンの生産を承認するためにシステムを前承認することを可能にするために操作可能であり言われたソフトウェアは満足のための言われた情報をの分析するために操作可能言った１つ以上の条件および自動的にワクチンの言われた生産を承認することをである。
【００７１】
発明主題の別の面では、言われたワクチン接種の消費者は依存した人であり、言われたソフトウェアは言われた依存した人の法的代表に言われた予約ワクチンのための財政の補償承認するために、インターフェイスをまたは両方を処理している言われた依存した人のためのワクチンの用量の予約を提供する。
【００７２】
発明主題のそれ以上の面では、ワクチンの単価、管理の費用、または両方を減らすためにソフトウェアが個々の消費者の予約情報を集めるために操作可能であることを言った。
発明主題の代替の面では、ソフトウェアがワクチン接種不足の場合にワクチンの用量に
アクセス優先順位を割り当てることを言った。
【００７３】
好適な実施形態では、割り当てが任意チャンスに基づいて、またはそれから消費者年齢、健康状態、感受性から病原体の浸透性または毒性への、または組合せから成り立っているグループ選ばれる要因でなされることを言った。
【００７４】
発明主題の更に別の面では、言い、ソフトウェアがワクチンの用量の管理の目録のために操作可能であることをワクチンの用量の再命令を、または両方可能にする。
発明主題のそれ以上の面では、言われたソフトウェアは言われた電子量のタイプをの特定の位置に配られるべきワクチン確立するためにデータベースを分析するために操作可能である。
【００７５】
好適な実施形態では、言われたソフトウェアは言われた電子ワクチン接種の配分を特定の時に定めるためにデータベースを分析するためにその上に操作可能である。
別の好適な実施形態では、言いソフトウェアが可能になることのために操作可能であることを特定の位置への出荷のためのワクチンの１つ以上の用量を包む。
【００７６】
それ以上の好適な実施形態では、ソフトウェアがワクチンの予約用量の管理の貯蔵か、分配するか、またはワクチン接種の消費者にそれから、組合せのために操作可能であることを言った。
【００７７】
更に別の好適な実施形態では、ソフトウェアがワクチンの用量の配分か再分配を可能にするためのワクチンの用量の管理の目録のために操作可能であることを言った。
それ以上の好適な実施形態では、ソフトウェアがワクチンの用量の位置を追跡するために操作可能であることを言った。
【００７８】
付加的な好適な実施形態では、ソフトウェアがワクチンの用量の生産以来の時間を追跡するために操作可能であることを言った。
別の好適な実施形態では、ソフトウェアが生産の後でワクチンの用量によって経験される環境条件を追跡するために操作可能であることを言った。
【００７９】
発明主題の別の面では、ワクチン接種の予約システムがその上にワクチンの用量に添付されるコンピュータ可読な札から成り立つことを言った；そして読むために形成された電子読者は札を言った。
【００８０】
発明主題の代替の面では、言われたソフトウェアは管理のためにワクチンの用量をワクチンの供給確保している言われたユーザーに伝達し合うことのために操作可能である。
好適な実施形態では、言われたソフトウェアは言われたワクチンの管理のための特定の任命を確立するためにワクチンの用量を確保している言われたユーザーを可能にするために操作可能である。
【００８１】
別の好適な実施形態では、予定された任命に会うためにソフトウェアがワクチン接種の管理の人員を経営するために操作可能であることを言った。
発明主題の代替の面では、ソフトウェアがワクチン接種の議定書の承諾の証明を可能にするために操作可能であることを言った。
【００８２】
好適な実施形態では、言われたソフトウェアはそれから政府関係機関に言われた証明の報告を可能にするために操作可能、医者、健康の計画、学校、雇用者、または組合せから成り立っている言われた情報の適切な受け手である。
【００８３】
発明主題の別の面では、言われたソフトウェアは言われたワクチンに関して得、報告の消費者応答データを可能にするために操作可能である。
好適な実施形態では、データがそれから効力、悪影響、副作用、不利なでき事、または組合せから成り立っているグループから選ばれる物理的な応答から成り立つことを言った。
【００８４】
別の好適な実施形態では、報告してそれからワクチン接種の生産者、ワクチン接種の提供者、政府関係機関、健康の計画、医者、消費者組織、システムユーザー、消費者、または組合せに作られることを言った。
【００８５】
それ以上の好適な実施形態では、言われたデータはワクチン接種サービス、ワクチン接種の消費者が提供者の間で区別することを可能にするように評価から成っているグループから選ばれる言われた評価データおよびランキングで消費者評価を構成する。
【００８６】
発明主題のそれ以上の面では、ソフトウェアが被寄付者がワクチンを必要として受け手にワクチンの１つ以上の用量を寄付することを可能にするために操作可能であることを言った。
【００８７】
好適な実施形態では、言われたソフトウェアは言われたワクチン接種の予約システム内の慈悲深い資金集めをする活動を提供のために操作可能である。
より好適な実施形態では、慈悲深い資金集めをする活動が懇請することおよび貢献を受け取ること、資金集めをするでき事を組織すること、資金集めをするでき事を発表すること、懇請することおよび補助金を受け取ること、および見合い調達を懇請することおよび受け取るから成り立つことを言った。
【００８８】
発明主題の更に別の面では、ソフトウェアが慈悲深いギフトによってワクチンの１つ以上の用量を受け取る承認の検討の受信者候補のために操作可能であることを言った。
好適な実施形態では、ソフトウェアが慈悲深いギフトによってワクチンの１つ以上の用量を受け取るために承認される受け手を登録するために操作可能であることを言った。
【００８９】
別の好適な実施形態では、ソフトウェアが慈悲深いギフトによってワクチンを受け取るために登録されている受け手へのワクチンの用量の分配を提供のために操作可能であることを言った。
【００９０】
より好適な実施形態では、ワクチンの慈悲深いギフトの用量が再分配された余分なか残りの用量であることを言った。
発明主題のそれ以上の面では、言われたソフトウェアは存在をであり、現れる評価するために操作可能、またはワクチン接種の消費者に病原性のある脅威を予測すれば、言われたソフトウェアは予約にワクチンを選ぶことで助けるシステムユーザーへ言われた脅威の通知を提供するために操作可能である。
【００９１】
好適な実施形態では、言われたソフトウェアは言われた脅威がワクチン接種の消費者によって完了された旅行から起こる病原性のある露出の危険に関連しているか追跡の消費者旅行のために操作可能、であり。
【００９２】
発明主題の更に別の面では、ソフトウェアがシステムユーザーへ教育材料を提供するために操作可能であることを言った。
好適な実施形態では、教育がワクチンのそれから病原性のある脅威、用量、伝染の処置または回避のためのワクチン接種プロセス、補足方法、季節的な衞生教育、または組合せに関して材料情報を構成することを言った。
【００９３】
発明主題の代替の面では、ソフトウェアが管理の未来のワクチン接種のために操作可能であることを言った。
好適な実施形態では、言われたソフトウェアはワクチン接種の消費者のスクリーニングの記録のために操作可能であり、ワクチンが言われたワクチン接種の消費者に管理のために適切または不適当であること言われたソフトウェアはユーザーへ通知を提供するために操作可能である。
【００９４】
別の好適な実施形態では、ソフトウェアが周期的なワクチン接種のための必要性のユーザーへメモを提供するために操作可能であることを言った。
より好適な実施形態では、周期的なワクチン接種が多数注入のワクチン接種のコース、季節的なワクチン接種から成り立っているグループから学校要求したワクチン接種を、仕事要求したそれからワクチン接種、旅行によって要求されるワクチン接種、小児科のワクチン接種のコース、周期的なブスターのワクチン接種、または組合せを選ばれることを言った。
【００９５】
それ以上の好適な実施形態では、言われたソフトウェアは存在をであり、現れる評価するために操作可能、またはワクチン接種の消費者に病原性のある脅威を予測すれば、言われたソフトウェアはユーザーへ言われた脅威の通知を提供するために操作可能である。
【００９６】
好適な実施形態では、脅威が意図されていた消費者旅行に関連していることを言った。
発明主題の別の面では、ソフトウェアが地方ワクチン接種率を監視し、危険度が高い地域を報告するために操作可能であることを言った。
【００９７】
発明主題の代替の面では、ワクチン接種製品のためのワクチン接種の提供者の責任を限るソフトウェアがワクチン接種の消費者の一致を保証するために操作可能であることを言った。
【００９８】
発明主題のそれ以上の面では、言われたソフトウェアは言われたシステムの多言語操作能力を可能にするために操作可能である。
それ以上の発明主題は大幅に動作可能に接続される次の要素保証するために、形成される自動化された、消費者運転された、ワクチン接種の予約システムにから成り立つワクチンの用量へのワクチン接種の消費者アクセスを関連している：
ワクチン接種の予約情報を受け取り、貯えるために形成される少なくとも１つの電子データベース；
言われた電子データベースを催すために形成される少なくとも１の記憶媒体を持っている少なくとも１つの電子計算機システム；
言われたワクチン接種の予約情報が言われた電子データベースシステムとシステムユーザーの間で伝達し合われることを可能にするための少なくとも１つの人間インターフェイス；そして
ワクチン接種の予約情報、言われた予約ワクチンのためにワクチンのユーザーが言われたユーザーがワクチンの未使用の用量を寄付することを可能にするためにワクチンの以上１の用量を確保することを、望んでいるユーザーを可能にするために操作可能な言われた顧客ソフトウェアおよび操作可能な言われたソフトウェアを処理するために少なくとも１のデータベースそして操作可能言われるにインターフェイスを提供する少なくとも１つの記憶媒体言われるに存在する顧客ソフトウェアは確保することを可能にするために財政の補償を処理するために試作期間の基礎のワクチンの少なくとも１の用量を、操作可能な言われた顧客ソフトウェア、操作可能な言われた顧客ソフトウェア確保するために用量をそう確保した。
【００９９】
好適な実施形態では、ワクチンの１つ以上の用量がワクチン接種の源の大多数から予約であることを言った。
それ以上の発明主題は大幅にワクチンの少なくとも１つの用量への個々のワクチン接種の消費者アクセスを保証するおよびステップをで構成する自動化された、消費者運転された、ワクチン接種の予約システムを使用して季節的なワクチン接種の生産の量を定めるためにデータを少なくとも１のワクチン接種の生産者に与える方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；そして
言われたワクチン接種の予約システムは大幅に保証するために言われたワクチン接種の消費者がワクチンの少なくとも１の用量を確保することを可能にするというそう確保されたワクチンの少なくとも１つの用量言われるのための財政の補償を受け入れるか、またはしっかり止めて予約ワクチンへの消費者アクセスをおよび少なくとも１のワクチン接種の生産者に季節的なワクチン接種の生産の量を定めるためにデータへのアクセスを与えるために言った。
【０１００】
発明主題の１つの面ではシステムユーザーに少なくとも１のデータベース言われるへのアクセスを提供するために、言われたソフトウェアは操作可能である。
発明主題の別の面では、言われた財政の補償は言われた予約用量のために支払を十分に構成する。
【０１０１】
好適な実施形態では、言われた財政の補償は言われた予約用量のための沈殿物を構成する。
別の好適な実施形態では、言われたソフトウェアは財政責任が言われた予約用量の支払のためになされた後払戻し可能な保証金を処理する。
【０１０２】
発明主題のそれ以上の面では、方法がワクチン接種を促進するためのユーザーに補償の処理で更にステップを構成することを言った。
発明主題の代替の面では、方法が未来のワクチン接種の予約のための財政の補償を処理するための財政の信頼の確立を提供で更にステップを構成することを言った。
【０１０３】
発明主題の更に別の面では、方法がそれからエスクロー支払、沈殿物、または組合せを提供で更にステップを構成することを言った。
発明主題のそれ以上の面では、言われた方法は有望なワクチン接種の参加を提供で言われたユーザーに次の財政の刺激の１つ以上を提供することによって更にステップを構成する：
試作期間の基礎でなされる順序のための減らされた費用；
それに続くワクチン接種のための現在のワクチン接種の時間になされる順序のための減らされた費用；
繰り返しの消費者による順序のための減らされた費用；
責任放棄となされた順序のための減らされた費用は消費者代表によって署名した；
現在の方法を実行するワクチン接種の予約システム企業の公平のホールダーのための減らされた費用；
現在の方法を実行しているワクチン接種の予約システム企業の消費者を繰り返す公平分
け前の提供；
消費者予定通り出席されるワクチン接種の管理の任命のための減らされた費用；
消費者指名ピークを過ぎた時間の間予定されるワクチン接種の管理の任命のための減らされた費用；
ワクチン接種の提供者のための減らされた費用；
確保されたグループのための減らされた費用は場所かつて一緒に管理し、；
前刷りされ、完了するすべての必須文書との予定された任命の出現のための減らされた費用；そして
提供者にコストを削減するペーパレスドキュメンテーションの顧客の使用のための減らされた費用。
【０１０４】
好適な実施形態では、方法がユーザーがワクチンの１つ以上の用量を確保することを可能にすることで更にステップを構成することを言った。
より好適な実施形態では、ワクチンの１つ以上の用量が長い期間管理されるワクチンの用量で大多数を構成することを言った。
【０１０５】
それ以上の好適な実施形態では、ワクチンの１つ以上の用量がワクチン接種の源の大多数から予約であることを言った。
けれどもそれ以上の好適な実施形態は言われたユーザーがそう確保されるワクチンの未使用の用量を寄付することを可能にすることで、言われた方法更にステップを構成する。
【０１０６】
発明主題のそれ以上の面では、言われた方法は言われた電子データベースのワクチンの予約用量の数の総計で更にワクチンの予約用量の合計が少なくとも１人のワクチン接種の提供者言われるに利用できるという、ステップを構成する。
【０１０７】
好適な実施形態では、ワクチンの予約用量の言われた数は実質の時間に情報を大幅に提供して言われたデータベース、操作可能な言われたリンクにアクティブ・リンクによって利用できる。
【０１０８】
発明主題の別の代替の面では、方法が更にステップをで構成することを言った：ワクチンが言われたワクチン接種の消費者に管理のために医学的に適切または不適当であることワクチン接種の消費者の医療記録を少なくとも１つのデータベース、言われた記録を選別すること、および言われたユーザーへ通知を提供することで貯える。
【０１０９】
好適な実施形態では、医療記録がユーザーによって手動で入れられることを言った。
より好適な実施形態では、ソフトウェアがように必要な基礎でワクチン接種の消費者の医療記録にインターフェイスを提供することを言った。
【０１１０】
最も好適な実施形態では、ソフトウェアが大幅に実質の時間の基礎でワクチン接種の消費者の医療記録にインターフェイスを提供することを言った。
発明主題の別の面では、言われた方法は評価情報で更に患者のためのそれからワクチン接種配達方法、費用、調達期間、副作用、または組合せから成り立つ、および言われたユーザーに１つ以上の特定のワクチンの選択を推薦するステップを構成する。
【０１１１】
好適な実施形態では、言われた方法は自動的に言われた情報評価に基づいてワクチンの１つ以上の用量を確保することで更にステップを構成する。
別の面では、ワクチンの１つ以上の用量が長い期間管理されるワクチンの用量で大多数を構成することを言った。
【０１１２】
好適な実施形態では、ワクチンの１つ以上の用量がワクチン接種の源の大多数から予約
であることを言った。
発明主題の更に別の面では、方法が更にステップをで構成することを言った：インターフェイスを、前承認することをユーザーが可能にしてシステムが１つ以上の条件の満足に言われた出現の病原性のある脅威のためのワクチンの生産を承認すると言った言われた情報を分析しての満足に出現の病原性のある脅威に関して情報に提供して１つ以上の条件を言い、満足に自動的にワクチンの言われた生産をの承認して１つ以上の条件を言った。
【０１１３】
発明主題の別の面では、言われたワクチン接種の消費者は依存した人であり、言われたソフトウェアは言われた依存した人の法的代表に言われた予約ワクチンのための財政の補償承認するために、インターフェイスをまたは両方を処理している言われた依存した人のためのワクチンの用量の予約を提供する。
【０１１４】
発明主題のそれ以上の面では、ワクチンの単価、管理の費用、または両方を減らすために方法が個々の消費者の予約情報の集合で更にステップを構成することを言った。
発明主題の代替の面では、方法がワクチン接種不足の場合にワクチンの用量にアクセス優先順位を割り当てることで更にステップを構成することを言った。
【０１１５】
好適な実施形態では、割り当てが任意チャンスに基づいて、またはそれから消費者年齢、健康状態、感受性から病原体の浸透性または毒性への、または組合せから成り立っているグループ選ばれる要因でなされることを言った。
【０１１６】
発明主題の更に別の面では、言い、方法がワクチンの用量の管理の目録で更にステップ構成することをワクチンの用量の再命令を、または両方とも可能にする。
発明主題のそれ以上の面では、言われた方法は言われた電子量のタイプをの特定の位置に配られるべきワクチン確立するためにデータベースの分析で更にステップを構成する。
【０１１７】
好適な実施形態では、言われた方法は言われた電子ワクチン接種の配分を特定の時に定めるためにデータベースの分析で更にステップを構成する。
別の好適な実施形態では、方法が特定の位置への出荷のためのワクチンの１つ以上の用量の包装を可能にすることで更にステップを構成することを言った。
【０１１８】
それ以上の好適な実施形態では、方法がワクチン接種の消費者にワクチンのそれから予約用量、か組合せを分配するワクチンの管理の貯蔵で更にステップを構成することを言った。
【０１１９】
更に別の好適な実施形態では、方法がワクチンの用量の配分か再分配を可能にするためのワクチンの用量の管理の目録で更にステップを構成することを言った。
それ以上の好適な実施形態では、方法がワクチンの用量の位置の追跡で更にステップを構成することを言った。
【０１２０】
付加的な好適な実施形態では、方法がワクチンの用量の生産以来の時間の追跡で更にステップを構成することを言った。
別の好適な実施形態では、方法がワクチンの用量によって生産の後で経験される環境条件の追跡で更にステップを構成することを言った。
【０１２１】
発明主題の別の面では、管理の目録の言われたステップはワクチンの用量に添付されるコンピュータ可読な札および言われた札を読むために形成される電子読者で更に使用を構成する。
【０１２２】
発明主題の代替の面では、言われた方法は管理のためにワクチンの用量をワクチンの供
給確保している言われたユーザーに伝達し合うことで更にステップを構成する。
好適な実施形態では、言われた方法は言われたワクチンの管理のための特定の任命を確立するためにワクチンの用量を確保している言われたユーザーを可能にすることで更にステップを構成する。
【０１２３】
別の好適な実施形態では、予定された任命に会うために方法がワクチン接種の管理の人員の経営で更にステップを構成することを言った。
発明主題の代替の面では、方法がワクチン接種の議定書の承諾の証明を可能にすることで更にステップを構成することを言った。
【０１２４】
好適な実施形態では、言われた方法はそれから政府関係機関に言われた証明の報告を可能にすることで更にステップを、医者、健康の計画、学校、雇用者、または組合せから成り立っている言われた情報の適切な受け手構成する。
【０１２５】
発明主題の別の面では、言われた方法は言われたワクチンに関して得、報告の消費者応答データを可能にすることで更にステップを構成する。
好適な実施形態では、データがそれから効力、悪影響、副作用、不利なでき事、または組合せから成り立っているグループから選ばれる物理的な応答から成り立つことを言った。
【０１２６】
別の好適な実施形態では、報告してそれからワクチン接種の生産者、ワクチン接種の提供者、政府関係機関、健康の計画、医者、消費者組織、システムユーザー、消費者、または組合せに作られることを言った。
【０１２７】
それ以上の好適な実施形態では、言われたデータはワクチン接種サービス、ワクチン接種の消費者が提供者の間で区別することを可能にするように評価から成っているグループから選ばれる言われた評価データおよびランキングで消費者評価を構成する。
【０１２８】
発明主題のそれ以上の面では、方法が被寄付者がワクチンを必要として受け手にワクチンの１つ以上の用量を寄付することを可能にすることで更にステップを構成することを言った。
【０１２９】
好適な実施形態では、方法が慈悲深い資金集めをする活動を提供で更にステップを構成することを言った。
より好適な実施形態では、慈悲深い資金集めをする活動が懇請することおよび貢献を受け取ること、資金集めをするでき事を組織すること、資金集めをするでき事を発表すること、懇請することおよび補助金を受け取ること、それから見合い調達、か組合せを懇請することおよび受け取るから成り立つことを言った。
【０１３０】
発明主題の更に別の面では、方法が慈悲深いギフトによってワクチンの１つ以上の用量を受け取る承認のための検討の受信者候補で更にステップを構成することを言った。
好適な実施形態では、方法が慈悲深いギフトによってワクチンの１つ以上の用量を受け取るために承認される受け手の登録で更にステップを構成することを言った。
【０１３１】
別の好適な実施形態では、方法が慈悲深いギフトによってワクチンを受け取るために登録されている受け手へのワクチンの用量の分配を提供で更にステップを構成することを言った。
【０１３２】
より好適な実施形態では、ワクチンの慈悲深いギフトの用量が再分配された余分なか残りの用量であることを言った。
発明主題のそれ以上の面では、言われた方法は存在の予測した、評価で予約にワクチンを選ぶことで助ける更にステップを構成しか、またはシステムユーザーへワクチン接種の消費者および言われた脅威の通知を提供することに病原性のある脅威を現れる。
【０１３３】
好適な実施形態では、言われた方法は追跡の消費者旅行で更に言われた脅威がワクチン接種の消費者によって完了された旅行から起こる病原性のある露出の危険に関連しているかステップを、構成し。
【０１３４】
発明主題の更に別の面では、方法がシステムユーザーへ教育材料を提供することで更にステップを構成することを言った。
好適な実施形態では、教育がワクチンのそれから病原性のある脅威、用量、伝染の処置または回避のためのワクチン接種プロセス、補足方法、季節的な衞生教育、または組合せに関して材料情報を構成することを言った。
【０１３５】
発明主題の代替の面では、方法が管理の未来のワクチン接種で更にステップを構成することを言った。
好適な実施形態では、言われた方法はユーザーへワクチン接種の消費者および通知を提供することのスクリーニングの記録で更にワクチンが言われたワクチン接種の消費者に管理のために適切または不適当であることステップを構成する。
【０１３６】
別の好適な実施形態では、方法が周期的なワクチン接種のための必要性のユーザーへメモを提供することで更にステップを構成することを言った。
より好適な実施形態では、周期的なワクチン接種が多数注入のワクチン接種のコース、季節的なワクチン接種から成り立っているグループから学校要求したワクチン接種を、仕事要求したそれからワクチン接種、旅行によって要求されるワクチン接種、小児科のワクチン接種のコース、周期的なブスターのワクチン接種、または組合せを選ばれることを言った。
【０１３７】
それ以上の好適な実施形態では、言われた方法は存在の予測した、評価で更にステップを構成しか、またはユーザーへワクチン接種の消費者および言われた脅威の通知を提供することに病原性のある脅威を現れる。
【０１３８】
好適な実施形態では、脅威が意図されていた消費者旅行に関連していることを言った。
発明主題の別の面では、方法が地方ワクチン接種率を監視し、危険度が高い地域を報告することで更にステップを構成することを言った。
【０１３９】
発明主題の代替の面では、ワクチン接種製品のためのワクチン接種の提供者の責任を限る方法がワクチン接種の消費者の一致の保証で更にステップを構成することを言った。
発明主題のそれ以上の面では、言われた方法は言われたシステムの多言語操作能力を可能にすることで更にステップを構成する。
【０１４０】
発明主題は大幅にワクチンの少なくとも１つの用量への個々のワクチン接種の消費者アクセスを保証するおよびステップをで構成する自動化された、消費者運転された、ワクチン接種の予約システムを使用して季節的なワクチン接種の生産の量を定めるためにデータを少なくとも１のワクチン接種の生産者に与える方法にその上に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データ
ベースシステムとシステムユーザーの間で伝達し合われることを可能にするために提供する；
ワクチン接種の消費者からのワクチン接種の予約のワクチンの１つ以上の用量を確保するために処理；
そう確保されるワクチンの前述の１つ以上の用量のための財政の補償を受け入れるか、またはしっかり止める；そして
そう確保されるワクチンの未使用の用量を寄付することを言われたユーザーが可能にする。
【０１４１】
更に、発明主題は消費者運転された予約システムを使用してステップをで構成する季節的なワクチン接種の要求に季節的なワクチン接種の供給をマッチさせるための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
前述のワクチンの少なくとも用量１つのための財政の補償を受け入れるか、またはしっかり止めることはそう確保した；そして
少なくとも１人のワクチン接種の生産者に季節的なワクチン接種の生産の量を定めるためにデータへのアクセスを与える。
【０１４２】
さらに、それ以上の発明主題はステップをで構成する消費者運転されたワクチン接種の予約システムを使用するワクチン接種の提供者に財政の危険を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
ワクチンの少なくとも１つの用量言われるのための言われたワクチン接種の消費者からの少なくとも部分的な支払の保証を保証することはそう確保した；そして
繰り返しの予約購読のための前述のワクチン接種の消費者からの多数ワクチンに責任を保証する。
【０１４３】
更に、それ以上の発明主題は操作可能な消費者運転されたワクチン接種の予約システムを使用して病原性のあるステップをで構成するワクチンの用量を確保するために感染率を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
ワクチン接種の消費者からのワクチン接種の予約のワクチンの少なくとも１つの用量を確保するために処理；
そう確保されるワクチンの少なくとも１つの用量言われるのための言われたワクチン接種の消費者からの少なくとも部分的な支払の保証を保証する；
ワクチン接種の提供者の責任を限るそしてワクチン接種の消費者の一致を保証することはワクチン接種製品に関連していた。
【０１４４】
更に、それ以上の発明主題は操作可能な消費者運転されたワクチン接種の予約システムを使用して病原性のあるステップをで構成するワクチンの用量を確保するために感染率を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
大幅に自動化されたシステムをワクチンの用量を選び、発注するために提供する。前述の方法は予約にワクチンを選ぶことで助ける任意に周期的なワクチン接種のための必要性のシステムユーザーへメモを提供することの追加手順が含まれている。
【０１４５】
発明主題はまた操作可能な消費者運転されたワクチン接種の予約システムを使用して病原性のあるステップをで構成するワクチンの用量を確保するために感染率を減らすための方法に関連している：
ワクチン接種の予約情報を受け取り、貯えるために形成して顧客ソフトウェアをもらう少なくとも１つの電子データベースを提供する；
形成して少なくとも１の記憶媒体をもらう少なくとも１つの電子計算機システムを言われた電子データベースを催すために提供する；
少なくとも１つの人間インターフェイスをワクチン接種の予約情報が前述の電子データベースシステムとシステムユーザーの間で伝達し合われることを可能にするために提供する；
予約にワクチンを選ぶことで助けるために存在しているか、現れるか、または予測の病原性のある脅威の通知をワクチン接種の消費者に提供する；そして
大幅に自動化されたシステムをワクチンの用量を選び、発注するために提供する。
【０１４６】
（１．主要なシステムおよび動作方法）
図１  ワクチン予約システムの説明および動作：
図に示すように。１つは、ワクチン接種の予約システム１０の一般に優先する最初具体化主にから成り立ち、貯え受け入れのための１つ以上の電子計算機のデータベース１２、（任意に）処理し、および／または電子フォーマットの季節的なワクチン接種の予約を、１つ以上の任意にネットワーク電子計算機システム１４出力する、少なくともそのうちの一つに１つ以上の電子データベース１２および／または１つ以上の顧客のソフトウェアインターフェイスを、および１つ以上の普通（必ずしも）催し、任意に作動させるために形成される電子データベース１２からワクチン接種の予約情報を入れるおよび／または取り出す少なくとも１つの記憶媒体１７遠隔の、できれば大幅に電子的に自動化された、人間インターフェイス装置１６がある。そのような遠隔の人間インターフェイス装置１６はある電子コミュニケーションの下部組織１８、例任意に含みなさいインターネットを、普通
（必ずしも）ワイヤーで縛られるか、または無線電子ネットワークによって計算機システム１４および、それ故に、データベース１２に一般に電子的に、および／または１つ以上を使用して電話回線を非限って、商用化された関係または装置２０を含んで、非制限例として、ルーター任意に関係可能になる、サーバー、変復調装置、および／またはそのようなもの接続される（とりわけ示されていない）。
【０１４７】
各記録が特定の個人またはグループのための特定のワクチン接種の予約と関連している１つ以上のデータフィールドから成り立つかさらに詳しく、電子データベース１２はできれば（しかし必ずしも）１つ以上のワクチン接種の予約の記録を受け取ること、貯えること、処理すること（任意に）、および／または出力することができる一般に商用化された、電子データベースソフトウェアアルゴリズムの習慣形成された（または顧客形成される）実施である（家族のような）。データベース１２がまた任意にここに記述されているように１つ以上の有用な目的のためにそこに含まれている予約の記録を分類すること、分析すること、総計すること、および／または別の方法で処理することから得られる様々な結果を出力できるまたは予想されることがデータベース１２のユーザーに知られているように。データベース１２を提供するためにどの適した注文の構成可能でも、電子データベース（例えば、Ｓｙｂａｓｅ（登録商標）、Ｏｒａｃｌｅ（登録商標）のＭｉｃｒｏｓｏｆｔ（登録商標）Ａｃｃｅｓｓ、等）商用化された実行されるかもしれないことが注意される；但しデータベースシステム１２の全体または一部を提供するのに、十分にカスタマイズされたソフトウェアアルゴリズムが任意に利用されるかもしれない。商用化されたおよび／または習慣書かれたヘルパー・アプリケーションや補助的適用（例えば、アプレット、マクロ、等）がの一部として使用されるかもしれないまたはと協力して、そこに含まれているデータレコードを処理するためのおよび／またはデータベース１２から情報を入れることおよび／または出力するためのデータベース１２注意されることが更に。そこに含まれている記録を処理するのため、当業者に有名であって下さい従ってそれ以上の記述をここに要求してはいけない、そのようなデータベース１２を実行するための特定の器具、方法、および／または用具。
【０１４８】
電子計算機システム１４は、非制限例として、１つ以上の商用化された、電子計算機１５（すなわち、計算装置）をを含んでマイクロコンピューター、ミニコンピューター、本体、ワークステーション、サーバー、携帯用コンピュータ、パーソナルディジタルアシスタント（ＰＤＡ）、および／または他の電子計算装置任意に普通（必ずしも）構成し１つ以上のワクチン接種の予約（すなわち、データベース１２に含まれているおよび／またはデータベース１２から得られるデータレコードの１つ以上を処理すること、処理すること、伝えること、および／または別の方法で処理するデータベース１２の全体または一部をおよび／またはことができる催すことができる）と関連している情報を受け取る、貯える、処理する、および／または出力する手段を持っている。電子計算機システム１４を提供すればのに電子計算装置１５の大多数が利用されていればそのような計算装置１５の１つ以上は一般に（しかし必要）図に示すようにネットワークである。統合された高性能システムを形作るおよび／または１つ以上の計算装置１５の失敗か他の減損の場合に余分な機能を持っているシステムを提供する１（計算装置１５を接続する１つの非制限例として）。当業者に一般に知られているそれらのようなそのような計算装置の多くの標準的な周辺および／または付属の要素の１つ以上が、計算機システム１４および／または計算装置１５に任意に組み込まれることが注意される。例を非限ってキーボード、ポインティングデバイス、表示装置装置、装置、マイクロフォンを含んで、装置読むか、または書く、様々な媒体をおよび／またはそのようなものを音出す。
【０１４９】
電子データベース１２からワクチン接種の予約情報を入れるおよび／または取り出す人間インターフェイス装置１６はホストのデータベース１２にできれば（しかし必ずしも）上で注意されるように使用される電子計算装置１５の１つ以上に類似したインターネット
接続された電子計算装置、任意にである。もっととりわけ、消費者によるまたは消費者の代表のようなデータベースへのワクチン接種の予約を（すなわち、「ワクチン接種の予約」をし）入れるのため（それにより「消費者運転された」システムまたは方法がある）、優先する人間インターフェイス装置１６は消費者所有者、インターネット接続された（または別の方法で電子的に接続される）デスクトップのマイクロコンピューター、携帯用コンピュータ、ＰＤＡ、および／またはそのようなものである。雇用によってデータベース１２にことをアクセスするためにそのような物が計算装置を消費者所有したりおよび／または作動させたことが国民の現在の発明を実行する資本コスト強調されるべきであるまたは全体的なスケールは極端に低い。
【０１５０】
適したグラフィカルユーザーインタフェース（ＧＵＩ）が、書き込み式タイプ電子的形態のような普通少なくとも１つの表示装置装置かスクリーンを備えている人間インターフェイス装置１６によって消費者かユーザーに、（すなわち、表示される）示されること予約をすることを促進することを予想される。相互グラフィカルユーザーインタフェースを使用して情報を示す当業者におよび／または集める方法は一般に知られ、従って更にここに記述されている必要はない。それにもかかわらず１つ以上のワクチンの予約を促進するために人間インターフェイス装置１６でユーザーに示されるかもしれない典型的な電子的形態が普通（しかし必ずしも）含んでいる非限る下記のものを含むかもしれない１つ以上の分類された書き込み式データフィールドをことが、注意されるべきである、例を：普通（しかし（例えば、ポインティングデバイスか他の人間インターフェイス装置１６で電子的に活動化させるか、または「をかちりと鳴らされて」）予約を堤出したり、編集したり、および／または取り消すのに必ずしも）使用されるかもしれないのような「無線の」ボタン（普通画面上の）プロセス始める１つ以上と名前、同一番号、住所、電話番号、年齢、性、優先するワクチン接種のタイプまたはタイプ、保険会社データ、支払情報、および／またはそのようなものは、および／または１つ以上の他の機能を終えることは現在の発明に始めるか、または関連していた。
【０１５１】
発明はワクチン接種の予約システム１０が、代わりにまたはその上に組み込むかもしれないことを１つ以上の代替機器１６、方法、および／または平均を含んで、提供する非制限例としてデータベース１２に１つ以上のワクチン接種の予約を任意に書き入れるために：（１）声認識の平均によるどのプロセス予約（示されていない）、（４）人間助けられたファクシミリ基づかせていた予約が人間インターフェイス装置１６でデータベース１２に後で予約を書き入れる形態を入れたかメニュー方式の電信入力システムは、（２）人間助けられた、声基づかせていた電信入力システム（示されていない）、（３）声基づかせていて、任意に電信、入力システム（示されていない）、（５）ファクシミリ基づかせていた予約光学式文字認識によって（示されていない）処理された形態を（６）電子郵便入れたおよび／またはペーパー郵便入力は（示されていない）光学式文字認識の平均によって任意に人間助けられておよび／または助けられて、（７）人間の記録係を（示されていない）雇う紙ベースの平均、（８）任意にネットワーク接続された電子意味する自動的に選ぶことおよび／または１つ以上のワクチンを（確保することおよび／またはシステム１４が自動的に適切に操作可能なデータベース１２および／またはシステム１４で）提供することができる患者管理または医療記録システム（か学校、雇用者、政府、および／または軍によって提供されるかもしれないのような他の人員記録システム、）任意に任意に医学の（または他催される基づく他のソフトウェアを用いることによってのような１つ以上のワクチンを、選ぶためにおよび／または確保することを）可能にするように一人以上の人員に計算機システム１４へデータを任意に記録システムに含まれている個々の人員データにおよび／またはそのようなもの。
【０１５２】
既存の電子コミュニケーションの下部組織１８に関して、インターネットが普通（しかし必ずしも）催さない計算機システム１４を相互に連結するための一般に優先する平均や
方法遠隔の人間インターフェイス装置１６にデータベース１２をであることが注意される。但し、発明は例このために用いられる、１つ以上の標準的な電話回線、直接加入者線（ＤＳＬ）、衛生中継（示されていない）、無線周波（ＲＦ）リンク（例えば、無線ネットワーク、「ｗｉｆｉ」を、携帯電話）のような他の電磁石リンク提供する、赤外線リンク、超音波および／または他の音響リンク（示されていない）、および／またはそのようなもの非限ると同時に多数他の相互連結の平均や方法が任意にを含んでかもしれないこと。そのような無線コミュニケーション技術が（平均や方法）予約および／またはワクチンを作り出すこと、配ること、および／または管理することと関連付けられる機側操作を非常に促進できることが注意されるべきである。
【０１５３】
計算機システム１４、個々の計算の要素１５、および／または様々な人間インターフェイス装置１６の相互連結を促進するか、または可能にするのに関係装置２０が、非制限例として、任意に１つ以上のルーター、サーバー、変復調装置、および／またはそのようなものを含むかもしれないか、様々な普通（必ずしも）上で注意されないが、ように商用化された、大幅に自動化された関係装置２０が利用されるかもしれない。但し、発明はシステムの様々な要素間の１つ以上の予約と関連している情報を移すのに一人以上の人がまた利用されるかもしれないおよび／またはことを提供するシステムの様々な要素とシステム（例えば、ワクチン接種の消費者）のプライマリユーザーの間で。ワクチン接種の予約システム１０を作動させるない好まれる方法が様々な技術を基盤とする人間インターフェイス装置１６を利用する限られた機能か機能がないワクチン接種の管理者、等）、それらのワクチン接種の消費者に高めるが（および／または消費者、生産者、運送業者、ディストリビューターの代表を含むシステムの他のユーザーのために予約に関して、ワクチン接種の予約システム１０への人間の助手の任意付加（示されていない）劇的にシステム１０の多様性を、特に。
【０１５４】
さらに、発明はワクチン接種の予約システム１０が任意に作動させることができることを（および／または任意に作動に手段や方法を提供する）、倍数の話されていたおよび／または文語（例えば、英語、スペイン語、フランス語、ドイツ語、日本語、および／または他の言語）提供する。さらに、発明はワクチン接種の予約システムが後者が世界の非常に二か国語か多言語の地域に特に有用であるまた提供する適した人間の通訳を見つけることはまずないかもしれない単一の言語によって支配される地域でワクチン接種の予約、生産、配分、および／または管理を促進するそのような異なった言語の間の翻訳と任意に（話されていたおよび／または文書による形態で）直接助けることができることを。
【０１５５】
（図２〜７  ワクチンの生産、流通、投与および評価のうちの１つ以上を行うための改良されたシステムまたは方法：）
消費者運転されたワクチン接種の予約システム１０から成り立つ物理的な要素に加えて（を含むハードウェア、ソフトウェア、電子コミュニケーションの下部組織、および／または他の要素）、現在の発明の好適な実施形態はまた普通季節的なワクチン表したりおよび／または構成する（または他の健康重大な、長生産導時間薬剤）の有効な生産、配分、管理や投与後の評価を促進するための１つ以上の改善された方法か平均を。そのような改善された方法は非制限例として任意に、含むかもしれない：（１）大幅に１つ以上の健康支えることへの特定の個人（またはグループ）保証するための任意大幅に自動化された方法や平均３０および／またはワクチン接種の予約システム１０を使用して試作期間の基礎で、一般に、しかし必ずしもなされない個々の（またはグループ）予約によるワクチンの生命を維持する用量のアクセスを；（２）補償をワクチン接種の消費者（か消費者の代表から）試作期間の支払や他の財政責任を保証するために処理するために任意大幅に自動化された方法をおよび／または平均提供することによるワクチンの生産者へのワクチン接種の生産の財政の危険を軽減するための任意大幅に自動化された方法や平均４０（ワクチン接種および／またはワクチン接種の管理サービスが第三者に続いて請求可能なら）ワクチ
ン接種の管理に払い戻し可能である払い戻し可能な金融沈殿物のような；（２）（例えば、正確に）それにより生産過剰のために財政の危険と同様、不足のために両方の健康を損う危険性を軽減するワクチン接種の予約の総数やタイプのためのデータベース１２をただすことによる季節的な消費者需要を用いる一致の季節的なワクチン接種の供給（すなわち、生産の量）のための任意正確に大幅に自動化された方法や平均５０、；（４）ただす消費者地理的な情報によるワクチンの正確な（例えば、明確にしなさい）地方および／またはローカル配分を促進するための任意大幅に自動化された方法や平均６０は任意にデータベース１２を含んでいた；（５）ワクチン接種供給の消費者に助言するためのおよび／またはそのような消費者への適切なコミュニケーションの自動化された生成や伝達によるワクチン接種の管理のための特定の任命を消費者に、任意に思い出させるための任意大幅に自動化された方法や平均７０；および／または（６）、季節的なワクチンはの、および／または様々な電子消費者フィードバックメカニズムを任意に提供することによる不利な反作用への効力を評価するための任意大幅に自動化された方法や平均８０インターネット接続されたコンピュータか他のどの適した人間インターフェイスメカニズム１６によっても消費者にを含んで、非制限例として、相互の、書き込み式タイプ、電子的形態または調査示した。さらに１つ以上の他の有用な機能を行うか、または達成するために、次に示されるように上記の方法か平均の複数は変更することができる。
【０１５６】
（図２  ワクチンの入手をほぼ保証するためのシステムまたは方法としての説明および動作：）
図２はワクチン接種の予約システム１０を使用して試作期間の基礎で、一般に、必ずしもなされない個々の（またはグループ）予約によって大幅に１つ以上の健康支えることへの特定の個人（またはグループ）保証するための大幅に自動化された方法や平均をおよび／またはワクチンの生命を維持する用量のアクセスを構成する優先する最初具体化３０の現在の発明の改善された方法を描写する。
【０１５７】
端的に説明すると、ワクチン接種の予約システム１０および大幅に生産の開始前に消費者の名前の消費者に代わって機能しているワクチン接種（か承認された個人か構成）予備の消費者を少なくとも１匹のワクチン持っていることによって（極端、予期しない逆境暴露する）一般に、しかし必ずしも一般にワクチン（または他の識別の平均によって）へのアクセスを、保証するコンサートの方法３０機能。ワクチンを確保するプロセスは消費者電子人間インターフェイス装置１６の（か代表）使用によって一般に（しかし必ずしも）大幅に（のような、インターネット接続されたコンピュータ端末、メニュー方式の電信入力システムで、または上で注意される他の方法によって示される例えば、書き込み式電子予約の形態）１つ以上のワクチン接種の予約を保証するように要求されるようにデータベース１２に必要な個人情報を入れる達成される。ワクチン接種の予約の確認はそれから消費者（か代表）に前述コミュニケーションプロセス（例えば、インターネット、電子メール、ペーパー郵便、電話、携帯電話、ＰＤＡのファクシミリ伝達、等）および／または装置１６の１つ以上を使用して予約システム１０および／またはオペレータによって任意に一般に、普通自動的に提供される。
【０１５８】
さらに詳しく、図に示すように。２つの大幅に消費者運転されたワクチン接種の予約システム１０を使用してワクチンへのアクセスを保証するための方法３０は普通次のステップから成り立つ：
（１００）適したワクチン接種の予約システム１０可能になる直接使用をとしてワクチン接種の消費者（か消費者の代表）によって提供する１つ以上のワクチン（または他の薬剤を）確保する手段；
（２００）ワクチン接種の消費者（か消費者の代表を）持っていてワクチン接種のための必要性を評価し、次に１つ以上の適したワクチンを大幅に消費者にそのようなワクチンの供給を保証するために確保することを選びなさい；
（３００）ワクチン接種の消費者（か消費者の代表を）持っていて電子的にデータベース１２に試作期間の基礎の１つ以上のワクチンを、普通（必ずしも）確保するために必要なデータを入力するために任意に遠隔人間インターフェイス装置１６でワクチン接種の予約システム１０に普通アクセスしなさい；
（４００）ワクチンの一人以上の生産者を持っていて一まとめに十分にワクチン接種の予約を持っているすべての消費者の必要性を満たすために十分な量のワクチンを作り出しなさい；
（５００）ワクチンが自己投与を許可する適切に安全な形態（例えば、鼻の霧、口頭）にならワクチン接種の管理の人員または、任意に、消費者（または消費者の代表）への分配ワクチン任意に自己投与のために；そして
（６００）健康支えることおよび／または生命を維持するワクチンを、ワクチン接種の予約システム１０の使用によって大幅に保証されるワクチン接種の消費者に管理する。
【０１５９】
方法３０の先行するステップの１つ以上がサブステップの大多数を含むかもしれないことが注意されるべきである；但し、ステップの概要はここに表わされる、もっとより十分当業者に十分に方法３０の基本的な性質を運ぶために、またワクチン接種の予約システム１０を使用して方法３０を実行し作動させる方法をあるように特に現在の発明の他の記述や描写を伴って考慮されたとき上で示した。
【０１６０】
それにもかかわらず、ステップ１００ごとの適したワクチン接種の予約システムを提供するそれに上で一般に必ずしも）、電子計算機システム１４によってデータベース１２をインターネット接続されない少なくとも１の記憶媒体１７をもらうために少なくとも１つできれば（しかしおよびそれ以上催す提供する適した電子予約のデータベース１２を提供することを伴ない注意し少なくとも１の適した遠隔の人間インターフェイス平均か装置１６（すなわち、入出力は、別のインターネット接続された電子計算機システムのような、メニュー方式の電信システムを任意に任意にネットワーク接続された電子医療記録か患者管理システムまたは自動的に１つ以上のワクチンを選ぶことおよび／または確保することができる人員記録システムおよび／またはそのようなもの意味する）使用に普通（しかし必ずしも）提供しない形成して予約をする場合の消費者か消費者の代表。消費者の「代表」が、非制限例として、消費者の保護者、消費者のヘルスケアの専門家（例えば、医者、看護婦、保険会社）、消費者の雇用者または学校、後援者、および／またはそのようなもの含むことができることに注目しなさい。
【０１６１】
さらに、方法３０を使用してだけ１つ以上のワクチンを確保するためにステップ１００の器具１０をそのまま作動させるそれに単に（または一般に要求する少なくともステップ２００および３００の付加的な性能だけ注意しなさい。ステップだけの性能は１００、２００、およびワクチンを確保する３００十分にワクチンへの最終的なアクセスを保証しないかもしれないがワクチンを将来受け取るためにそれにもかかわらず貴重な優先順位を提供するか、または確立するかもしれない。但しここにおよび／または図に示すように記述されているようにそれぞれ機能や利点を、達成するために、ステップ４００、５００、および／または６００は任意に行われるかもしれない。すべての必須のステップが忠順に行われれば、２、任意にを含んで、しかし必ずしも限られなくてに、大幅に１つ以上のワクチンへのアクセスを保証する。
【０１６２】
ワクチン接種の予約システム１０の使用によるワクチンへのアクセスを保証するための基本的な方法３０は多数の方法で変わり、変更され、および／または補うことができる。端的に説明すると、現在の発明は非制限例として多数の補足および／または代替の具体化をを含んで、任意に提供する：そのような互い違いか補足システムや方法がワクチンの一人以上の消費者に重要な利点を提供する、および／またはワクチンの１つ以上の提供者に関連していたという様々な補足および／または交互方式や方法は確保、作成、分配、管理
、および／または評価ワクチンに。
【０１６３】
要約すると、現在の発明は非制限例として、含んでいる様々な第一次および／または任意「モジュール」を（すなわち、大幅に自動化されたシステムや大幅に自動化された方法）提供する：１つ以上のモジュールのための：
（１）試作期間の基礎（プライマリシステムや第一次現在の発明の操作上方法）の１つ以上のワクチンを、できれば確保すること；
（２）ワクチンについての消費者をやワクチン接種の管理および、任意に、他の関連のトピック教育する；
（３）は計画および／または個人的な管理および／または一時的な過去、現在、および／または将来ワクチン接種を分ける；
（４）は慈悲深く（すなわち、寄付する）１つ以上のワクチンを贈与する、および／または慈悲深く才能豊かなか寄付されたワクチンを必要としてそれらを登録することのような補足および／または代替のワクチン接種の予約を提供して、作用し；
（５）１つ以上のワクチンのためのおよび／または１つ以上のワクチン関係した項目やサービスのための補償を処理し、
（６）効率的にワクチンを作り出す；および／または任意に管理のワクチン接種の生産設備や人員；
（７）効率的に分配ワクチン、および／または任意に管理のワクチン接種の配分の設備や人員；
（８）効率的にワクチンを管理すること；および／または任意に管理のワクチン接種の管理機能や人員；
（９）ワクチンの効力および／またはワクチン関係した項目やサービスの質を報告することおよび／または評価すること；
（１０）１つ以上のワクチン接種の議定書や条件の承諾を確認すること；
（１１）１つ以上のワクチン接種の消費者や関連の実体へ情報セキュリティや財政上の安定を提供すること；
（１２）ワクチンの一人以上の生産者や他の提供者の法的および／または財政の責任を限ること；および／または
（１３）それから基本的なワクチン接種の予約システムや代替の具体化内の多言語操作や言語翻訳を提供する。
【０１６４】
上でリストされている各互い違いおよび／または補足の（すなわち、非第一次）具体化が１つ以上のシステムや方法から成り立つ任意付属の「モジュール」として（例えば、項目２−１３）記述されているかもしれないことに注目しなさい。但し１つ以上の特定の機能を行うときある特定のモジュールが「任意」ではないかもしれないことが、強調される。これらの互い違いおよび／または補足の具体化はここに次にさらに詳しく論議される。
【０１６５】
そのような任意モジュール（すなわち、任意システムや任意方法）が基本的な方法３０および／またはここに記述されている１つ以上の目的のためのあらゆる有用な組合せのシステム１０に組み込まれるかもしれないおよび／または予想することを現在の発明が現在の発明のユーザーに知られているようにことが更に強調される。更に、発明は任意システムや任意方法（すなわち、任意モジュール）の１つ以上が方法３０および／またはシステム１０とは関係なく実行されるおよび／または作動するかもしれないことを提供する。更に、発明は方法３０および／またはシステム１０が他の有用な目的に発明の性質から出発しないで（および／または他の有用な結果を達成するため）使用するかもしれないことを予想する。
【０１６６】
（２．ワクチン消費者を教育するための補足のシステムまたは方法）
病原性のある脅威、利用できるワクチン、典型的なワクチン接種のプロシージャ、およ
び／または特定の条件の一般的な理解を高めるために消費者を教育するための補足システムや方法は（しかしまた従がうワクチン接種の予約システムを使用するワクチン接種の消費者の機能を改善するため）、現在の発明更に任意に操作可能な１つ以上の大幅に自動化されたシステムやシステムの他のどのユーザーと同様、もワクチン接種の消費者やワクチン接種の消費者の代表を、教育するために方法を提供することを提供する。
【０１６７】
特に、発明は非制限例としてトピックにを含む、演説する１つ以上の任意大幅に自動化された教育モジュールを提供することを提供する：（１）一般稼働状況の危険の伝染性の病原体は潜在的なワクチン接種の消費者に提起する；（２）そのような病原性のある脅威か危険を軽減するために用いられるかもしれない典型的なワクチン；（３）典型的なワクチン接種は要求されたおよび／または推薦された示すことのワクチン接種、例えば、小児科または「幼年期」の一連のワクチン接種（すなわち、小児科のワクチン接種のコース）を予定する；（４）特定の地域のための特定、任意にリアルタイム、流れや予測の病原性のある脅威；および／または（５）特定の消費者のために適切または不適当かもしれない普通個人的なデータ（消費者が取る例えば、年齢、性、ある病状、薬物および／または他の個人的な属性）に基づく細目ワクチン。
【０１６８】
さらに、発明は任意に非限る提起される軽減するための１つ以上の補足の非ワクチン関係した技術に演説する提供することを下記のものを含みなさい病原性のある脅威によって提供する、例を危険を１つ以上の任意大幅に自動化された教育モジュールを（システムや方法）任意に：（１）健康な免疫組織、食餌療法の補足、物理的な練習、および／または残り、（２）圧力の維持の適切な個人衛生や環境の清潔適切な食事療法によって維持し、（３）維持の減らされた物理的なおよび／または心理的なレベル、および／または（４）伝染の病原体の知られていたキャリアや可能なキャリアが付いている接触を近く避けるか、または最小にする。
【０１６９】
更に、発明は任意に現在の発明の基本的なワクチン接種の予約システムの適切な使用を記述する１つ以上の大幅に自動化された教育モジュールを提供することを提供し（例えば、システム、要素、方法、操作手順、優先する練習、および／またはそのようなものの１つ以上を記述する）。付加的なおよび／または拡大された教育モジュールは更に現在の発明の補足および／または代替の面の１つ以上の適切な使用を記述するために任意に提供されるかもしれない。
【０１７０】
そのような教育モジュールが現在の発明の他のモジュールを（すなわち、システムや方法）作動させる前にできれば（しかし必ずしも）使用される別のモジュールとしてワクチン接種の予約システムに任意に組み込むことができることに注目しなさい。但し、代わりにそのような教育モジュールは次にさらに詳しく記述される管理システム組み込まれるかもしれないおよび前述の任意ワクチン接種の計画のような現在の発明の他の第一次、補足の、および／または互い違いモジュールの１つ以上におよび／または補足に（すなわち、システムや方法）。発明の１つ以上の他のモジュールへの１つ以上の教育モジュールを（すなわち、システムや方法）組み込むか、または電子的につなぐことによって、特定システムのユーザーが容易に特定システムと関連していた情報にアクセスまたは機能（または他のユーザーの選択可能な情報にアクセスするため）その特定システムの内で働いている間またはモジュールことをできることに注目しなさい。
【０１７１】
それにもかかわらず、１つ以上の教育モジュールはシステム１０および／または方法３０に任意に非制限例として、含んでいる１つ以上のサブステップを（示されていない）含むためにステップ２００の変更によってのような組み込まれるかもしれない：記憶媒体１７で前もって決定された教育情報を提供し、読み出し可能に貯えるためのステップ；操作可能な情報検索システムを（できれば、しかし必ずしも、商用化されたインターネット「
ウェブブラウザ」かそのようなもの）人間インターフェイス１６によってユーザーかオペレータに貯えられた教育情報を取り出し、示すために提供するためのステップ；そしてアクセスされるために動作可能に（ポインティングデバイスか他の人間インターフェイス装置１６の使用によってのような）教育情報の１つ以上の項目を選ぶことによって貯えられた教育情報にアクセスするために任意に検索システムを作動させる。そのような教育情報が普通、短い記事、写実的な描写、および／またはデジタルビデオおよび／または可聴周波ファイルの形でユーザーに示されるために必ずしも予想されることが；但し、促進することは貯えられた教育情報が１つ以上の動的ことができることに学習を、注意する、任意に相互の、教育個人指導の形でユーザーに任意に示す構成した。
【０１７２】
（適切な人間インターフェイス装置１６を使用していたら）利用できるシステム１０のオペレータに情報の範囲を拡張するためには、現在の発明は更に１つ以上の外部エンティティによって提供され、貯えられるアクセスのワクチン関係した情報（か他の情報）へ１つ以上の任意動的電子リンク（例えば、ハイパーリンク）を提供することを提供する（提供されるかもしれないのような例えば、情報は疾病対策センターの「ウェブサイト」、か米国で基づいてＣＤＣで）。
【０１７３】
同様に、現在の発明はまた任意にワクチン関係した商業および／または非営利的な実体へ動的電子リンクを提供することを提供し、更に人間インターフェイス１６の表示装置か他のタイプで任意企業の広告スペースを提供することを提供する（グラフィカルユーザーインタフェース、電子的形態、インターネットのＷｅｂページ、および／またはそのようなものの前もって決定された地域への広告スペースを組み込むことによってのような）。そのような広告スペースが実行されたワクチン接種の予約システムを維持するか、または改良するのに使用されるかもしれない広告収入の源を提供するかもしれないことに注目しなさい。現在の発明（すなわち、ワクチンやワクチン関係したサービス）の演説する非常に重要な機能および専門にされた市場部門を考えると優秀な機会はより広いワクチン関係した経済コミュニティの内の高目標とされた広告のためにある。この経済的な機会を開発するためには、それ以上の現在の発明は任意に当業者に知られている多くのシステムや方法の１つ以上のような広告収入や紹介の収入を、集めるために１つ以上を提供することを操作可能な大幅に自動化された補償処理システムや方法提供する。
【０１７４】
（３．消費者のワクチン接種を計画および管理するための補足のシステムまたは方法）
完全な文書化すること促進する計画および管理の消費者のための補足システムや方法はワクチン接種現在の発明更に任意に一時的にを含む計画および／または管理の個人的なワクチン接種、任意に、現在、および／または未来のワクチン接種に１つ以上の大幅に自動化されたシステムや方法提供することを提供する。
【０１７５】
端的に説明すると、「ワクチン接種計画および管理システム」は操作可能な非常に効果的な用具として役立つために非制限例として１つ以上の機能をを含む、行うのに形成することができる：（１）システムのユーザーをそして正確にすぐにに助ける選り抜き意図されていたワクチン接種の消費者のために医学的にそして、任意に、経済的に適切である１つ以上のワクチン；（２）はユーザーを一時的に助けるおよび／または普通予定のような意図されていた消費者のために空間的に（すなわち、位置）１つ以上のワクチン接種を、予定して多数のワクチン接種から成り立つ小児科の一連のワクチン接種（すなわち、小児科のワクチン接種のコース）、かなり厳密な長年のスケジュールに管理した；および／または（３）電子任意に適切なデータの１つ以上の他の項目を含む非限るかもしれない任意に永久的の、任意に携帯可能な、任意におよび／または任意に電子的に読解可能なワクチン接種の記録を、例を消費者に管理される様々なワクチン接種を文書は下記のものを含むかもしれない作成するために：名前や他の単一識別子；保護者の名前、適当であれば；連絡先情報、郵便郵送物の住所のような、電子メールの住所および電話番号；ワクチン接種
の生産者；ワクチン接種の通し番号や製造業は鑑定器を区分する；ワクチン接種の管理の日付、管理の人員、および／または管理機能；ワクチンの観察された不利な反作用へのおよび／または悪影響；知られていたアレルギー；並行薬物やワクチン；消費者の第一次心配医者か他の医者；一人以上の医者のための連絡先情報；および／またはそのようなもの。
【０１７６】
概要構成に関しておよび大幅に自動化されたワクチン接種の計画および管理システム（またはモジュール（１）特定の個人的なおよび／または医学データを含む将来のワクチン接種の消費者の現在の生命状態に適切な収集および／またはアクセスデータによって）普通作動すること操作、最初ノート；（２）ワクチン接種の条件や推薦に関する収集および／またはアクセスデータ；（３）使用の特定の限定や禁止を含む特定のワクチンに関する収集および／またはアクセスデータ、できれば；（４）は消費者の現在の生命状態に論理的に前述どのワクチン適切であるか定める集められたおよび／またはアクセスされたデータを比較して、不適当、および／または将来のワクチン接種の消費者によって使用のために禁止されて基づいていた；（５）検討、修正、および／または受諾のためのユーザーかオペレータに結果を報告すること；そして（６）任意に任意に電子的に適したフォーマットでユーザー受け入れられたそれに続く使用に任意に携帯用電子「個人的なワクチン接種の計画」（か等量を）提供するためにワクチン接種を貯えることによる１つ以上の受諾可能なワクチン接種を、できれば文書化することは将来のワクチン接種の消費者のために適切な１つ以上のワクチン接種を定めるために非常に厳密な、包括的な分析が任意に行うことができるけれども要求するというワクチン接種の計画および管理システムのユーザーによる最低の努力を。上で記述されている大将プロセスに加えてワクチン接種の計画および管理システムが更に「個人的なワクチン接種の計画」および／またはそこに含まれている例が後でここに記述されていて将来のワクチン接種の１つ以上に機能するために任意に形成することができることに注目しなさい。
【０１７７】
実施に関して、ワクチン接種の計画の比較的簡単な具体化がおよび管理システムまたはモジュールワクチン接種の予約システム１０および方法３０のことを変更によってのような（１つ以上のシステムや方法から成り立つ）容易に実行することができることに注目し。特に、実施は普通サブステップ２１０によって（示されていない）１つ以上を提供するために方法３０のステップ２００の増加を電子的にデータの１つ以上のもとから（および／または操作可能記憶データに集まるためにアクセスするため）データの１つ以上の項目を懇請し、集めるために集まる適切に形成された情報および／または操作可能な情報アクセス装置要求する；（ａ）将来のワクチン接種の消費者の個人的なデータや医学データを含んでサブステップ２２０によって関連情報かデータを（示されていない）、普通、必ずしも、（ｂ）ワクチン接種の条件データ集めなさいおよび／またはアクセスしなさい（例えば、黄色熱か他の病原性のある脅威に対して種痘される学生が小児マヒか他の病気に対して種痘する旅行条件小児科シリーズに堤出のための小児科の医学の条件学校の条件、等）、および（ｃ）ワクチンの適切で、不適当な、および／または禁止された使用を含むワクチン接種データ；適切な提供された操作可能で論理的なコンピュータアルゴリズムを使用してサブステップ２３０（示されていない）将来のワクチン接種の消費者のために適切および／または不適当（例えば、可能性としては安全）である１つ以上のワクチン接種を定める集められたおよび／またはアクセスされたデータをによって論理的に（示されていない）比較する；そして将来のワクチン接種の消費者のための１つ以上の適切でおよび／または不適当なワクチン接種に関するサブステップ２４０（示されていない）情報によってシステムのユーザーに報告する。
【０１７８】
適切な将来のワクチン接種の消費者に１つ以上のワクチンを選ぶために必要な情報を集めるか、またはアクセスするために様々な任意システムやプロセスが提供されるかもしれないことにさらに詳しく、注目しなさい（および／またはここに記述されているデータを
アクセスするため他の目的のために集めるか、または）。１つの非制限例として、データは１つ以上を使用して人間インターフェイス装置１６で任意に記述されているそれらのような書き込み式タイプ電子的形態異なったタイプのデータを入れることを促進するようにおよび／または様々な示されたメニュー選択の間で選ぶために前に１つ以上の電子メニューの選択を含んで、集められるかもしれない。第２非制限例として、データは回復可能なデータ、そのような１つ以上の電子データベース１２および／または必要情報を含んでいる１つ以上の他の電子ファイルの１つ以上の源への電子的に連結によって集めることができる。
【０１７９】
特に集められる、および／または電子的に１つ以上の電子医療記録へ将来のワクチン接種の消費者ことをことをについての適切な情報を含んでいるシステムや他の電子個人的な（か人員を）記録システムをつなぐことによって代わりに将来のワクチン接種の消費者と関連している個人的なまたは生命状態データがシステム１０および／または方法３０の消費者か他のユーザーから１つ以上の書き込み式電子的形態の使用によってのような懇請され、直接、集めることができることに、注目しなさい。
【０１８０】
同様に、ワクチン接種の条件と関連しているデータは同じようなシステム、プロセス、および／または方法によって集められおよび／またはアクセスすることができる。但し、正確さおよび効率の為に、ワクチン接種の条件データを集めるための好まれる方法は１つ以上の電子源に電子的に連結によってそのようなデータの、できれば提供される（および規則的に更新されるそのようなワクチン接種の条件を確立するおよび／または実施する責任を持っている実体によって）行う。非制限例として、得ることができることが、および／または特定の学校当局やローカル公衆衛生代理店ことをによって特定の学校で子供を登録するためのワクチン接種の条件が、催されて準備される電子データへの電子的に連結によって予想される。
【０１８１】
更に、そのようなワクチンの適切で、不適当な、および／または禁止された使用を含む１つ以上のワクチンに関するデータは、また同じようなシステム、プロセス、および／または方法によって、集められるおよび／またはアクセスされるかもしれない。再度、正確さおよび効率の為に、そのようなワクチン接種データを集めるための好まれる方法は１つ以上の電子源に電子的に連結によってそのようなデータの、できれば提供される（および規則的に更新される）ワクチンを開発する、調整する、および／または管理する責任を持っている実体によって行う。非制限例として、発明は電子的に連結によって（ＣＤＣ）、および／または疾病対策センターのような１つ以上の代理店によって催されて、準備される電子データへそのようなワクチン接種データへのアクセスを提供することを予想する。
【０１８２】
消費者、ワクチン接種の条件、および／またはワクチンに関する情報が任意に提供することができる予想され続いてから、コンパクト・ディスク（ＣＤ）および／またはそのようなもののような１つ以上の電子的に読解可能な記憶媒体、取り出されるか、または集められることが；但し、読者はそこに含まれている情報が急速な退行に応じてあるかもしれないこと警告される。
【０１８３】
上で注意されるように、現在の発明は更に任意にワクチンへ可能で不利な反作用に将来のワクチン接種の消費者を選別するために大幅に自動化されたシステムや方法を提供することを提供する。更に上で注意されるように、そのような「スクリーニングシステム」は普通将来のワクチン接種の消費者選ぶプロセスを助けるためにまた有用、ワクチン接種の条件および特定のワクチン接種情報の現在の生命状態に基づいて将来のワクチン接種の消費者に最も適切なワクチンを、である。今度はさらに詳しく、相当数のデータは普通きちんと将来のワクチン接種の消費者を選別するために得られ、論理的に比較される必要がある。特に、将来の消費者から集められるべき普通（しかし必ずしも）多量の個人的なデー
タは非制限例として、含むかもしれない：年齢、性、一般稼働状況の状態、特定のある病状、現在の薬物、知られていたアレルギー、前のワクチン接種、および／または他の関連したデータ。同様に、適切なスクリーニングは非限る下記のものを含みなさい各々の将来ワクチンのためにかなりのデータを要求する、例を普通：アレルギーの応答を引き起こす傾向；ワクチン接種のために適切ではない年齢；他の薬物はワクチンが適切ではないかどれのために調節する；他のワクチン、薬物、および／または他の薬剤との可能なおよび／または知られていた不利な相互作用；そのようなもの。きちんとワクチンとの潜在的で不利な相互作用のための消費者を選別することの健康重大な性質を考えると、比較的少なくと関連したデータ、普通集め、論理的に比較するために操作可能または人間の援助の広大な量をではないあまり大幅に自動化されたシステムの価値は、過少見積りされるべきではない。したがって、上で定義された発明はスクリーニングシステムが必要な要素および機能だけ組み込むためにシステム１０および方法３０を単に変更することによって容易に形成することができる大幅に独立システムとして大切に使用されるかもしれないことを、スクリーニング機能を行うように要求されるように各予想する。
【０１８４】
上で記述されているプロセスに加えてワクチン接種の計画および管理システムは更に「個人的なワクチン接種の計画」（か同等の電子ファイル）および／またはそこに含まれている将来のワクチン接種の１つ以上に機能するために形成することができる。１つの非制限例として、医者や他の有能な人が個人的なワクチン接種の計画を見直し、変更し、拒絶し、および／または受け入れることができるまたは部分進めることができたりおよびデジタル署名の提供によってのようなある任意に提供されたデジタル署名の録音装置ことをを使用して任意に計画の彼／彼女の検討や承認（または承認）、という証明することに注目しなさい、電子的に貯えられた個人的なワクチン接種の計画（か１つ以上の将来のワクチン接種の情報それから意図されていたワクチン接種の消費者の医者に）任意に自動的に電子的に（システムを使用してそれらのようなあらゆる実用的な電子コミュニケーション方法によって１０は、当業者にまたは１に知られていてここに記述した）や他の有能な人人間インターフェイス装置１６の別の例。この医者の検討プロセスが更に特定の個人的なワクチン接種の計画の完全性そして安全を保障するために有効な方法を提供することに注目しなさい。
【０１８５】
第２非制限例として、電子的に貯えられた個人的なワクチン接種の計画（か同等の電子ファイル一時的および／または空間的に（例えば、地理的に）予定するために使用され必要がある、および／または確保することができる１つ以上のワクチンのためにデータソースとして）任意に。特に（上述のように増加される）、任意にによって１つ以上の未来のワクチン接種のために大幅に自動化された「ワクチン接種スケジューリングシステム」を、空間的一時的な任命提供し、使用することを迅速かつ簡単にその上に（１）によってのような、促進し（集めおよび／または）一人以上の将来のワクチン接種の消費者の個人的なスケジュール、ワクチン接種供給に関する１つ以上のスケジュール、およびワクチン接種の管理の人員やワクチン接種の管理機能のために１つ以上のスケジュールを、および（２）アクセスし可能性としては複雑な予定プロセスがシステム１０および比較的に少な努力の方法３０のユーザーによって完了することができるという一人以上の見通しのワクチン接種の消費者にワクチンを管理するための１つ以上の相互に受け入れ可能で空間的一時的な任命を定めるために論理的にこれらのスケジュールを比較する予定することができ。
【０１８６】
さらに、電子個人的なワクチン接種の内で（または同等の電子ファイル）（一般に、方法３０のステップ３００と共に作動するシステム１０）大幅に自動的に単一の予約の、任意に確保するために連続記帳機構の識別されたワクチン接種１つ以上（またはすべてを）計画する含まれているワクチン接種データは（アクセスされるか、または送信することができる）ワクチン接種の予約モジュールによって。したがって従って、任意に現在の発明の他の任意モジュールと共の注目される予約即座に１つを計画するために、予定するため
に、および／または確保するためにモジュールを作動させることによって少数の簡単な指示だけワクチン接種の予約システム１０のユーザーによって要求している間（特に、計画および管理モジュール）、システム１０は操作可能ほとんどワクチン接種のより多くのワクチン接種や１つ以上の複雑な一連、前述の小児科シリーズのようなある。
【０１８７】
それ以上の現在の発明は任意に規則的なワクチン接種のための必要性を将来のワクチン接種の消費者に、季節的なインフルエンザワクチン、または多分そうまれに与えられる破傷風のブスターのワクチン接種のような思い出させるために大幅に自動化されたシステムや方法を提供することを提供する、（普通第１０毎年）最も勤勉なワクチン接種の消費者が彼または彼女が次の破傷風のブスターのために当然いつであるか忘れがちである。そのようなメモはシステム１０によって周期的にワクチン接種の消費者（か消費者の代表と）１つ以上の無計画なワクチン接種のための一般的な必要性を伝えることによって容易に単に発生させることができるまたは、代わりに、前に計画される１つ以上または普通（または同等の電子ファイルで）、普通上記されているように貯えられるかもしれないのような予定されたワクチン接種は、個人的なワクチン接種の計画でここに記述されている多くのコミュニケーション方法の１つ以上を使用して。そのようなメモがかなり将来のワクチン接種の消費者１つ以上のワクチン接種のために彼自身が計画することを、予定することを、確保することを、および／または示すことを覚えている確率を高めがちであることが注意されるべきである。
【０１８８】
それ以上の現在の発明は任意に歴史的脅威、現在の脅威、および／または予測の脅威、概説のために使用されるかもしれないまたはように評価されるべき任意データソース（ステップ２２０のためにのような）（ステップ２３０によってのような）時要求されるおよび／または推薦されるかもしれない計画のワクチン接種結果を含むワクチン接種の消費者に一般的な病原性のある脅威を、任意に集めること、評価することおよび／または報告するために大幅に自動化されたシステムや方法を提供することを提供する。脅威データが単に電子的に周期的に利用できるそのような脅威データを編集し、作るまたは同じような組織ことを疾病対策センターのような脅威情報の外部ソースへのシステム１０を、つなぐことによるのような様々な方法によって、集めることができることに注目しなさい。またユーザーによる病気のレポートがシステム１０によって分析され、編集することができる用いられおよび／またはシステムのユーザーにおよび／またはＣＤＣのような１つ以上の外的な組織に直接ことができるという、システム１０は任意にシステム１０のユーザーからの健康データを直接懇請するために報告する。かさらに病原性のある脅威がＣＤＣのような脅威データの外部ソースに電子リンクによって断固としたおよび／または評価によって断固としたかもしれないか病原性のある脅威が前もって決定されたレベルの上に上がること、システム１０は条件にシステムの一人以上のユーザーに警告するように任意に指示することができる、病気データをユーザー提供した。
【０１８９】
それ以上の現在の発明は任意に移動するか、または世界の特定の地域に移動することを計画している人のために要求されるか、または推薦されるワクチン接種を識別するために大幅に自動化されたシステムや方法を提供することを提供する。システム１０はユーザーを持っていることによる特定旅行旅程のために容易に用いることができる、適切な必須のおよび／または推薦されたワクチン接種を定めるためにその上に任意に医学の妥当性のためのあらゆる必須か推薦されたワクチン接種に関連して消費者を選別するために旅行者の旅程をそれに続く使用のためのシステムに必須のワクチン接種を定める自動的に意図されていた旅行行先のためのワクチン接種の条件にアクセスできる管理システムおよび前に記述されていたワクチン接種の計画によって（前に述べられたスクリーニングシステムを使用して）単に入れなさい、および必須を報告しなさいおよび／または任意に医学的に適切であるワクチン接種を推薦しなさい、ユーザーへの。
【０１９０】
それ以上の現在の発明は任意に追跡に大幅に自動化されたシステムをおよび／または方法提供することをおよび／または提供し空間的な（例えば、地理的）位置に基づいてワクチン接種のための可能な必要性をおよび／または他の予防治療、旅行を定めるために消費者移動した将来のワクチン接種の消費者によって評価する、一時的な日付消費者が特定の位置（すなわち、旅行旅程）にいた、および知られているか、またはそのような時とそのような位置に存在すると信じられる病原性のある脅威。システム１０は完了された旅行旅程を入れ、各位置の病原性のある脅威データおよび旅行旅程で提供される時間を定めるために集め、続いて１つ以上の病原性のある脅威への露出の可能性や確率を評価し、そして報告することによって容易にシステム１０に病原性のある露出の重要な危険を用いることができる。更にこの機能を、全体的な位置方式（かＧＰＳ）装置のような位置の監視装置は自動化するために、記録への旅行者に任意に自動的に提供されおよび／または任意に病原性のある脅威への露出の大幅に実時間評価を可能にするシステムに任意に自動的に旅程を、それにより入れることができる。
【０１９１】
それ以上の現在の発明は任意に大幅に自動化されたシステムや方法を監視に提供し、種痘した世界、国家、および／または地域社会の様々な地域ののようなワクチン接種率を（人口の例えば、数や一部分）、報告することを提供する。ワクチン接種率データが単に電子的に周期的に利用できるそのようなワクチン接種率データを編集し、作るまたは同じような組織ことを疾病対策センターのようなワクチン接種率データの外部ソースへのシステム１０を、つなぐことによるのような様々な方法によって、集めることができることに注目しなさい。また一般にワクチン接種率を定めるためにユーザーによるワクチン接種のレポートがシステム１０によって分析され、編集することができるという、システム１０はシステム１０のユーザーからのワクチン接種データを直接懇請するために任意に用いることができる。ワクチン接種率データは目的のためのシステム（または他の党）のユーザーとことができ伝えるかどうか評価する評価するのような頻繁により高い感染率を経験する低いワクチン接種を用いる区域に移動するためにそれから。この機能が医学のために種痘してないまたは他の理由かもしれない将来の旅行者に特に重要なことをもつことに注目しなさい。
【０１９２】
（４．ワクチンを予約するための代替のシステムまたは方法）
上述に記載されている基本的な予約システムおよび方法に加える補足の予約機能は現在の発明更に任意に１つ以上の互い違いおよび／または補足の予約機能を組み込むことを提供する。
【０１９３】
１つの非制限例として、現在の発明は消費者のワクチンの特定の種類を含む、ワクチン接種の生産（鶏の卵内の例えば、病原体の孵化選び、確保することを許可を大幅に自動化されたシステムや方法を含んでまたは、代わりにの（病原体）のワクチン接種の管理（すなわち、皮下注射、鼻の霧、口頭、等）の例えば、（１）方法、（２）特定の緊張（または緊張）消費者が（任意に特定の個人かグループのために習慣作り出されたワクチンを指定する機能を含んで）１つ以上のワクチンによってから保護されたい、および／または（３）方法を更に任意に提供する、ワクチン接種の生産の非アレルギー性の方法）。非制限例としてこの機能を単に行うために、システム１０および方法３０は更に（１）操作可能な１つ以上の電子メニュー（か他の人間インターフェイス）および（２）操作可能な各々の電子予約のデータレコード内の対応する１つ以上の付加的な様々なユーザーによる選択がそのようなワクチン接種のタイプ情報を受け取り、貯えるようにタイプのワクチンを示すようにデータフィールドを提供することによって変更することができる。注目される付加的な面を組み込むために方法３０への修正が普通ステップ３００を変更することを伴なうことに注目しなさい。手動で電子メニューから１つ以上のタイプのワクチンを選ぶことに加えて代わりに１つ以上のタイプのワクチンの自動予約を可能にするために前述の個人的なワクチン接種の計画がアクセスすることができる特定の個人的なワクチン接種の計画
にリストされているそれらのようなことに、注目しなさい。
【０１９４】
二番目に例を非限ってように、現在の発明は有限か、任意に、不明確な一定期間にわたるワクチンの大多数を確保するか、または「予約購読」を大幅に自動化されたシステムや方法を含んで（確保するか、または別の方法で）獲得と関連付けられる消費者に重荷が多数ワクチンをかなり減るか、更に任意に提供する。再度、非制限例として、システム１０および方法３０は更に（１）操作可能な１つ以上の電子メニュー（か他の人間インターフェイス）および（２）操作可能な各々の電子予約のデータレコード内の１つ以上の付加的なユーザーによって選択可能なワクチン接種の予約購読のそのような予約購読情報を受け取り、貯えるために選択を示すようにデータフィールドを提供することによってこの機能を単に行うために変更することができる。注目される付加的な面を組み込むために方法３０への修正が、もう一度、普通ステップ３００を変更することを伴なうことに注目しなさい。発明は様々なタイプの予約購読がことができることを、確立する任意に予想する非制限例としてを含んで：様々な持続期間（例えば、３年、五か年、等）の固定期間の季節的なワクチン接種の予約購読；不明確言葉の季節的なワクチン接種の予約購読（取り消されて）永遠で続けない例えば、予約購読；および／または小児科のワクチン接種のコース（またはシリーズ）のようなワクチン接種の特定のコースへの予約購読。手動で電子メニューから１つ以上のワクチン接種の予約購読を選ぶことへの代わりとして代わりに１つ以上のワクチン接種の予約購読の自動予約を可能にするために前述の個人的なワクチン接種の計画がアクセスすることができる特定の個人的なワクチン接種の計画にリストされているかもしれないのようなことに、注目しなさい。
【０１９５】
（論議されたさらに詳しく以下にである）ワクチン接種の予約購読のためのその補償任意にことができる非制限例として、処理する注意しなさい：として単一トランザクション（例えば、一度だけの支払）として、または一連のトランザクション（例えば、周期的な支払）従がうワクチン接種の予約購読から成り立つワクチンの用量に普通、しかし必ずしも、生産、配分や管理のスケジュールに相当して。ワクチン接種の予約購読のための繰り返しの電子支払が任意に自動的に周期的にそのような物処理することができることが更に、予想され従ってワクチン接種の契約者（か契約者の代表）必要性が各々の周期的な支払をそれぞれことを承認しなければならないかわりにだけ１回一連の支払を、承認することワクチン接種の予約購読のために処理する補償を非常に促進する。
【０１９６】
別の例として、（および／または配分や管理）ワクチンの生産の可能な予想外の中断に対して守るために、現在の発明は非制限例としてワクチンの用量の大多数が任意に作り出されるか任意に個々のワクチン接種の消費者のためにワクチンの用量の大多数を確保するために大幅に自動化されたシステムや方法を提供することを（普通ワクチンおよび第一次用量の損失の場合の使用のためのワクチンの少なくとも１のの少なくとも１つの第一次用量を含んで余分なか予備の用量）提供する：同じ生産者によって、任意に同じ工場用地の、そして任意に同じ生産のバッチの（１）；同じ生産者によって、しかし任意に区別される生産のバッチの（２）；同じ生産者によって、しかし任意に区別される工場用地の（２）；異なった生産者によって（３）；異なった地理的位置や工場用地の生産者によって（４）；異なった政治および／または他の権威のある境界内の生産者によって（５）；および／または他の実用向きの生産の整理によって。再度、非制限例として、システム１０および方法３０は更に操作可能な１つ以上の電子メニュー（か他の人間ユーザーによって選択可能な様々な生産の選択を示すためにインターフェイスを）提供することによってこの機能を単に行うために変更することができる。注目される付加的な面を組み込むために方法３０への修正が、もう一度、普通ステップ３００を変更することを伴なうことに注目しなさい。
【０１９７】
同様にワクチンの配分や管理の可能な予想外の中断に対する監視に、それ以上の現在の
発明は消費者に任意に別にワクチンの大多数を配ることおよび／または管理するために大幅に自動化されたシステムや方法を提供することを提供する。再度、非制限例として、システム１０および方法３０は更に操作可能な１つ以上の電子メニュー（か他の人間ユーザーによって選択可能な様々な配分や管理の選択を示すためにインターフェイスを）提供することによってこの機能を単に行うために変更することができる。注目される付加的な面を組み込むために方法３０への修正が、もう一度、普通ステップ３００を変更することを伴なうことに注目しなさい。
【０１９８】
発明の変更されたか、または互い違い構成の別の例として、発明は更に任意に（任意に前払いのために）（任意に将来のワクチン接種の消費者によって前承認の時に大幅に未定である）の可能な未来の生産を１つ以上のワクチン、のような前承認するために大幅に自動化されたシステムや方法を提供することをである現在未知、予想外の、および／または多分出現の病原性のある脅威（実用向き病原性のある脅威とすぐ１つ以上のそのような物の生産が一度前承認されたワクチン識別される始まることができるという、人間、細菌戦争の代理店、等に非常に伝染性そして致命的になるために変異するかもしれない鳥類のインフルエンザウイルスの例えば、非常に劇毒性の緊張）のために適切提供する、実用向きとすぐそれによりワクチンを消費者に利用できるする。再度、非制限例として、システム１０および方法３０は更に操作可能な１つ以上の電子メニュー（か他の人間インターフェイスを）提供することと任意にユーザーによって選択可能な１つ以上の前承認の選択を示すために脅威は前もって決定されたレベルを超過することを持っているかどうか定めるのに使用することができる病原性のある脅威情報を集め、評価することによってこの機能を単に行うために変更することができる（上でここに記述されている平均によってのような）、超過されたら、前承認されたワクチンの生産の開始を誘発する。注目される付加的な面を組み込むために方法３０への修正が普通（任意にそれから１つ以上のサブステップを含んで）ステップ３００および、任意に、ステップ２００を変更することを伴なうことに注目しなさい。
【０１９９】
発明の変更されるか、または互い違い構成の別の例として、発明は前もって決定された位置（任意にユーザー指定）、１つ以上の既存のおよび／または未来作り出されたワクチンをで更に特定の消費者の排他的な将来の利用のために、任意に確保し、貯えるためにシステムや方法を提供することを提供する。一般に十分な量で利用できない（全体的に、全国的に、および／またはすべての人のために危機の場合には局部的に）かどれが、そのようなシステムや方法は小さ使用された代理人へのアクセスを、反生物的戦いの代理店のような保証するために特に有用である。更に、そのようなシステムや方法は現在利用できるワクチンがそれがワクチンを受け取ることは消費者のためにもっと医学的に適切である先物期日に利用できることを保障するために有用である。例えば、妊娠した母は彼女の妊娠と干渉することはまずないとき未来の管理のためにインフルエンザワクチンを確保したい場合もある。再度、非制限例として、システム１０および方法３０は更に操作可能な１つ以上の物理ストレージデバイスそのようなワクチンにラピッド・アクセスを可能にするためにできれば取付けられるか、または「事前に配置される必要性の時間のワクチン接種の消費者によってワクチン接種の消費者への近似性で」１つ以上のワクチンを、貯えるために設備を提供することによってこの機能を単に行うために変更することができる。注目される付加的な面を組み込むために方法３０への修正が、もう一度、普通ステップ３００を変更することを伴なうことに注目しなさい。
【０２００】
発明の変更されるか、または互い違い構成の別の例として依存した人に１つ以上のワクチンの管理を承認する、発明は更に任意に一人以上の依存した人（例えば、学齢期の子供、不具の大人、または依存した年配人）の親または法定後見人からの承認を、のような得るために大幅に自動化されたシステムや方法を提供することを提供する。行うことができ、医者の個人的なワクチン接種の検討を行なうために用いられる方法が前に上述に記載さ
れているように、システム１０が同じ平均を大幅に用いることによってこの機能を計画することに注目しなさい。
【０２０１】
発明の変更されるか、または互い違い構成の別の例として、発明は更に任意に大幅に自動化されたシステムを提供することを提供するおよび／または個々の消費者（または他のユーザー）および／または任意に（１）への消費者の１つ以上のより大きいグループへの消費者の小さいグループの大多数を集めるための方法はワクチンやワクチン接種サービスへのアクセスを促進するか、または可能にする、および／または（２）は自由市場の経済内のより大きいグループの優秀な交渉力の結果としてワクチンやワクチン接種サービスのコストを、普通削減する。再度、非制限例として、システム１０および方法３０は更に（１）操作可能な１つ以上の電子的形態（か他の人間システム１０に情報を提供するためにインターフェイスを）提供することによって任意にこの機能を単に行うために変更するユーザーが上で注意されるように１つ以上の目的形作る他のユーザーとの集合に従う義務があるおよび／または他の目的のためのユーザーのより大きいグループを、および（２）ことができこと１つ以上を確立するために集合に関するユーザー情報をユーザーの集められたグループ処理する。注目される付加的な面を組み込むために方法３０への修正が、もう一度、普通ステップ３００を変更することを伴なうことに注目しなさい。
【０２０２】
発明の変更されるか、または互い違い構成の別の例として、発明は更に提供者にリストまたは提供者の上または初めのような提供者のリスト内の優先する位置の消費者に、示される同輩または「市」の機会が大幅にあるという、任意にワクチンの消費者選択可能な任意提供者の大多数の名前が消費者によって選択のための消費者に（中表示装置装置か他の人間インターフェイスによって示される提供者のリストのような）、示される順序をランダム化するために大幅に自動化されたシステムや方法を提供することを提供する。再度、非制限例として、システム１０および方法３０は更に操作可能な電子メニュー（か他の人間インターフェイスを）持っている１つ以上のユーザーによる選択にユーザーに提供者のランダム化されたリストを提供するために電子的形態を提供することによって任意にこの機能を単に行うために変更することができる提供者の提供されたリストをランダム化するためにそれ以上の提供されたランダム化ソフトウェアアルゴリズムが作動するか。注目される付加的な面を組み込むために方法３０への修正が、もう一度、普通ステップ３００を変更することを伴なうことに注目しなさい。
【０２０３】
（ｂ．ワクチンを寄贈するためのシステムまたは方法）
ギフトにワクチン（か被寄付者）を必要として変更された構成の別の例、現在の発明更に任意に人への個人か他の後援者（または提供者）、慈悲深く許可するための大幅に自動化されたシステムのや方法（または寄付しなさい）１つ以上のワクチン提供を提供するが、だれが限られた財政の平均である。ワクチン（か他の医療サービス）のそのような慈悲深い贈与を促進するためには、発明はまた任意に個人を登録するために大幅に自動化されたシステムや方法を提供することをを必要として提供し、承認代理店（例えば、社会福祉のオフィス等）によってによって評価によってシステム１０または、慈悲深いギフトによる１つ以上のワクチン受け取るために任意に承認した。さらに、発明はそのような慈悲深いギフトが特定の貧乏な個人かグループに直接作ることができることまたは、そして提供する明記していない個人かグループに慈悲深いギフトとして予約そしてとりわけ購入されて、またはワクチンの予備の用量が個人によって必要とされなければワクチン接種の消費者の「スペアー」かワクチンの「余分な」用量を表すワクチンかもしれない寄付されたワクチンが任意にワクチン接種であることを。      再度、非制限例として、システム１０および方法３０は更に（１）ユーザーによって操作可能な１つ以上の電子的形態（か他の人間注目される付加的な面を組み込むために方法３０への修正が、もう一度、普通ステップ３００を変更することを伴なう特定の被寄付者の（寄付されたワクチンを受け取っている例えば、個々の人か構成）ノートに関するシステム１０に情報を提供するためにインタ
ーフェイスを）提供することによって任意にこの機能を単に行うために変更することができる。同じような方法や平均が任意に将来の被寄付者を登録するのに使用することができるまたは何人かの将来の被寄付者、ワクチンの寄付された用量を必要としてことに注目しなさい。
【０２０４】
静かとして変更された構成の別の例は、現在の発明更に任意にワクチン接種の消費者（か消費者代表）一人以上の消費者の１つ以上のワクチン提供したものだ（または他の医療サービス）から収入か利益（または部分的な収入または利益）受け取るために受取人を示すことを許可するために大幅に自動化されたシステムや方法提供することを。更に、そのような物のそのような指定を促進することは一人以上の適した受取人に、発明提供する任意に適した受取人（例えば、慈悲深い非政府機関、教育機関、医学研究の施設登録するために大幅に自動化されたシステムや方法を提供することを、等）を利益を得るか、またはまた進む。これらの機能を実行するために必要なシステムや方法が２つの先行するパラグラフに記述されているようにワクチンの慈悲深い贈与と関連している機能を実行するために必要なシステムや方法と大幅に同一であることに注目しなさい。
【０２０５】
様々な課税徴収の政府の司法権内のそのような慈悲深い寄付または貢献の潜在的な課税控除の状態の結果としてそのようなワクチンやサービスからのワクチン、他の医療サービス、および／または収入または利益、寄付するために慈悲深い贈与のためのそのような機会がまた提供者に優秀な財政の刺激を提供することが注意されるべきである。そのような可能性としては課税控除の慈善寄付を報告することを促進するように（税関係した情報を課税徴収の政府の司法権のために準備するのような目的のために）、現在の発明は更に任意に大幅に自動化されたシステムや操作上方法報告に提供することか任意に、非制限例として、後援者によってを含む司法権を税徴収している後援者の会計士指定される伝えることを後援者や他の実体へのそのような慈善寄付を等提供する。そのような情報がここに記述されている多くのコミュニケーション方法の１つ以上によって伝えることができることが予想される。
【０２０６】
税関係した財政の刺激に加えてそのような慈善寄付のための消費者に提供し、またそれ以上の現在の発明がワクチン接種と関連している財政の刺激を提供するために他のシステムや方法を提供することを複数の非制限例は単一の予約トランザクションによって（１）グループ（無関係な個人の例えば、系列、学校、雇用者、集められたグループ、等）のためにワクチンの大多数を普通確保するために金融割引を提供することが含まれている（２）生産の開始前に１つ以上の予約ワクチンの十分にまたは提供することが部分的に（すなわち、「前払いし」）支払をし、および／または（３）べきで注意される大多数を予約購読するために選ぶまたは周期的（例えば、季節的年次、年の数のための等の）ワクチン接種（適したシステムや方法の使用によって任意に予約システム１０に組み込んだ。注目される付加的な面を組み込むために方法３０へのこれらの修正が普通ステップ３００を変更することを伴なうことに注目しなさい。
【０２０７】
ワクチンの１つ以上の用量を確保するための方法３０が一般に特にワクチンへの信頼できる（例えば、大幅に保証される）アクセスがたくさんの人の生命を毎年救うために必要考慮しである、何百万の一般稼働状況をであるともっと維持する人道主義の見通しからの現在の発明の最も極めて重要な面、ことが強調される。但しかなりワクチン（例えば、生産者、ディストリビューター、管理者、および／またはトランザクション代理人）の提供者に財政の危険を減らすためにこれらの機能の組合せが操作可能であるか、方法３０は予約の処理機能が財政の補償の処理機能とように次に示される任意に結合されるかもしれないことであるすばらしい経済的価値またである。更に、データベース１２の内で含まれているデータにまた（その結果またはそれ以上が次にここに示されているありなさいように、そのようなデータがに容易にかなりワクチン接種の生産と、配分関連付けられる、財政
の危険および／または管理を減らすバランスの季節的なワクチン接種の需要と供給、それにより再度より正確に利用することができるそして他の目的のためにあること方法３０のステップを１００−３００実行する）重要な経済的価値が。
【０２０８】
（５．補償を処理するためのシステムまたは方法）
（図３  補償を処理して金銭的リスクを軽減するするためのシステムまたは方法としての説明および動作：）
図３は描写しワクチン接種の生産の財政の危険をワクチンや他の財政上利害関係者の生産者に軽減するか、または減らすのような非制限目的のための補償を処理するための任意大幅に自動化されたシステムや方法４０を構成する現在の発明の代替の具体化４０を。そのような財政上利害関係者が任意に含むかもしれない非制限例としてことに注目しなさい：一人以上のワクチン接種の生産者、ディストリビューター、管理者やトランザクション代理店、生産者の投資を署名するか、または保証するための責任を持っている政府の健康機関および／または重く全体的なワクチン接種の努力にかかわる非政府の（多分慈悲深い）組織。
【０２０９】
端的に説明すると、方法４０は一般に操作可能なワクチン接種の消費者や他の実体（例えば、消費者の代表、後援者、および／または第三者の支払人）からしっかり止めることに任意システムや方法提供する試作期間の支払か補償管理されたワクチンが第三者の支払人に続いて請求可能なら）、（例えば、金融補償、現物支給の寄付、および／または有志サービス）および／または他の財政責任から成り立つ（またはワクチン接種の管理の後の消費者、消費者の代表、および／または後援者に払い戻し可能である払い戻し可能な性能引き起こす金融沈殿物のような。追加手順が方法３０にワクチン接種の消費者または消費者の代表からのそれから支払（か委任状の）、一般に保証を提供するために、必ずしも組み込まれるという方法４０が生産の開始前に一般に方法３０の修正であることが注意される。
【０２１０】
さらに詳しく、図に示すように。４つの更に消費者運転されたワクチン接種の予約システム１０を使用してワクチン接種の生産の財政の危険を軽減するための方法４０は図で前に描写されるように普通ステップを１００−６００構成する。どのステップしか３００および４００図で示されていないかの２（。４つは）、しかし更に（一般に、必ずしも、前に定義されたステップ３００および４００間で）次の追加手順から成り立つ：
（３１０）ワクチン接種の消費者（か代表またはユーザー）持っていて支払の方法を予約ワクチンにによって普通（しかし必ずしも）示されないように例が含んでいるが、選びなさい限られない遠隔人間インターフェイス装置１６：
（３２０）ワクチン接種の消費者（および／または消費者の代表や後援者）持っていて人間インターフェイス装置１６で完全か部分的な支払を作りなさい；またはワクチンそして請求可能（またはに勘定書を出されるか、または支払われる）第三者の支払人、保険会社のような、政府の健康プログラムそのような支払がワクチンの管理に十分にまたは部分的に払い戻し可能であるという、
（３３０）ワクチン接種の消費者（および／または消費者の代表や後援者）持っていて遠隔人間インターフェイス装置１６で保証沈殿タイプ支払（支払を引き起こすすなわち、性能）をしなさい（例えば。医療保障、／Ｍｅｄｉｃａｉｄ）、雇用者、学校、等；または
（３４０）ワクチン接種の消費者（および／または消費者の代表や後援者）持っていて第三者の支払人を遠隔人間インターフェイス装置１６で完全か部分的な支払を作るために指示しなさい；そして
（３５０）保有物の支払は（条件付捺印証書か信託勘定のような）しっかり止めるが、普通（必ずしも）ワクチンの生産者や他の提供者への支払のために生産の予約、開始、ワクチンの郵送物、および／または後者にそれからそのようなワクチン（および／または管理
）のためのどの未払い料金でも一般に全額支払われたりおよび／または第三者いくつかに勘定書を出される管理に。
【０２１１】
支払を集めるための特定の装置そしてプロセスは当業者に知られている共通方法、平均、および／またはシステムを含めることができたり非制限例として任意に、含むことができる：インターネット接続されたコンピュータ端末を使用して信用による納金か銀行カード（できれば保証のために暗号化される）、信用または銀行カードの読者、信用または銀行カードのトランザクションプロセシング装置、メニュー方式の電信支払システム、慣習的な点検郵便で、手形に操作可能な自動料金請求システム（普通、しかし必ずしも、電子方法によって）第三者（例えば、健康保険の会社、慈悲深い構成、または政府のヘルスケアプログラム、例えば、メディケイドか医療保障）、等。払い戻す、および／またはそのようなもの同じようなか密接に関連システムや方法が払い戻しの完全か部分的な支払に必要性起こったら任意に提供され、作動させることができることに、性能引き起こす金融沈殿物を注目し。
【０２１２】
ワクチンのためのすべての料金が生産の前にこうして任意に支払うことができると考慮して現在の発明の方法４０はワクチンの提供者と、特に、ワクチンの生産者に大幅に財政の危険を除去するために非常に効果的な方法を提供する。
【０２１３】
ワクチン接種の予約システム１０を使用して支払の収集によるワクチンの生産者へのワクチン接種の生産の財政の危険を軽減するための基本的な方法４０は多数の方法で変わりおよび／または補うことができる。
【０２１４】
特に、減らされたか、または割引かれた提供することの料金によってまた方法４０が提供するのに任意に生産の開始前に１つ以上のワクチンを確保することおよび／または前払いするために消費者（か消費者の代表）に金融手当か刺激を使用することができる。同様に、割引は家族、他のグループ、自己投与したワクチンに、および／または多数刺激を保証する他の条件に提供することができる。非制限例として任意にこの機能を行うために、システム１０および方法３０は更に操作可能な１つ以上の電子的形態（か他の人間インターフェイスを）提供することによって単に集める財政の刺激が提供されるとユーザーが満たす激励条件に基づいて補償の処理をそれ以上の提供によってことができるユーザー満たされる条件に関する情報を変更する。
【０２１５】
それ以上の発明は任意に他の援助に計画を与えることによって、サービスを確保すること、予定すること、管理すること、および／またはワクチン接種を促進するために別の方法で行うことのようなワクチン接種を促進するために実体を償うことおよび／または奨励することために大幅に自動化されたシステムや方法を提供することを提供する。非制限例として任意にこの機能を行うために、システム１０および方法３０は更に操作可能な１つ以上の電子的形態（か他の人間インターフェイスを）提供することによって単に集めるワクチン接種を促進するために個人と行われる活動に基づいて補償の処理をそれ以上の提供によって行われるサービスに関する情報を変更することができる。
【０２１６】
それ以上の発明は必要ように維持システム１０のオペレータがことができるかどれをの内で任意に受け取る一人以上の後援者が寄付されるべきワクチンに補償を提供することにしっかり使用するかもしれないのような金融貢献をできるかまたは、握るため、および／またはシステム１０を作動させるためになされる予約のための補償を支払うためおよび／または財政の信頼やエスクロウ・アカウントを確立するために大幅に自動化されたシステムや方法を提供することを提供する。非制限例として、システム１０および方法３０は更に金融勘定を「オンラインで」確立するために１つ以上のシステムおよび方法を提供することによって操作可能な電子的形態（か他の人間インターフェイスを）提供することとこ
れからのプロセスによってそのような物を金融勘定を確立するために記述の確立に関する情報を集めるように単に行うために集められた情報任意にこの機能変更することができる。
【０２１７】
それ以上の発明は寄付された金融貢献のために補償を処理するために慈悲深い資金集めをするでき事をおよび／または前に記述されていたシステムや方法を作動させることによって大幅に自動化されたシステムや方法を提供することを広告するか、によって任意に資金集めをすることおよび／または慈善寄付を受け入れるか、または処理するために、または別の方法で促進することのような提供する。
【０２１８】
それ以上の発明は要求を伝えることによって任意におよび一致の補助金を受け取ることおよび処理することのような一致の補助金を、要求することおよび／または受け取るか、または処理するために大幅に自動化されたシステムや方法を提供することを提供する。
【０２１９】
（６．生産を促進するためのシステムまたは方法）
（図４  正確にワクチン供給および需要を一致させるためのシステムまたは方法としての説明および動作：）
図４は任意に正確に季節的な消費者需要に季節的なワクチン接種の供給（すなわち、生産の量）をマッチさせるために操作可能な大幅に自動化されたシステムや方法から成り立つ現在の発明の代替の具体化５０を描写する。
【０２２０】
端的に説明すると、方法５０は一般に正確に必要な生産の量を続いてただすことを使用することができる、それによりワクチンの生産過剰のために財政の危険と同様、ワクチンの不足のために両方の健康を損う危険性を、定めるのに軽減する予約ワクチン、の総数やタイプのためのデータベース１２を伴なう。正確に季節的な消費者需要に季節的なワクチン接種の供給をマッチさせるために追加手順が方法３０に組み込まれるという方法５０が一般に方法３０の修正であることが注意される。
【０２２１】
さらに詳しく、図に示すように。３つの正確に消費者運転されたワクチン接種の予約システム１０を使用して季節的な消費者需要に季節的なワクチン接種の供給（すなわち、生産の量）をマッチさせるための方法５０は図の上で描写されるように普通ステップを１００−６００構成する。どのステップしか３００および４００図で示されていないかの２（。３つは）、しかし更に（一般に前に定義されたステップ３００および４００間で）次の追加手順から成り立つ：
（３７０）ワクチン接種の予約のステップ３００によって消費者（か消費者の代表）によって前に確保される総量の各タイプをの予約ワクチン、定めるためにデータベース１２をただす；そして生産の量が従って確立されて季節的なワクチン接種の供給と季節的な要求間のはるかに正確なバランスを提供するという、
（３８０）そのような総量の予約ワクチンに確立すること、一般に損失のために記述へ生産の量増加することはおよび／または破損かなり（または少なくとも部分的に）基づいてが、生産の量をおよび任意に増加する生産の試作期間の基礎のワクチンを確保しなかった消費者にワクチンを提供するために量を促進する。
【０２２２】
方法５０の正確にワクチン消費の人口の重要な部分の季節的なワクチンのための消費者需要を評価するのに使用によってワクチンの生産者は今のかなり前もって決定された消費者需要にはるかに正確ににできるそして確実に一致させるワクチン接種の生産の量に。ワクチンの生産者がワクチンの正しい総数か用量を作り出すことを可能にすることに加えて方法５０はまた生産者が自動的にワクチン接種の予約のデータベース１２ことをの記録を分析し、小計することによって各複数の異なったタイプの適切な量のワクチンを作り出すことを可能にすることが強調される。後の能力は特に重要人口の一部分がある特定のタイ
プのワクチンを取ることができないと考慮するであり；従って、費用や有効性でかなり変わるかもしれない十分な量の各々の医学的に適切なタイプをのワクチン持っていることは必要である。
【０２２３】
それ以上の現在の発明は非制限例としてそのような設備をを含む経営するために、有用なデータを得るためにデータベース１２をただすことによって任意にワクチン接種の生産設備（および／または配分設備やワクチン接種の管理機能を）経営するために大幅に自動化されたシステムや方法を提供することを提供する：量の予約ワクチン、タイプの予約ワクチン、および／またはワクチン接種の管理のための予想された位置や時はおよび続いてデータを用いることデータベースからように最も効率的に設備、植物容量、エンドユーザーへの近さの機能のような（および／または配るためおよび／または管理するため）面を考えると必須ワクチンを、作り出すのに利用するべきどの生産（および／または配分や管理）設備等か決定の援助得た。
【０２２４】
（７．分配を促進するためのシステムまたは方法）
（図５  ワクチン分配を促進するためのシステムまたは方法としての説明および動作：）
図５は各地域や絶対アドレスに（すなわち、船）促進する配るために任意に精密な量の各タイプをのワクチン定めるようにデータベース１２の内で含まれている消費者の地理的な情報をただすか、または分析することによってための大幅に自動化されたシステムや方法をワクチンの正確な（例えば、明確にしなさい）全体的な、地方の、および／またはローカル配分を、一般に構成する現在の発明の代替の具体化６０を描写する。
【０２２５】
追加手順が方法３０に正確な配分を促進するように要求されるように付加的で地理的なデータの収集を提供するために組み込まれるそして各地域や絶対アドレスに出荷するために精密な量の各タイプをのワクチン定めるただすことを含んでそれ以上または分析のステップであるという方法か平均６０が、もう一度、一般にによる修正方法３０のことが注意される。
【０２２６】
さらに詳しく、図に示すように。消費者運転されたワクチン接種の予約システム１０を使用してワクチンの正確で全体的な、地方の、および／またはローカル配分を促進するための５つ、方法６０は図の上で描写されるように普通ステップを１００−６００構成する。どのステップしか３００、４００、および５００図で示されていないかの２（。５）、しかしそれ以上最初の追加手順（一般に前に定義されたステップ３００および４００間で）および次の追加手順を含む第２追加手順（一般に前に定義されたステップ４００および５００間で）、から成り立つ：
（３０５）ワクチン接種の消費者（か消費者の代表を）持っていて電子的にデータベース１２に必要な地理的のに入るために遠隔人間インターフェイス装置１６でワクチン接種の予約システム１０に普通アクセスしなさいおよび／または１つ以上のワクチンの配分を促進するために必要な人口統計学データは管理のためにワクチンの一般的な供給要求するようにおよび／または特定の任命のメモに関する自動通知をワクチン接種に要求されるようにワクチン接種の管理および任意にその上に入るデータのための特定の任命をするように要求されるように任意に入るデータを促進する；そして
（４５０）任意に管理の消費者優先する日付の間説明する総量の各タイプをの予約ワクチン各地域や絶対アドレスに配るために定めるようにデータベース１２をただす。
【０２２７】
全体的にみて、方法６０は正確に予約ワクチンを、および一時的に地理的に配ること、それによりかなりワクチンの配分そして時機を得た管理を両方促進するために非常に効果的な方法か平均を提供する。
【０２２８】
それ以上の発明は一人以上のワクチン接種の消費者、代表に各地域や絶対アドレスに（すなわち、船）詰まり、配るために任意にパッキングや船積みに大幅に自動化されたシステムや方法を提供することを１つ以上のワクチンの１つ以上の用量、および／または精密な量の各タイプをのワクチン定めるようにデータベース１２の内で含まれている消費者の地理的な情報をただすか、または分析することによって管理の人員、一般に提供する。
【０２２９】
それ以上の発明は一人以上のワクチン接種の消費者、代表、および／または管理の人員に任意に１つ以上のワクチンの１つ以上の用量を請求あり次第貯え、分配するために大幅に自動化されたシステムや方法を提供することを提供する。非制限例としてこの機能を単に行うために、システム１０および方法３０は必要性の時間のワクチン接種の消費者によってワクチン接種の消費者への近似性でによって１つ以上の安全な電子承認システムや方法によって任意に更にアクセスを提供すること可能にするために更に操作可能な１つ以上の物理ストレージデバイス設備を提供することによって１つ以上のワクチンを変更されか、できればそのようなワクチンにラピッド・アクセスを貯えるために取付けられか、または「事前に配置し」ことができる。
【０２３０】
それ以上の発明は任意に大幅に自動化されたシステムを提供することを提供するおよび／または目録に記入する一人以上のワクチン接種の消費者、代表におよび／または１つ以上のワクチンの１つ以上の用量を再分配するための方法は（任意に寄付されたワクチン接種か余分なワクチンを含んで）、および／または（１）によってのような管理の人員、ワクチン接種任意に操作可能な大幅に自動目録に記入する目録量を定めるためにデータベース１２をただすようにシステムの提供を促進する（２）はデータベースを寄付されたワクチンを必要として１つ以上の実体に余分なワクチンをただし、余分なワクチンを再分配することによって任意に余分なワクチンを再分配するために大幅に自動再分配システムを提供することを、および／または（３）定めるために促進する。
【０２３１】
それ以上の発明は遅延に任意に１つ以上のワクチンの用量をランダム化するために大幅に自動化されたシステムや方法を提供することを提供するか、またはワクチンの１つ以上のワクチンや用量の目標とされた悪意のある弄を禁じる。この機能は更にシステムを提供することによってランダム化し、それによりワクチンの１つ以上のワクチンや用量の目標とされた悪意のある弄ることを遅らせるか、または禁じるランダムな順序のワクチンを、分配するためにランダム化システムを作動させること実行することができる。
【０２３２】
（８．投与を促進するためのシステムまたは方法）
（図６  ワクチン入手可能性を消費者に助言するためのシステムまたは方法としての説明および動作：）
図６は任意に自動化された生成によってワクチン接種供給の消費者に助言することおよび／またはワクチン接種の管理のための予定された任命を消費者および適切なコミュニケーションをそのような消費者に伝達に思い出させるための大幅に自動化されたシステムか方法７０を構成する現在の発明の代替の具体化７０を描写する。
【０２３３】
端的に説明すると、方法７０は一般にどの消費者（または消費者」代表）管理のためのワクチンの一般的な供給に関する自動発表を受け取りたいおよび／またはワクチン接種の管理かのための特定の任命のメモ定めるためにデータベース１２をただすことを伴なう。追加手順が方法３０に正確な配分を促進するように要求されるようにコレクションの付加的で地理的なデータを提供するために組み込まれるそしてどの消費者（か消費者」代表）自動発表および、続いて、そのような発表を出すことを受け取りたいか定めるただすことを含んでそれ以上または分析のステップであるという方法か平均７０が、もう一度、一般にによる修正方法３０のことが注意される。
【０２３４】
さらに詳しく、図に示すように。６つの消費者運転されたワクチン接種の予約システム１０を使用して管理のためのワクチンの供給に関する消費者（か消費者」代表に）助言するための方法７０は図の上で描写されるように普通ステップを１００−６００構成する。どのステップしか３００、４００、および５００図で示されていないかの２（。６）、しかしそれ以上最初の追加手順（一般に前に定義されたステップ３００および４００間で）および次の追加手順を含む第２追加手順（一般に前に定義されたステップ４００および５００間で）、から成り立つ：
（３０５）ワクチン接種の消費者（か消費者の代表を）持っていて電子的にデータベース１２に必要な地理的のに入るために遠隔人間インターフェイス装置１６でワクチン接種の予約システム１０に普通アクセスしなさいおよび／または１つ以上のワクチンの配分を促進するために必要な人口統計学データは管理のためにワクチンの一般的な供給要求するようにおよび／または特定の任命のメモに関する自動通知をワクチン接種に要求されるようにワクチン接種の管理および任意にその上に入るデータのための特定の任命をするように要求されるように任意に入るデータを促進する；そして
（４９０）どの消費者（か消費者」代表）自動発表を受け取りたいか定めるためにデータベース１２をただしそのような発表を消費者に出す（または消費者の代表が）選ぶ１つ以上の方法によってそのような発表を、任意に望んでいる消費者（または消費者」代表）。
【０２３５】
全体的にみて、方法７０はワクチン接種のための実際に現在へ消費者自身のプロンプトによってワクチン接種率を高めるために非常に効果的な方法か平均を提供する。
それ以上の発明は１つ以上のワクチン接種を受け取るためにおよび／または管理するために一人以上のそのような人がワクチン接種設備に報告するように要求するかもしれない重要で不利なでき事が起こること任意に操作可能な一人以上のワクチン接種の消費者、消費者代表、および／または管理の人員へ警報か警告を、例えば提供するために大幅に自動化されたシステムや方法を提供することを、この状況下で提供する。再度、非制限例として、システム１０および方法３０は更に脅威データを集め、評価することによってこの機能を単に行うために変更することができ条件の下で脅威データが前もって決定された価値を超過する脅威のレベルを示すことシステム１０はここに表われる多くのコミュニケーション方法の１つ以上によって自動的にそのような警報や警告を出す。
【０２３６】
それ以上の発明は任意にワクチン接種の管理の人員、設備、および／または非制限例としてそのような設備や人員をを含む経営するために、有用なデータを得るためにデータベース１２をただすことによってのようなワクチン接種の有効な管理を、促進するために資材を経営するために大幅に自動化されたシステムや方法を提供することを提供する：量の予約ワクチン、タイプの予約ワクチン、および／またはワクチン接種の管理および続いてデータを用いるための予定された位置や時はデータベースからように最も効率的にワクチン接種をか管理するのに利用するべきどの管理機能や人員を決定の援助得た。
【０２３７】
（９．ワクチンまたはサービスの効力を評価するためのシステムまたは方法）
（図７  ワクチンへの消費者応答を得るためのシステムまたは方法としての説明および動作：）
図７は大幅に自動化された方法から成り立つ現在の発明の代替の具体化８０を描写したりおよび／または、季節的なワクチンをの、および／またはかなり消費者からのワクチンやより広いヘルスケア工業の生産者にワクチンに関するフィードバックを改善している不利な反応への効力を、それにより評価するための８０意味する。
【０２３８】
端的に説明すると、方法８０は一般に様々な電子消費者フィードバックメカニズム、のような、インターネット接続されたコンピュータか他のどの適した人間インターフェイス１６によっても消費者に示される例えば、電信調査または相互の、書き込み式タイプ、電子的形態または調査を提供することを伴なう。１つの追加手順が方法３０に効力のの評価
を提供するために付けられるおよび／または不利な反応へ、季節的なワクチンであるという方法か平均８０が一般に方法３０の単純な拡張ことが注意される。
【０２３９】
さらに詳しく、図に示すように。７つの消費者運転されたワクチン接種の予約システム１０を使用してワクチンへの消費者応答を得るための方法８０は図の上で描写されるように普通ステップを１００−６００構成する。どのステップしか６００図で示されていないかの２（。７）、しかしそれ以上少なくとも１つの追加手順を（一般に前に定義されたステップ６００の後で付けられる）、を含んで次の追加手順、非制限例として、構成する：（７００）ワクチン接種の消費者（か消費者の代表を）持っていて電子的にデータベース１２に１つ以上の観察を書き入れるために遠隔人間インターフェイス１６によってワクチン接種の予約システム１０に普通アクセスしなさいおよび／またはそのようなワクチンへの病気、１つ以上の不利な反作用、および／または１つ以上の他を防ぐことの１つ以上のワクチンの効力に関するコメントはワクチンの予約、生産、配分、および／または管理に関係したコメントする。
【０２４０】
全体的にみて、方法８０はかなり消費者改善するために非常に効果的な方法をからのワクチンやより広いヘルスケア工業の生産者にワクチンに関するフィードバックを提供する。そのような直接消費者フィードバックシステムや方法によって集められるデータが未来のワクチンを改良すること、ワクチン接種の管理サービスを改善すること、および／または消費者ことをへワクチンを提供することと関連している他の項目やサービスを改善することの興味を持っている１つ以上の実体にとって非常に貴重であることが強調される。そのようなデータはまたワクチン接種の消費者、彼らの代表へ未来のワクチンやワクチン関係したサービスを追求するとき貴重品、および／またはそのようなデータが、かどうか未加工か要約された形態で、大多数のワクチン接種の提供者の間で区別するのに使用されるかもしれないと考慮している彼らの後援者である。
【０２４１】
そのような興味がある実体にそのような貴重な消費者応答データのコミュニケーションを促進するためには、それ以上の現在の発明はそのようなデータを伝えるために１つ以上の任意そのような利害関係者に大幅に自動化されたシステムや方法をできれば（必ずしも）提供することを提供する。そのような任意通信システムや方法の例を非限って（１）を含んでへの直接電子アクセスを消費者提供したワクチン接種の予約システム１０の人間インターフェイス１６によってフィードバックデータを提供する、および／または（２）概略データを提供することは得られたデータへの直接電子アクセスによっておよび／または他のどの実用向き方法によってもそのような消費者応答データの分析から得た。であること、そして得られた概略データは、非制限例として、そのような概略データが一般に任意にデータベース１２で貯えられる消費者応答データの１つ以上の分析プロセスをただすことおよび／または行うことによって送達可能に任意にワクチン接種の提供者の統計データ、質データ、性能等級、消費者満足のレポート、相対的な性能のランキング、および／またはワクチンことをの提供者や消費者に有用な他のデータが含まれるかもしれないことに注目しなさい。
【０２４２】
それ以上の発明は任意に続いて１つ以上の提供提供することを１つ以上に関する一人以上の消費者、代表、および／またはまたは他の関連の実体からの意見を懇請するために管理の人員、管理機能、トランザクション代理店が、および／またはによるのような他の関連サービスに大幅に自動化されたシステムや方法を提供する評価するために、ワクチン接種サービスを形態を使用して書き込み式タイプ電子的形態および提供されたワクチン関係したサービス提供する。
【０２４３】
（１０．ワクチンのプロトコールの準拠を検証するためのシステムまたは方法）
別の例としてワクチン接種の議定書の承諾を確認するためのシステムや方法はワクチン
接種の議定書を、発明更に承諾および／または１つ以上の人やグループによって条件を確認するために大幅に自動化されたシステムや方法を提供することに与える。非制限例として、１つ以上のワクチン接種の条件の個人やグループの承諾を確認するための１つの方法はデータベース１２に存在する１つ以上のワクチン接種の承諾の徴候（かＶＣＩ）１つ以上の個人は１つ以上のワクチン接種の議定書や条件に従ってあることの確認と任せられる１つ以上の実体によって人間インターフェイス１６（例えば、インターネット接続された計算装置１４）を使用して続いて入手しやすいか、承認することを人員が消費者に種痘した上で人間インターフェイス１６によって安全なデータベース１２にワクチン接種の承諾の徴候を入れるワクチン接種の管理を構成する。
【０２４４】
ワクチン接種の条件の承諾を確認するために人間インターフェイス１６によるデータベース１２へ直接アクセスを提供することに加えて現在の発明は１つ以上のワクチン接種の承諾の徴候（ＶＣＩ）を伝えるために興味がある実体に更に通信システムや方法が非制限例、（１）操作可能な適切な読者装置によって続いて読まれるか、または別の方法で解釈することができる１つ以上のワクチン接種の承諾の徴候（ＶＣＩ）を貯える受け取り、電子、磁気、および／または光ディスク記憶装置媒体を持っている個人的なワクチン接種の記録装置として任意に、（身分照明の形態か他の有用な形態を持っている）含んでいるか多数の互い違いおよび／または補足の大幅に自動化されたシステムや方法を（２）無線周波の同一証明（ＲＦＩＤ提供し）１つ以上のワクチン接種の承諾の徴候（ＶＣＩ）、（３）光学的に走査可能な（例えば、バーコード）ワクチン接種の承諾の徴候を、（４）携帯用安全なデジタル電子ファイル提供する操作可能な、ＲＦＩＤの読者装置と共に装置（任意に配置された補助的皮膚）は非常にＡｄｏｂｅ（登録商標）のポータブルデータフォーマット（ＰＤＦ）ファイル、暗号化されたＸＭＬ（ＸＭＬ）ファイル、安全なデジタル認証、または他の携帯用データベース１２からの１つ以上の人員記録システムに１つ以上のワクチン接種の承諾の徴候（ＶＣＩ）を送信するために電子ファイルを、および／または（５）操作可能なできれば大幅に安全な電子リンクしっかり止め、任意に暗号化した（および任意に１つ以上のワクチン接種の承諾の徴候（ＶＣＩを）直接置くため適切な個々の人員ファイルに）。
【０２４５】
海外旅行および他を促進することが意図するのようなこれらの方法が目的のために有用である場合もある間、後の項目、個々の人員ファイルに１つ以上のワクチン接種の承諾の徴候を直接置くすなわち、機能は、非制限例として非常に促進し、様々な活動をを含む学校か大学で登録し、会社または他の構成内の雇用の位置を取り、軍のために報告し、海外旅行のために準備し、および／または永久的な更新に個人医療記録をにする。
【０２４６】
さらに、承諾を確認するためのそのような方法はまた自動的に組織を、学校または雇用者のような、従って学生か従業員がワクチン接種のための彼自身を示したこと医者からのより多くの大会、より少なく効果的な方法、非常に文書によるノート、親からの電話または配偶者によってそのような情報を伝える必要性を除去する等知らせるのに役立つことができ。
【０２４７】
それ以上の発明は任意に大幅に自動化されたシステムを提供することを提供するおよび／またはまずないでき事の金融補償を提供するために１つ以上の消費者や消費者代表へ保険を提供するための方法は消費者に財政の害を引き起こしているワクチンによりに消費者不利な反作用を経験する。非制限例としてこの機能を単に行うために、システム１０および方法３０は更に操作可能な１つ以上の電子的形態（か他の人間トランザクションを処理する予約および補償の一部としてシステムのユーザーに任意保険を示すためにインターフェイスを）提供することによって変更することができるユーザーが必ずしもそのような保険を、普通購入することを、選ぶという。注目される付加的な面を組み込むために方法３０への修正が普通ステップ３００を変更することを伴なうことに注目しなさい。
【０２４８】
（１２．発明の変更されるか、または互い違い構成）
別の例として法的および／または財政の責任を限るためのシステムや方法は非制限例として、発明更に任意に任意に含むかもしれないワクチンの１つ以上の提供者の法的および／または財政の責任を限るために大幅に自動化されたシステムや方法を提供することを提供する：１つ以上のワクチン接種の生産者、ディストリビューター、管理者、および／または財政措置の代理人。さらに、消費者代表、後援者、または提供者はまたワクチンの提供者として考慮されるかもしれない。ワクチンの前述の提供者のうちのどれかが任意に構成するかもしれない非制限例としてことに注目しなさい：１つ以上の営利事業はワクチンの提供で従事した；ワクチンの信頼できる生産や管理のための責任を持っている行政機関；ワクチンかワクチン接種サービスの提供にかかわる非政府機関（任意に、しかし必ずしも、慈悲深い）；個々の人；および／または各（１）適したワクチンが使用できるように時宜を得てされなければ重要な法的およびか財政の責任−にさらされるかもしれない他の実体に管理されたワクチンに、（２）ワクチン接種の消費者不利な（例えば、アレルギーの）反作用が（普通管理前の可能なアレルギーのための選別にもかかわらず）ある、および／または（３）他の不利で故意ではない結果または情況はワクチンの生産、配分、および／または管理に関連していた。非制限例としてこの機能を単に行うために、システム１０および方法３０は更に操作可能な１つ以上の電子的形態（か他の人間システムのユーザーに法的責任の放棄を示すためにインターフェイスを）提供することによって変更することができるユーザーがワクチン接種の予約の完了の状態として責任放棄（または責任限定）の言葉の受諾を示さなければならないという。注目される付加的な面を組み込むために方法３０への修正が普通ステップ３００を変更することを伴なうことに注目しなさい。
【０２４９】
（政府責任を減らすためのメカニズムとして操作：）
従って現在の発明は点ワクチン消費の個人へワクチンへの個々の消費者アクセスのための責任を移すために独特な平均を提供し、公共利益でワクチンへの個々のアクセスを保障するための責任の重荷を作動させる政府の健康機関や他の代理店から大幅に取除く。
【０２５０】
（１３．情報情報セキュリティの平均を保証するおよび更新するシステムや方法：）
（情報セキュリティ手段：）
（例を下記のものを含みなさい非限る消費者の個人情報の十分な保証を提供するため：識別子、財務資料、医学データは、等）、現在の発明十分にそのようなデータの電子貯蔵や伝達のための安全な技術を使用する必要性を提供し、予想する。、したがってできれば最新式のデータ暗号化の議定書、防火壁、および／または他のセキュリティ機能を、また実用的忍耐強い医療記録のプライバシーを組み込むと、消費者財務資料保護するか、または保証するための立法上統治を委任された議定書、および／または他の敏感なか私用消費者データところで、ここに記述されている装置、方法、および／またはプロセスのうちのどれかが任意に考慮される。
【０２５１】
（情報更新手段：）
それ以上の現在の発明が様々な有名、大幅に自動化されて提供することに現在の発明の上記の方法か機能の多数を促進するためには、システム、方法注目しなさい、および／または、予備に提供されるあらゆる情報更新するか、訂正するか、または別の方法で修正のための平均は支払をのための作ったり、ワクチンを作り出したり、配ったり、貯えたり、管理したり、評価したり、および／または他では処理する。
【０２５２】
発明主題が同じ有効な結果をもたらす様々で詳しいプロセスで実行されるかもしれないことが容易に理解される。従って、従来技術の通常の技術の１つはそのような要因の可変性を認め、これ以上より定期的な実験を使用して、ここに記述されているシステム機能および方法ステップを実行することができる特定の計算機プログラムを作成できる。
【０２５３】
従って、基本的な消費者運転される、試作期間の健康重大の長生産導時間季節的なワクチンの有効な生産、配分、管理や投与後の評価を促進するための季節的なワクチン接種の予約システムの広汎な適用の可能性は表われた。こうして記述されている発明主題それは同じが多くの方法で変更されるか、または変わるかもしれないこと明らかである。そのような修正および変化は精神からの出発とみなされるべきではないし、発明主題の規模はおよびすべてのそのような修正および変化次の要求の範囲内に含まれているように意図されている。
【図面の簡単な説明】
【０２５４】
【図１】大幅に、主に自動化される、典型的のの第一次要素の図式的な図表、一般に試作期間消費者運転されて、季節的なワクチン接種の予約システムの図。
【図２】消費者を大幅に大幅に自動化されるを使用して主に保証することを、許可するための現在の発明の典型的な方法の図式的なプロセスフロー図表、一般に試作期間消費者運転される、季節的なワクチンの１つ以上の用量の確保によってワクチンの用量へのアクセスを、季節的なワクチン接種の予約システムの図。
【図３】それによりによって主に使用減らす、ワクチンの１つ以上の予約用量のための補償を、一般に試作期間消費者運転される、ワクチンの生産者に財政の危険を大幅に自動化される処理するための現在の発明の典型的な（しかし任意）方法の図式的なプロセスフロー図表、季節的なワクチン接種の予約システムの図。
【図４】大幅に自動化されるを使用して主に、一般に試作期間消費者運転される、正確に季節的な消費者需要に季節的なワクチン接種の供給をマッチさせるための現在の発明の典型的な（しかし任意）方法の図式的なプロセスフロー図表、季節的なワクチン接種の予約システムの図。
【図５】大幅に自動化されるを使用して主に、一般に試作期間消費者運転される、季節的なワクチンの配分や時機を得た管理を促進するための現在の発明の典型的な（しかし任意）方法の図式的なプロセスフロー図表、季節的なワクチン接種の予約システムの図。
【図６】大幅に自動化される、主に使用によって管理のためのワクチンの一般的な供給に関する消費者を（またはワクチン接種の管理のための特定の任命）指示するための現在の発明の典型的な（しかし任意）方法の図式的なプロセスフロー図表、一般に試作期間消費者運転されて、季節的なワクチン接種の予約システムの図。
【図７】大幅に自動化されるを使用して主に、一般に試作期間消費者運転される、ワクチンへの消費者の応答を評価するための現在の発明の典型的な（しかし任意）方法の図式的なプロセスフロー図表、季節的なワクチン接種の予約システムの図。
【図１】
2008545210.tif 000003
【図２】
2008545210.tif 000004
【図３】
2008545210.tif 000005
【図４】
2008545210.tif 000006
【図５】
2008545210.tif 000007
【図６】
2008545210.tif 000008
【図７】
2008545210.tif 000009
【国際調査報告】
2008545210.tif 000010
2008545210.tif 000011